(57)【要約】式（Ｉ）で表わされるピラゾール化合物が記載される。このピラゾール化合物及びこれらを含む薬剤組成物は、ＥＲＡＢまたはＨＡＤＨ２活性を阻害するのにならびにＥＲＡＢ、ＨＡＤＨ２またはアミロイド−βが仲介する疾患及び症状を処置するのに使用される。【特許請求の範囲】
【請求項１】
式Ｉ：
【化１】
2004506737.tif 000091
ただし、Ｘは、ＯまたはＳであり；
Ｙは、ＮまたはＣＨであり；
Ｒ６は、ＨまたはＯＨであり；ならびに
Ｒは、
【化２】
2004506737.tif 000092
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ２及びＲ３は、それぞれ独立して、水素またはアルキル、アルケニル、アルコキシ、アリール、ヘテロアリール、シクロアルキル、若しくはヘテロシクロアルキル基である、またはＲ２及びＲ３が結合しているＮ原子を有するＲ２及びＲ３が一緒に少なくとも一のＮ、Ｓ若しくはＯヘテロ原子を含む４−〜１０−員のヘテロシクロアルキル若しくはヘテロアリール基を形成し、この際、アルキル、アルケニル、アルコキシ、アリール、ヘテロアリール、シクロアルキル、またはヘテロシクロアルキル基は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される；
Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、シクロアルキル、ヘテロシクロアルキル、アリール若しくはヘテロアリール基であり；
Ｒ５は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、シクロアルキル、ヘテロシクロアルキル、アリール若しくはヘテロアリール基であり；ならびに
Ｒ７は、水素またはＣ１−Ｃ３アルキル、ヒドロキシ若しくはＣ１−Ｃ３アルコキシ基である、
で表わされる化合物、または該化合物の製薬上許容できる塩、製薬上許容できるプロドラッグ、若しくは製薬上活性のある代謝産物、または該代謝産物の製薬上許容できる塩。
【請求項２】
Ｒは、
【化３】
2004506737.tif 000093
であり、この際、Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアリールまたはヘテロアリール基であり；Ｒ２及びＲ３は、それぞれ独立して、水素またはアルキル、アルケニル、アルコキシ、アリール、ヘテロアリール、シクロアルキル、若しくはヘテロシクロアルキル基である、またはＲ２及びＲ３が結合しているＮ原子を有するＲ２及びＲ３が一緒に少なくとも一のＮ、Ｓ若しくはＯヘテロ原子を含む４−〜１０−員のヘテロシクロアルキル若しくはヘテロアリール基を形成し、この際、アルキル、アルケニル、アルコキシ、アリール、ヘテロアリール、シクロアルキル、またはヘテロシクロアルキル基は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される；
Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、シクロアルキル、ヘテロシクロアルキル、アリール若しくはヘテロアリール基であり；
Ｒ５は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、シクロアルキル、ヘテロシクロアルキル、アリール若しくはヘテロアリール基であり；ならびに
Ｒ７は、水素またはＣ１−Ｃ３アルキル、ヒドロキシ若しくはＣ１−Ｃ３アルコキシ基である、
請求項１に記載の化合物または製薬上許容できる塩。
【請求項３】
Ｒは、
【化４】
2004506737.tif 000094
であり、この際、Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル若しくはシクロアルキル基である、
請求項２に記載の化合物または製薬上許容できる塩。
【請求項４】
Ｒは、
【化５】
2004506737.tif 000095
であり、この際、Ｒ５は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキルまたはヘテロシクロアルキル基である、
請求項２に記載の化合物または製薬上許容できる塩。
【請求項５】
Ｒ７は、水素である、請求項２に記載の化合物または製薬上許容できる塩。
【請求項６】
Ｒは、
【化６】
2004506737.tif 000096
であり、この際、Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル若しくはシクロアルキル基であり；
Ｒ５は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキルまたはヘテロシクロアルキル基であり；ならびに
Ｒ７は、水素である、
請求項２に記載の化合物または製薬上許容できる塩。
【請求項７】
式Ｉ：
【化７】
2004506737.tif 000097
ただし、Ｘは、ＯまたはＳであり；
Ｙは、ＮまたはＣＨであり；
Ｒ６は、ＨまたはＯＨであり；ならびに
Ｒは、
【化８】
2004506737.tif 000098
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素、またはＣ１−Ｃ３アルキル、ヒドロキシ若しくはＣ１−Ｃ３アルコキシ基であり；ならびに
Ｒ２及びＲ３は、それぞれ独立して、水素またはアルキル、アルケニル、アルコキシ、アリール、ヘテロアリール、シクロアルキル、若しくはヘテロシクロアルキル基である、またはＲ２及びＲ３が結合しているＮ原子を有するＲ２及びＲ３が一緒に少なくとも一のＮ、Ｓ若しくはＯヘテロ原子を含む４−〜１０−員のヘテロシクロアルキル若しくはヘテロアリール基を形成し、この際、アルキル、アルケニル、アルコキシ、アリール、ヘテロアリール、シクロアルキル、またはヘテロシクロアルキル基は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される；
で表わされる化合物、または該化合物の製薬上許容できる塩、製薬上許容できるプロドラッグ、若しくは製薬上活性のある代謝産物、または該代謝産物の製薬上許容できる塩。
【請求項８】
Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアリールまたはヘテロアリール基である、請求項７に記載の化合物または製薬上許容できる塩。
【請求項９】
Ｒ７は、水素である、請求項７に記載の化合物または製薬上許容できる塩。
【請求項１０】
Ｒ２及びＲ３は、それぞれ独立して、アルキル、アルコキシ若しくはアリール基である、またはＲ２及びＲ３が結合しているＮ原子を有するＲ２及びＲ３が一緒に少なくとも一のＮ、Ｓ若しくはＯヘテロ原子を含む４−〜１０−員のヘテロシクロアルキル若しくはヘテロアリール基を形成し、この際、アルキル、アルコキシ、アリール、またはヘテロシクロアルキル基は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される、請求項７に記載の化合物または製薬上許容できる塩。
【請求項１１】
Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアリールまたはヘテロアリール基であり；
Ｒ７は、水素であり；ならびに
Ｒ２及びＲ３は、それぞれ独立して、アルキル、アルコキシ若しくはアリール基である、またはＲ２及びＲ３が結合しているＮ原子を有するＲ２及びＲ３が一緒に少なくとも一のＮ、Ｓ若しくはＯヘテロ原子を含む４−〜１０−員のヘテロシクロアルキル若しくはヘテロアリール基を形成し、この際、アルキル、アルコキシ、アリール、またはヘテロシクロアルキル基は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される、請求項７に記載の化合物または製薬上許容できる塩。
【請求項１２】
Ｒ２及びＲ３が結合しているＮ原子を有するＲ２及びＲ３は一緒に、
無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される、下記式：
【化９】
2004506737.tif 000099
を形成する、請求項１０に記載の化合物または製薬上許容できる塩。
【請求項１３】
Ｎ−ヘテロシクロアルキル基が、ヒドロキシ、アルキル、−ＣＯ−アルキル、アリール、ヘテロアリール、シクロアルキルまたはヘテロシクロアルキルからなる群より独立して選択される一以上の置換基で置換され、さらにアルキル、アリールまたはヘテロアリール基は、無置換であるまたはハロゲン、ヒドロキシ、アルコキシまたはアリルオキシからなる群より独立して選択される一以上の置換基で置換される、請求項１２に記載の化合物または製薬上許容できる塩。
【請求項１４】
式Ｉ：
【化１０】
2004506737.tif 000100
ただし、Ｘは、ＯまたはＳであり；
Ｙは、ＮまたはＣＨであり；
Ｒ６は、ＨまたはＯＨであり；
Ｒは、
【化１１】
2004506737.tif 000101
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、シクロアルキル、ヘテロシクロアルキル、アリール若しくはヘテロアリール基であり；
で表わされる化合物、または該化合物の製薬上許容できる塩、製薬上許容できるプロドラッグ、若しくは製薬上活性のある代謝産物、または該代謝産物の製薬上許容できる塩。
【請求項１５】
Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアリール基である、請求項１４に記載の化合物または製薬上許容できる塩。
【請求項１６】
Ｒ７は、水素である、請求項１４に記載の化合物または製薬上許容できる塩。
【請求項１７】
Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるシクロアルキル基である、請求項１４に記載の化合物または製薬上許容できる塩。
【請求項１８】
Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアリール基であり；
Ｒ７は、水素であり；ならびに
Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるシクロアルキル基である、請求項１４に記載の化合物または製薬上許容できる塩。
【請求項１９】
式Ｉ：
【化１２】
2004506737.tif 000102
ただし、Ｘは、ＯまたはＳであり；
Ｙは、ＣＨであり；
Ｒ６は、ＨまたはＯＨであり；
Ｒは、
【化１３】
2004506737.tif 000103
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルコキシ、アリルオキシ、アリール、ヘテロアリール、シクロアルキル若しくはヘテロシクロアルキル基である、
で表わされる化合物、または該化合物の製薬上許容できる塩、製薬上許容できるプロドラッグ、若しくは製薬上活性のある代謝産物、または該代謝産物の製薬上許容できる塩。
【請求項２０】
式Ｉ：
【化１４】
2004506737.tif 000104
ただし、Ｘは、ＯまたはＳであり；
Ｙは、Ｎであり；
Ｒ６は、ＯＨであり；
Ｒは、
【化１５】
2004506737.tif 000105
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルコキシ、アリルオキシ、アリール、ヘテロアリール、シクロアルキル若しくはヘテロシクロアルキル基である、
で表わされる化合物、または該化合物の製薬上許容できる塩、製薬上許容できるプロドラッグ、若しくは製薬上活性のある代謝産物、または該代謝産物の製薬上許容できる塩。
【請求項２１】
式Ｉ：
【化１６】
2004506737.tif 000106
ただし、Ｘは、Ｓであり；
Ｙは、Ｎであり；
Ｒ６は、ＨまたはＯＨであり；
Ｒは、
【化１７】
2004506737.tif 000107
であり、この際、Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルコキシ、アリルオキシ、アリール、ヘテロアリール、シクロアルキル若しくはヘテロシクロアルキル基である、
で表わされる化合物、または該化合物の製薬上許容できる塩、製薬上許容できるプロドラッグ、若しくは製薬上活性のある代謝産物、または該代謝産物の製薬上許容できる塩。
【請求項２２】
式Ｉ：
【化１８】
2004506737.tif 000108
ただし、Ｘは、Ｏであり；
Ｙは、Ｎであり；
Ｒ６は、Ｈであり；
Ｒは、
【化１９】
2004506737.tif 000109
であり、この際、Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルケニル、アルコキシ、アリルオキシ、アリール、ヘテロアリール、シクロアルキルまたはヘテロシクロアルキル基である、
で表わされる化合物、または該化合物の製薬上許容できる塩、製薬上許容できるプロドラッグ、若しくは製薬上活性のある代謝産物、または該代謝産物の製薬上許容できる塩。
【請求項２３】
式Ｉ：
【化２０】
2004506737.tif 000110
ただし、Ｘは、ＯまたはＳであり；
Ｙは、ＮまたはＣＨであり；
Ｒ６は、ＨまたはＯＨであり；ならびに
Ｒは、
【化２１】
2004506737.tif 000111
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ５は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、シクロアルキル、ヘテロシクロアルキル、アリール若しくはヘテロアリール基であり；ならびに
Ｒ７は、水素またはＣ１−Ｃ３アルキル、ヒドロキシ若しくはＣ１−Ｃ３アルコキシ基である、
で表わされる化合物、または該化合物の製薬上許容できる塩、製薬上許容できるプロドラッグ、若しくは製薬上活性のある代謝産物、または該代謝産物の製薬上許容できる塩。
【請求項２４】
Ｒ５は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるシクロアルキル、ヘテロシクロアルキル、アリールまたはヘテロアリール基である、請求項２３に記載の化合物または製薬上許容できる塩。
【請求項２５】
ＹはＮであり；ＸはＯであり；およびＲ６はＨである、請求項１に記載の化合物または製薬上許容できる塩。
【請求項２６】
ＹはＮであり；ＸはＳであり；およびＲ６はＨである、請求項１に記載の化合物または製薬上許容できる塩。
【請求項２７】
ＹはＣＨであり；ＸはＯであり；およびＲ６はＨである、請求項１に記載の化合物または製薬上許容できる塩。
【請求項２８】
ＹはＣＨであり；ＸはＳであり；およびＲ６はＨである、請求項１に記載の化合物または製薬上許容できる塩。
【請求項２９】
ＹはＮであり；ＸはＯであり；およびＲ６はＯＨである、請求項１に記載の化合物または製薬上許容できる塩。
【請求項３０】
ＹはＮであり；ＸはＳであり；およびＲ６はＯＨである、請求項１に記載の化合物または製薬上許容できる塩。
【請求項３１】
ＹはＣＨであり；ＸはＯであり；およびＲ６はＯＨである、請求項１に記載の化合物または製薬上許容できる塩。
【請求項３２】
ＹはＣＨであり；ＸはＳであり；およびＲ６はＯＨである、請求項１に記載の化合物または製薬上許容できる塩。
【請求項３３】
下記：
【化２２】
2004506737.tif 000112
2004506737.tif 000113
2004506737.tif 000114
からなる群より選択される化合物ならびにこれの製薬上許容できる塩。
【請求項３４】
下記：
【化２３】
2004506737.tif 000115
2004506737.tif 000116
2004506737.tif 000117
からなる群より選択される化合物ならびにこれの製薬上許容できる塩。
【請求項３５】
下記：
【化２４】
2004506737.tif 000118
2004506737.tif 000119
2004506737.tif 000120
2004506737.tif 000121
からなる群より選択される化合物ならびにこれの製薬上許容できる塩。
【請求項３６】
下記：
【化２５】
2004506737.tif 000122
2004506737.tif 000123
2004506737.tif 000124
2004506737.tif 000125
からなる群より選択される化合物ならびにこれの製薬上許容できる塩。
【請求項３７】
治療上有効な量の請求項１に記載の化合物または該化合物の製薬上許容できる塩、製薬上許容できるプロドラッグ若しくは製薬上活性のある代謝産物；および
上記に対する製薬上許容できる担体、希釈剤、または賦形剤
を含む組成物。
【請求項３８】
治療上有効な量の請求項３３に記載の化合物または製薬上許容できる塩；および
上記に対する製薬上許容できる担体、希釈剤、または賦形剤
を含む組成物。
【請求項３９】
治療上有効な量の請求項３４に記載の化合物または製薬上許容できる塩；および
上記に対する製薬上許容できる担体、希釈剤、または賦形剤
を含む組成物。
【請求項４０】
治療上有効な量の請求項３５に記載の化合物または製薬上許容できる塩；および
上記に対する製薬上許容できる担体、希釈剤、または賦形剤
を含む組成物。
【請求項４１】
治療上有効な量の請求項３６に記載の化合物または製薬上許容できる塩；および
上記に対する製薬上許容できる担体、希釈剤、または賦形剤
を含む組成物。
【請求項４２】
ＥＲＡＢ、ＨＡＤＨ２またはアミロイド−βが仲介する疾患または症状の処置を必要とする哺乳動物に、治療上有効な量の少なくとも一の請求項１に記載の化合物、製薬上許容できる塩、製薬上許容できるプロドラッグまたは製薬上活性のある代謝産物を投与することを有する、哺乳動物におけるＥＲＡＢ、ＨＡＤＨ２またはアミロイド−βが仲介する疾患または症状の処置方法。
【請求項４３】
該疾患または症状がアルツハイマー病である、請求項４２に記載の方法。
【請求項４４】
該疾患または症状が痴呆である、請求項４２に記載の方法。
【請求項４５】
該疾患または症状が癌である、請求項４２に記載の方法。
【請求項４６】
ＥＲＡＢまたはＨＡＤＨ２を、有効量の請求項１に記載の化合物、製薬上許容できる塩、製薬上許容できるプロドラッグまたは製薬上活性のある代謝産物と接触させることを有する、ＥＲＡＢまたはＨＡＤＨ２の酵素活性の阻害または調節方法。
【請求項４７】
ＥＲＡＢまたはＨＡＤＨ２を、有効量の請求項３３に記載の化合物または製薬上許容できる塩と接触させることを有する、ＥＲＡＢまたはＨＡＤＨ２の酵素活性の阻害または調節方法。
【請求項４８】
ＥＲＡＢまたはＨＡＤＨ２を、有効量の請求項３４に記載の化合物または製薬上許容できる塩と接触させることを有する、ＥＲＡＢまたはＨＡＤＨ２の酵素活性の阻害または調節方法。
【請求項４９】
ＥＲＡＢまたはＨＡＤＨ２を、有効量の請求項３５に記載の化合物または製薬上許容できる塩と接触させることを有する、ＥＲＡＢまたはＨＡＤＨ２の酵素活性の阻害または調節方法。
【請求項５０】
ＥＲＡＢまたはＨＡＤＨ２を、有効量の請求項３６に記載の化合物または製薬上許容できる塩と接触させることを有する、ＥＲＡＢまたはＨＡＤＨ２の酵素活性の阻害または調節方法。
【請求項５１】
化合物または製薬上許容できる塩が６００μＭ以下のＥＲＡＢ活性に対するＩＣ５０を有する、請求項１に記載の化合物または製薬上許容できる塩。
【請求項５２】
化合物または製薬上許容できる塩が５０μＭ以下のＥＲＡＢ活性に対するＩＣ５０を有する、請求項５１に記載の化合物または製薬上許容できる塩。
【請求項５３】
化合物または製薬上許容できる塩が３．０μＭ以下のＥＲＡＢ活性に対するＩＣ５０を有する、請求項５１に記載の化合物または製薬上許容できる塩。
【請求項５４】
アルツハイマー病または痴呆の処置を必要とする哺乳動物に、治療上有効な量の
請求項１に記載の少なくとも一の化合物、製薬上許容できる塩、製薬上許容できるプロドラッグ、または製薬上活性のある代謝産物；および
エストロゲン、ＮＳＡＩＤＳ、リスペリドン（ｒｉｓｐｅｒｉｄｏｎｅ）、チオベンゾジアゼピン（ｔｈｉｏｂｅｎｚｏｄｉａｚｅｐｉｎｅ）、アンパカイン（ａｍｐａｋｉｎｅ）、［Ｎ−（２，６−ジメチルフェニル）−２−（２−オキソ−１−ピロリジニル）アセトアミド［［Ｎ−（２，６−ｄｉｍｅｔｈｙｌｐｈｅｎｙｌ）−２−（２−ｏｘｏ−１−ｐｙｒｒｏｌｉｄｉｎｙｌ）ａｃｅｔａｍｉｄｅ］、ＤＭ９３８４、コリンエステラーゼ阻害剤、ドネペジル塩酸塩（ｄｏｎｅｐｅｚｉｌ ｈｙｄｒｏｃｈｌｏｒｉｄｅ）、リバスティグマイン酒石酸塩（ｒｉｖａｓｔｉｇｍｉｎｅ ｔａｒｔｒａｔｅ）、ガランタマイン（ｇａｌａｎｔａｍｉｎｅ）、ＮＧＦ、及びメトリホネート（ｍｅｔｒｉｆｏｎａｔｅ）からなる群より選択される少なくとも一の物質
を投与することを有する、哺乳動物におけるアルツハイマー病または痴呆の処置方法。
【発明の詳細な説明】
【０００１】
関連出願に対する引用
本願は、２０００年８月１８日に提出の米国仮出願第６０／２２６，１２３号の利益を主張するものである。
【０００２】
発明の分野
本発明は、一般的に、ピラゾール化合物、ピラゾール化合物を含む組成物、ならびに当該化合物及び組成物を用いたＥＲＡＢまたはＨＡＤＨ２活性の調節または阻害方法に関するものである。本発明はまた、一般的に、ＥＲＡＢ、ＨＡＤＨ２またはアミロイド−βが仲介する症状及び病気の処置を目的とする治療用化合物、組成物、および方法に関するものである。さらに、本発明は、神経変性疾患（ｎｅｕｒｏｄｅｇｅｎｅｒａｔｉｖｅ ｄｉｓｅａｓｅ）及び特定の癌の処置を目的とする治療用化合物、組成物、および方法に関するものである。
【０００３】
発明の背景
多くの症状（ｃｏｎｄｉｔｉｏｎ）及び病気が、アミロイド−βペプチド（「Ａβ」または「アミロイド−β」）、内在性膜糖タンパク質のタンパク質分解断片、アミロイド−β前駆体タンパク質（ＡＰＰ）と関連する、これによって誘導および／または仲介されると考えられる［Ｋａｎｇ ｅｔ ａｌ．， Ｎａｔｕｒｅ， ｖｏｌ． ３２５， ｐｐ． ７３３−７３６ （１９８７）］。このような病気、症状（ｃｏｎｄｉｔｉｏｎ）および／または癌の例としては、アルツハイマー病（ＡＤ）または関連Ａβ−仲介痴呆（ｒｅｌａｔｅｄ Ａ（β−ｍｅｄｉａｔｅｄ ｄｅｍｅｎｔｉａ）等の進行性神経変性疾患、ならびに乳癌及び子宮内膜癌等の特定の癌が挙げられる［Ｈｅ ｅｔ ａｌ．， Ｊ． Ｂｉｏｌ． Ｃｈｅｍ．， ２７４（２１）， ｐｐ １５０１４−１５０１９（１９９９）を参照］。
【０００４】
Ａβは、約４．２ｋＤの分子量を有する３９〜４３アミノ酸ペプチドとして同定され、このペプチドは正常なβ−アミロイドペプチドの突然変異及び翻訳後修飾を含む、Ｇｌｅｎｎｅｒ， ｅｔ ａｌ．， Ｂｉｏｃｈｅｍ． Ｂｉｏｐｈｙｓ． Ｒｅｓ． Ｃｏｍｍｕｎ．， １２０：８８５−８９０ （１９８４）によって記載されるタンパク質の形態と実質的に一致する。Ａβペプチドは、米国特許第６，２６２，３０２号においてＡβ前駆体タンパク質（ＡＰＰ）と称される、大きな膜貫通糖タンパク質の約３９〜４３アミノ酸断片として記載された。
【０００５】
Ａβは、特定の細胞内タンパク質と相互作用して、この相互作用により細胞障害が起こる。Ａβと相互作用すると考えられる細胞内タンパク質の例としては、小胞体関連アミロイド−β−ペプチド結合タンパク質（Ｅｎｄｏｐｌａｓｍｉｃ Ｒｅｔｉｃｕｌｕｍ−ａｓｓｏｃｉａｔｅｄ Ａｍｙｌｏｉｄ−（β−ｐｅｐｔｉｄｅ ｂｉｎｄｉｎｇ ｐｒｏｔｅｉｎ）（「ＥＲＡＢ」）及びＬ−３−ヒドロキシアシル−ＣｏＡ−デヒドロゲナーゼタイプＩＩ（Ｌ−３−Ｈｙｄｒｏｘｙａｃｙｌ−ＣｏＡ
Ｄｅｈｙｄｒｏｇｅｎａｓｅ Ｔｙｐｅ ＩＩ）（「ＨＡＤＨ２」）がある。
【０００６】
本明細書で使用される、「ＥＲＡＢ」とは、小胞体関連アミロイド−β−ペプチド結合タンパク質（Ｅｎｄｏｐｌａｓｍｉｃ Ｒｅｔｉｃｕｌｕｍ−ａｓｓｏｃｉａｔｅｄ Ａｍｙｌｏｉｄ−（−ｐｅｐｔｉｄｅ ｂｉｎｄｉｎｇ ｐｒｏｔｅｉｎ）を意味する。ＥＲＡＢは、Ａβに結合できるデヒドロゲナーゼ酵素として同定された［Ｙａｎ ｅｔ ａｌ．， Ｎａｔｕｒｅ， Ｖｏｌ．３８９， ｐｐ．６８９９５ （１９９７）］。本明細書で使用される、「ＨＡＤＨ２」とは、Ｌ−３−ヒドロキシアシル−ＣｏＡ−デヒドロゲナーゼタイプＩＩ（Ｌ−３−Ｈｙｄｒｏｘｙａｃｙｌ−Ｃｏ　Ｄｅｈｙｄｒｏｇｅｎａｓｅ Ｔｙｐｅ ＩＩ）を意味する。ＥＲＡＢと同様であると考えられる、ＨＡＤＨ２は、ミトコンドリアの脂肪酸β−酸化経路で明らかな役割のある新規なＬ−３−ヒドロキシアシル−ＣｏＡ−デヒドロゲナーゼとして独立して同定された［Ｈｅ ｅｔ ａｌ．， Ｊ． Ｂｉｏ． Ｃｈｅｍ． Ｖｏｌ． ２７３． Ｎｏ． １７， ｐｐ． １０７４１−１０７４６ （１９９８）］。「ＥＲＡＢ」、「ＨＡＤＨ２」及び「ＨＡＤＨ」は、アミロイド−β結合タンパク質を示すのに当該分野において交互に使用される。本願を通じて、「ＥＲＡＢまたはＨＡＤＨ２」ということばは、ＥＲＡＢ及びＨＡＤＨ２タンパク質、さらにはＥＲＡＢ及びＨＡＤＨ２遺伝子を示すのに使用される。
【０００７】
ＥＲＡＢまたはＨＡＤＨ２は、Ｌ−３−ヒドロキシアシル−ＣｏＡの可逆的な酸化を触媒するＮＡＤ＋に依存するデヒドロゲナーゼである。ヒトの短鎖Ｌ−３−ヒドロキシアシル−ＣｏＡ−デヒドロゲナーゼ遺伝子は、６個のエクソン及び５個のイントロンで構成され、染色体Ｘｐ１１．２に位置する［Ｈｅ ｅｔ ａｌ．， Ｊ． Ｂｉｏｌ． Ｃｈｅｍ．， Ｖｏｌ．２７３， ｐｐ．１０７４１−６ （１９９８）］。配列の比較から、ＥＲＡＢまたはＨＡＤＨ２は酵素の短鎖デヒドロゲナーゼ／レダクターゼ（「ＳＤＲ」）に属することが示される。ＥＲＡＢまたはＨＡＤＨ２は、ヒトの脳からクローニング、発現、精製され及びその特徴が明らかになった［Ｈｅ ｅｔ ａｌ．， Ｊ． Ｂｉｏｌ． Ｃｈｅｍ．， Ｖｏｌ．２７３， ｐｐ．１０７４１−６ （１９９８）］。ＥＲＡＢまたはＨＡＤＨ２のｍＲＮＡは、正常なヒト組織で至る所に発現する。これは、肝臓及び心臓で最も高いが、ＥＲＡＢまたはＨＡＤＨ２は正常な脳でも発現する。
【０００８】
実験による証拠から、ＥＲＡＢまたはＨＡＤＨ２がＡβペプチドと相互作用して、細胞障害を仲介できることが示唆される。例えば、小胞体及びミトコンドリアで一般的に見出される、ＥＲＡＢまたはＨＡＤＨ２は、Ａβペプチドの存在下で細胞の原形質膜画分に再分布することが示された［Ｙａｎ ｅｔ ａｌ．， Ｎａｔｕｒｅ， ｖｏｌ．３８９， ｐｐ．６８９−９５ （１９９７）］。同様にして、培養物における神経芽細胞腫細胞へのＡβの細胞障害効果が抗ＥＲＡＢまたは抗ＨＡＤＨ２抗体によって遮断できることが示された。ＥＲＡＢまたはＨＡＤＨ２及びＡβを過剰に発現する細胞は、モック（ｍｏｃｋ）でトランスフェクトされたコントロールに比べて、細胞障害性及び細胞ストレスの高いマーカーを示す；これに対して、ＥＲＡＢまたはＨＡＤＨ２の触媒的に不活性な変異体を過剰に発現する細胞はＡβ単独を過剰に発現するコントロールと同等で感受性がなかった［Ｙａｎ ｅｔ ａｌ．， Ｊ． Ｂｉｏｌ． Ｃｈｅｍ．， ｖｏｌ．２７４， ｐｐ． ２１４５−５６ （１９９９）］。さらに、Ａβ及びＥＲＡＢまたはＨＡＤＨ２の相互作用は、酸化還元酵素活性をアポプトシス及びアミロイド毒性双方と結びつける［Ｓｐｅｒｍａｎｎ ｅｔ ａｌ．， ＦＥＢＳ Ｌｅｔｔ， ４５１（３）， ｐｐ． ２３８−２４２ （１９９９）］。ゆえに、ＥＲＡＢまたはＨＡＤＨ２は、不適切な基質に作用して、恐らく毒性のあるアルデヒドを生じることによってＡβのニューロン内の障害性を仲介すると考えられる［Ｙａｎ ｅｔ ａｌ．， Ｊ． Ｂｉｏｌ． Ｃｈｅｍ．， ｖｏｌ．２７４， ｐｐ．２１４５−５６ （１９９９）］。
【０００９】
アルツハイマー病（ＡＤ）は、認識能の減退、痴呆、及び最終的には死に至る脳の進行性の神経消耗性疾患である。ＡＤは、例えば、患者の病歴、身体検査、記憶及び言語の技能を測定するテスト、遺伝的テスト、及び磁気共鳴映像（ＭＲＩ）により熟練した臨床医によって診断されうる。
【００１０】
ＡＤの発達及び脳内の神経細胞の外側の「Ａβ」の蓄積の間には強い関係が確立された［Ｓｔｏｒｅｙ ｅｔ ａｌ．， Ｎｅｕｒｏｐａｔｈｏｌｏｇｙ Ａｎｄ Ａｐｐｌｉｅｄ Ｎｅｕｒｏｂｉｏｌｏｇｙ， ｖｏｌ． ２５， ｐｐ．８１−９７ （１９９９）； Ｓｅｌｋｏｅ， Ａｎｎｕａｌ Ｒｅｖｉｅｗ ｏｆ Ｎｅｕｒｏｓｃｉｅｎｃｅ， ｖｏｌ． １７， ｐｐ． ４８９−５１７ （１９９４）； Ｓｍａｌｌ ｅｔ ａｌ．， Ｊｏｕｒｎａｌ ｏｆ Ｎｅｕｒｏｃｈｅｍｉｓｔｒｙ， ｖｏｌ．７３， ｐｐ．４４３−９ （１９９９）］。Ａβはまた、ＡＤの症状を示している細胞外プラークの主要な成分であり、このペプチド種は細胞内ターゲットによって結合することが示された［Ｙａｎ ｅｔ ａｌ．， Ｎａｔｕｒｅ， ｖｏｌ．３８９， ｐｐ．６８９−９５ （１９９７）］。凝集したＡβは培養物中でニューロン細胞に障害性があると考えられる。Ａβは、酸化窒素及び他の遊離ラジカルの生成によりインビトロではアポプトシスによる（ニューロンによる）細胞死を引き起こすことが報告された。Ａβはまた、蓄積して神経細胞の内側及び外側双方にプラークを形成することが報告された［Ｗｉｌｓｏｎ ｅｔ ａｌ．， Ｊｏｕｒｎａｌ ｏｆ Ｎｅｕｒｏｐａｔｈｏｌｏｇｙ Ａｎｄ Ｅｘｐｅｒｉｍｅｎｔａｌ Ｎｅｕｒｏｌｏｇｙ， ｖｏｌ．５８， ｐｐ．７８７−９４ （１９９９）］。これらのプラークはＡＤによって引き起こされる痴呆と強く関連すると考えられる。これらのプラークが脳に障害を与えうるやり方はいくつかある。これらが障害を生じ得る一つの方法としては、カルシウムチャンネルを破壊することによるものがある。これらはまた遊離ラジカルを生じた後、脳に障害を与えうる。プラークが脳内の神経細胞間で形成すると、免疫細胞の一つのタイプである、小グリア細胞が炎症を引き起こして、より神経ダメージを大きくする。
【００１１】
正常な脳では、ＥＲＡＢまたはＨＡＤＨ２抗原は、低レベルで存在し、主にニューロン中に局在する。しかしながら、ＡＤに罹患したニューロンでは、ＥＲＡＢまたはＨＡＤＨ２は、特にＡβの沈着付近で、ＡＤに罹患していない年齢が一致するコントロールに対して過剰に発現することが見出される［Ｙａｎ ｅｔ ａｌ．， Ｎａｔｕｒｅ， ｖｏｌ．３８９， ｐｐ．６８９−９５ （１９９７）］。また、ＥＲＡＢまたはＨＡＤＨ２は、酵素がまた基質としてエストロゲンを利用できるという知見に基づいて、脳内の神経保護エストロゲンレベルを減少することによってＡＤのＡβが関連する病因に寄与することもまた示唆された［Ｙａｎ ｅｔ ａｌ．， Ｊ． Ｂｉｏｌ． Ｃｈｅｍ．， ｖｏｌ．２７４， ｐｐ．２１４５−５６ （１９９９）； Ｈｅ ｅｔ ａｌ．， Ｊ． Ｂｉｏｌ． Ｃｈｅｍ．， ｖｏｌ．２７４， ｐｐ．１５０１４−９ （１９９８）］。
【００１２】
したがって、ＥＲＡＢまたはＨＡＤＨ２活性を調節または阻害する化合物及び組成物は、ＥＲＡＢまたはＨＡＤＨ２が介在する症状及び病気の処置に治療での有用性が見出される。治療用途に加えて、このようなＥＲＡＢまたはＨＡＤＨ２の阻害剤または調節剤は、正常な細胞機能において及びＡβの病因において双方でのＥＲＡＢまたはＨＡＤＨ２酵素の役割を描写するのに有用である。
【００１３】
様々なピラゾールまたはピリミジン誘導体がその薬理学的活性について報告された。例えば、欧州特許公報ＥＰ　０　４６３　７５６　Ａ１号及びＥＰ　０　５２６　００４　Ａ１号、ならびに米国特許第５，２７２，１４７号及び第５，４２６，１０７号には、選択的なｃＧＭＰ　ＰＤＥ阻害剤であることが報告される特定のピラゾール−［４，３−ｄ］ピリミジン−７−オン［ｐｙｒａｚｏｌ−［４，３−ｄ］ｐｙｒｉｍｉｄｉｎｅ−７−ｏｎｅ］化合物が開示される。国際公報ＷＯ　９６／１６６４４号、ＷＯ　９４／２８９０２号及びＷＯ　９８／４９１６６号には、インポテンツの処置への特定のピラゾロ［４，３−ｄ］ピリミジン−７−オン［ｐｙｒａｚｏｌｏ［４，３−ｄ］ｐｙｒｉｍｉｄｉｎｅ−７−ｏｎｅ］化合物の使用が開示される。米国特許第６，２０７，８２９号には、特定のピラゾロ［４，３−ｄ］ピリミジン−７−オン［ｐｙｒａｚｏｌｏ［４，３−ｄ］ｐｙｒｉｍｉｄｉｎｅ−７−ｏｎｅ］及びその中間体の製造方法が開示される。米国特許第６，１９７，７７４号には、一酸化窒素の形成を阻害する特定のピリミジン誘導体、およびアレルギー疾患へのこれの使用が報告される。米国特許第６，１９４，４１０号には、５ＨＴ−６レセプターに選択的な親和性を示し、精神病または精神分裂病等の中枢神経疾患の処置への使用に適することが報告される、スルファニル基を有する特定のピラゾロピリミジン（ｐｙｒａｚｏｌｏｐｙｒｉｍｉｄｉｎｅ）及びピラゾロトリアジン（ｐｙｒａｚｏｌｏｔｒｉａｚｉｎｅ）が記載される。米国特許第４，６６６，９０８号には、特定の５−置換ピラゾロ［４，３−ｄ］ピリミジン−７−オン［５−ｓｕｂｓｔｉｔｕｔｅｄ ｐｙｒａｚｏｌｏ［４，３−ｄ］ｐｙｒｉｍｉｄｉｎｅ−７−ｏｎｅ］化合物が開示される。米国特許第５，０４７，４０４号、第５，７０７，９９８号及び第５，２９４，６１１号には、それぞれ、特定の融合ピリミジン誘導体、ならびにキナゾリン及びキナゾリノン化合物が記載される。米国特許第５，２９４，６１２号、第５，６５６，６２９号及び第５，５４１，１８７号には、心臓血管疾患を処置することを目的とする６位置に置換基を有する特定のピラゾロ［４，３−ｄ］ピリミジン−４−オン［ｐｙｒａｚｏｌｏ［４，３−ｄ］ｐｙｒｉｍｉｄｉｎ−４−ｏｎｅ］化合物が開示される。米国特許第３，１６５，５２０号には、特定の冠状動脈を拡張するピラゾロ−［３，４−ｄ］−ピリミジン［ｐｙｒａｚｏｌｏ−［３，４−ｄ］−ｐｙｒｉｍｉｄｉｎｅ］化合物が開示される。
【００１４】
ＷＯ　００／７６９６９号には、特定のイソインドリン誘導体を使用したＡＤの処置方法が報告される。ＷＯ　００／７６９８７号及び００／７６９８８号には、特定のチアゾリジン誘導体を用いたＡＤの処置方法が報告される。
【００１５】
ＷＯ　９８／４０４８４号には、ＥＲＡＢまたはＨＡＤＨ２をコード化する単離された核酸、およびＡβへのＥＲＡＢまたはＨＡＤＨ２ポリペプチドの結合を阻害するのに有効な量のＥＲＡＢまたはＨＡＤＨ２阻害物質を投与することによる神経消耗性症状の処置方法が開示される。ＷＯ　９９／１８９８７号には、アドバンスグリカチオンエンドプロダクトに対するレセプター（ｒｅｃｅｐｔｏｒ ｆｏｒ ａｄｖａｎｃｅ ｇｌｙｃａｔｉｏｎ ｅｎｄ ｐｒｏｄｕｃｔ）（ＲＡＧＥ）のＶドメインの単離されたペプチドおよびニューロン細胞の変性を処置するためのＲＡＧＥとのＡβの相互作用の阻害を目的とするその使用が開示される。ＷＯ　０１／１２５９８号には、ＲＡＧＥの断片を用いることによる、細胞の表面でのＲＡＧＥへのアミロイドフィブリル等のβシートフィブリルの結合を阻害する方法が開示される。
【００１６】
発明の要約
一の一般的な態様においては、本発明は、下記式Ｉ：
【００１７】
【化２６】
2004506737.tif 000002
【００１８】
ただし、Ｘは、ＯまたはＳであり；
Ｙは、ＮまたはＣＨであり；
Ｒ６は、ＨまたはＯＨであり；ならびに
Ｒは、
【００１９】
【化２７】
2004506737.tif 000003
【００２０】
であり、この際、Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ２及びＲ３は、それぞれ独立して、水素またはアルキル、アルケニル、アルコキシ、アリール、ヘテロアリール、シクロアルキル、若しくはヘテロシクロアルキル基である、またはＲ２及びＲ３が結合しているＮ原子を有するＲ２及びＲ３が一緒に少なくとも一のＮ、Ｓ若しくはＯヘテロ原子を含む４−〜１０−員のヘテロシクロアルキル若しくはヘテロアリール基を形成し、この際、アルキル、アルケニル、アルコキシ、アリール、ヘテロアリール、シクロアルキル、またはヘテロシクロアルキル基は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される；
Ｒ４は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、シクロアルキル、ヘテロシクロアルキル、アリール若しくはヘテロアリール基であり；
Ｒ５は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、アリール、ヘテロアリール、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、シクロアルキル、ヘテロシクロアルキル、アリール若しくはヘテロアリール基であり；ならびに
Ｒ７は、水素またはＣ１−Ｃ３アルキル、ヒドロキシ若しくはＣ１−Ｃ３アルコキシ基である、
で表わされる化合物に関するものである。
【００２１】
一の好ましい実施態様においては、Ｒ２及びＲ３が結合しているＮ原子を有するＲ２及びＲ３は一緒に、
無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、Ｒａは、アルキル、ヘテロアルキル、アルケニル、及びアルキニルからなる群より選択され、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換される、下記式：
【００２２】
【化２８】
2004506737.tif 000004
【００２３】
を形成する。
【００２４】
他の好ましい実施態様においては、本発明は、下記式Ｉ：
【００２５】
【化２９】
2004506737.tif 000005
【００２６】
ただし、Ｒは、
【００２７】
【化３０】
2004506737.tif 000006
【００２８】
であり、この際、
（１）Ｘは、ＯまたはＳであり；
Ｙは、ＣＨであり；
Ｒ６は、ＨまたはＯＨであり；
Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯ−ＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルコキシ、アリルオキシ、アリール、ヘテロアリール、シクロアルキル若しくはヘテロシクロアルキル基である、
（２）Ｘは、ＯまたはＳであり；
Ｙは、Ｎであり；
Ｒ６は、ＯＨであり；
Ｒ１は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルコキシ、アリルオキシ、アリール、ヘテロアリール、シクロアルキル若しくはヘテロシクロアルキル基である；
（３）Ｘは、Ｓであり；
Ｙは、Ｎであり；
Ｒ６は、ＨまたはＯＨであり；
Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、水素または無置換である若しくはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルコキシ、アリルオキシ、アリール、ヘテロアリール、シクロアルキル若しくはヘテロシクロアルキル基である；
（４）Ｘは、Ｏであり；
Ｙは、Ｎであり；
Ｒ６は、Ｈであり；
Ｒ１は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルキル、アルケニル、アルキニル、アルコキシ、アリルオキシ、アリール、ヘテロアリール、シクロアルキル若しくはヘテロシクロアルキル基であり；
Ｒ７は、水素またはＣ１−Ｃ３アルキル、ヒドロキシ若しくはＣ１−Ｃ３アルコキシ基であり；ならびに
Ｒ８は、無置換であるまたはアルキル、ヘテロアルキル、ハロアルキル、ハロアリール、ハロシクロアルキル、ハロヘテロシクロアルキル、アリール、シクロアルキル、ヘテロシクロアルキル、ヘテロアリール、−ＮＯ２、−Ｎ−ＯＨ、Ｎ−ＯＲｃ、−ＣＮ、−（ＣＨ２）ｚ−ＣＮ、この際、ｚは０〜４の整数である、ハロゲン、−ＯＨ、−Ｏ−Ｒａ−Ｏ−、−ＯＲｂ、−ＣＯ−Ｒｃ、Ｏ−ＣＯ−Ｒｃ、−ＣＯ−ＯＲｃ、−Ｏ−ＣＯ−ＯＲｃ、−Ｏ−ＣＯ−Ｏ−ＣＯ−Ｒｃ、−Ｏ−ＯＲｃ、＝Ｏ、＝Ｓ、ＳＯ２−Ｒｃ、−ＳＯ−Ｒｃ、−ＮＲｄＲｅ、−ＣＯ−ＮＲｄＲｅ、−Ｏ−ＣＯ−ＮＲｄＲｅ、−ＮＲｃ−ＣＯ−ＮＲｄＲｅ、−ＮＲｃ−ＣＯ−Ｒｅ、ＮＲｃ−ＣＯ−ＯＲｅ、−ＣＯ−ＮＲｃ−ＣＯ−Ｒｄ、−Ｏ−ＳＯ２−Ｒｃ、−Ｏ−ＳＯ−Ｒｃ、−Ｏ−Ｓ−Ｒｃ、−Ｓ−ＣＯ−Ｒｃ、−ＳＯ−ＣＯ−ＯＲｃ、−ＳＯ２−ＣＯ−ＯＲｃ、−Ｏ−ＳＯ３、−ＮＲｃ−ＳＲｄ、−ＮＲｃ−ＳＯ−Ｒｄ、ＮＲｃ−ＳＯ２−Ｒｄ、−ＣＯ−ＳＲｃ、−ＣＯ−ＳＯ−Ｒｃ、ＣＯＳＯ２−Ｒｃ、−ＣＳ−Ｒｃ、−ＣＳＯ−Ｒｃ、−ＣＳＯ２−Ｒｃ、−ＮＲｃ−ＣＳ−Ｒｄ、−Ｏ−ＣＳ−Ｒｃ、−Ｏ−ＣＳＯ−Ｒｃ、Ｏ−ＣＳＯ２−Ｒｃ、−ＳＯ２−ＮＲｄＲｅ、−ＳＯ−ＮＲｄＲｅ、−Ｓ−ＮＲｄＲｅ、−ＮＲｄ−ＣＳＯ２−Ｒｄ、−ＮＲｃ−ＣＳＯ−Ｒｄ、ＮＲｃ−ＣＳ−Ｒｄ、−ＳＨ、−Ｓ−Ｒｂ、及び−ＰＯ２−ＯＲｃ、この際、アルキル、ヘテロアルキル、アルケニル、及びアルキニル、Ｒｂは、アルキル、ヘテロアルキル、ハロアルキル、アルケニル、アルキニル、−ＣＯ−Ｒｃ、−ＣＯ−ＯＲｃ、−Ｏ−ＣＯ−Ｏ−Ｒｃ、−Ｏ−ＣＯ−Ｒｃ、−ＮＲｃ−ＣＯ−Ｒｄ、−ＣＯ−ＮＲｄＲｅ、−ＯＨ、Ａｒ、ヘテロアリール、ヘテロシクロアルキル、及びシクロアルキルからなる群より選択され、ならびにＲｃ、Ｒｄ及びＲｅは、それぞれ独立して、水素、アルキル、ヘテロアルキル、ハロアルキル、アルケニル、アルキニル、−ＣＯＲｆ、−ＣＯＯＲｆ、−Ｏ−ＣＯ−Ｏ−Ｒｆ、−Ｏ−ＣＯ−Ｒｆ、−ＯＨ、Ａｒ、ヘテロアリール、シクロアルキル、及びヘテロシクロアルキルからなる群より選択され、この際、Ｒｄ及びＲｅは、環化してヘテロアリールまたはヘテロシクロアルキル基を形成してもよく、およびＲｆは、水素、アルキル、及びヘテロアルキルからなる群より選択され、この際、上記置換基中に存在するアルキル、ヘテロアルキル、アルキレン、アリール、シクロアルキル、ヘテロシクロアルキル、またはヘテロアリール部分は、ＮＯ２、−ＣＮ、−（ＣＨ２）ｚ−ＣＮ、この際、ｚは０〜４の整数である、ハロゲン、ハロアルキル、ハロアリール、−ＯＨ、＝Ｏ、−Ｎ−ＯＨ、Ｎ−ＯＲｃ、−ＮＲｄＲｅ、−ＣＯ−ＮＲｄＲｅ、−ＣＯ−ＯＲｃ、−ＣＯ−Ｒｃ、−ＮＲｃ−ＣＯ−ＮＲｄＲｅ、−Ｃ−ＣＯ−ＯＲｃ、−ＮＲｃ−ＣＯ−Ｒｄ、−Ｏ−ＣＯ−Ｏ−Ｒｃ、Ｏ−ＣＯ−ＮＲｄＲｅ、−ＳＨ、−Ｏ−Ｒｂ、−Ｏ−Ｒａ−Ｏ−、−Ｓ−Ｒｂ、ならびに無置換のアルキル、無置換のアリール、無置換のシクロアルキル、無置換のヘテロシクロアルキル、及び無置換のヘテロアリールからなる群より独立して選択される一以上の置換基でさらに置換されてもよく、この際Ｒａ、Ｒｂ、Ｒｃ、Ｒｄ、及びＲｅは上記と同様の定義である、からなる群より独立して選択される一以上の置換基で置換されるアルケニル、アルコキシ、アリルオキシ、アリール、ヘテロアリール、シクロアルキルまたはヘテロシクロアルキル基である、
で表わされる化合物に関するものである。
【００２９】
本発明はまた、式Ｉの化合物の製薬上許容できるプロドラッグ、製薬上活性のある代謝産物、及び製薬上許容できる塩、ならびにこのような活性のある代謝産物の製薬上許容できる塩に関するものである。式Ｉの化合物、塩、プロドラッグ、代謝産物及びこの塩は、一括して「ＥＲＡＢまたはＨＡＤＨ２阻害剤」と称する。
【００３０】
本発明はさらに、ＥＲＡＢまたはＨＡＤＨ２活性を調節または阻害する必要のある患者に、治療上有効な量の一以上のＥＲＡＢまたはＨＡＤＨ２阻害剤を投与することを有する、ＥＲＡＢまたはＨＡＤＨ２活性の調節または阻害方法を提供するものである。
【００３１】
本発明はまた、特定の癌及び進行性神経変性疾患等の、ＥＲＡＢ、ＨＡＤＨ２またはアミロイド−βが仲介する疾患の処置が必要である患者に、治療上有効な量の一以上のＥＲＡＢまたはＨＡＤＨ２阻害剤を投与することを有する、このような疾患の処置方法を提供するものである。
【００３２】
本発明はまた、例えば、ＡＤまたは関連Ａβ−仲介痴呆中に存在するＡβ−リッチな環境でのＥＲＡＢまたはＨＡＤＨ２が仲介するニューロンの機能障害（ｎｅｕｒｏｎａｌ ｄｙｓｆｕｎｃｔｉｏｎ）または細胞障害（ｃｙｔｏｔｏｘｉｃｉｔｙ）の処置が必要である患者に、治療上有効な量の一以上のＥＲＡＢまたはＨＡＤＨ２阻害剤を投与することを有する、このような機能障害または細胞障害の処置方法を提供するものである。
【００３３】
本発明の他の態様としては、本発明のＥＲＡＢまたはＨＡＤＨ２阻害剤を、アミロイド−βが仲介するまたはＥＲＡＢ若しくはＨＡＤＨ２が仲介する疾患に関する他の既知の処置と組み合わせて投与することを有する、アミロイド−βが仲介するまたはＥＲＡＢ若しくはＨＡＤＨ２が仲介する疾患または症状の処置を目的とする併用療法がある。
【００３４】
また、本発明によると、一以上のＥＲＡＢまたはＨＡＤＨ２阻害剤および製薬上許容できる担体、希釈剤または賦形剤を含む薬剤組成物が提供される。
【００３５】
本発明のさらなる態様、特徴、実施態様及び利点は、以下の説明から明らかであろうし、または本発明を実施若しくは使用することから習得されるかもしれない。
【００３６】
本発明の詳細な説明
本明細書で使用される、ＥＲＡＢ、ＨＡＤＨ２またはアミロイド−βが仲介する疾患（ｄｉｓｅａｓｅ）及び症状（ｃｏｎｄｉｔｉｏｎ）は、例えば、アルツハイマー病（ＡＤ）または関連Ａβ−仲介痴呆（ｒｅｌａｔｅｄ Ａ（−ｍｅｄｉａｔｅｄ ｄｅｍｅｎｔｉａ）等の進行性神経変性疾患、ならびに乳癌及び子宮内膜癌等の特定の癌を包含すると解される（Ｈｅ ｅｔ ａｌ．， Ｊ． Ｂｉｏｌ． Ｃｈｅｍ．， ２７４（２１）， １５０１４−１５０１９ （１９９９）を参照）。
【００３７】
当該分野において使用される規則によると、下記シンボル：
【００３８】
【外１】
2004506737.tif 000007
【００３９】
は、メチル基を表わし、下記シンボル：
【００４０】
【外２】
2004506737.tif 000008
【００４１】
は、エチル基を表わし、下記シンボル：
【００４２】
【外３】
2004506737.tif 000009
【００４３】
は、シクロペンチル基を表わすなどである。
【００４４】
「を有する」及び「を含む」ということばは、開かれた、制限のない意味で本明細書中では使用される。
【００４５】
本明細書で使用される「アルキル」ということばは、１〜１２炭素原子を有する直鎖及び分岐鎖のアルキル基を意味する。例えば、アルキル基としては、メチル（Ｍｅ）、エチル、ｎ−プロピル、イソプロピル、ブチル、イソブチル、ｓｅｃ−ブチル、ｔｅｒｔ−ブチル（ｔＢｕ）、ペンチル、イソペンチル、ｔｅｒｔ−ペンチル、ヘキシル、イソヘキシルなどが挙げられる。
【００４６】
本明細書で使用される「ヘテロアルキル」ということばは、Ｓ、Ｏ、及びＮから選択される一以上のヘテロ原子を含む１〜１２炭素原子を有する直鎖及び分岐鎖のアルキル基を意味する。
【００４７】
「アルケニル」ということばは、１〜１２炭素原子を有する直鎖及び分岐鎖のアルケニル基を意味する。アルケニルの例としては、プロポ−２−エニル（ｐｒｏｐ−２−ｅｎｙｌ）、ブト−２−エニル（ｂｕｔ−２−ｅｎｙｌ）、ブト−３−エニル（ｂｕｔ−３−ｅｎｙｌ）、２−メチルプロポ−２−エニル（２−ｍｅｔｈｙｌｐｒｏｐ−２−ｅｎｙｌ）、ヘキソ−２−エニル（ｈｅｘ−２−ｅｎｙｌ）などが挙げられる。「アリルオキシ」ということばは、ＣＨ２＝ＣＨＣＨ２−Ｏ−であり上記定義と同様のアルケニル基を意味する。
【００４８】
「アルキニル」ということばは、１〜１２炭素原子を有する直鎖及び分岐鎖のアルキニル基を意味する。アルキニルの例としては、プロポ−２−イニル（ｐｒｏｐ−２−ｙｎｙｌ）、ブト−２−イニル（ｂｕｔ−２−ｙｎｙｌ）、ブト−３−イニル（ｂｕｔ−３−ｙｎｙｌ）、２−メチルブト−２−イニル（２−ｍｅｔｈｙｌｂｕｔ−２−ｙｎｙｌ）、ヘキソ−２−イニル（ｈｅｘ−２−ｙｎｙｌ）などが挙げられる。
【００４９】
「アリール」（Ａｒ）ということばは、炭素及び水素のみを含む単環及び多環式の芳香環構造物を意味する。アリール基の具体的な例ととしては、以下の部分が挙げられる。
【００５０】
【化３１】
2004506737.tif 000010
【００５１】
「ヘテロアリール」（ヘテロＡｒ）ということばは、窒素、酸素及び硫黄から選択される一以上のヘテロ原子を含む単環及び多環式の芳香環構造物を意味する。多環式のヘテロアリール基は、融合していてもあるいは融合していなくてもよい。アリール基の具体的な例ととしては、下記部分が挙げられる。
【００５２】
【化３２】
2004506737.tif 000011
【００５３】
「シクロアルキル」ということばは、２環式及び３環式のシクロアルキル構造物などの、３〜１２炭素原子を有する飽和の炭素環を意味する。シクロアルキル基の具体的な例としては、下記部分が挙げられる。
【００５４】
【化３３】
2004506737.tif 000012
【００５５】
「ヘテロシクロアルキル」基は、飽和であってもまたは不飽和であってもよく、炭素及びヘテロ原子から選択される３〜１２環原子を含む単環及び多環式のラジカルを意味し、好ましくは４または５炭素原子であり、ならびに窒素、酸素及び硫黄から選択される少なくとも一のヘテロ原子を有する。ラジカルは、アリールまたはヘテロアリールと融合していてもよい。ヘテロシクロアルキル基の具体的な例ととしては、下記が挙げられる。
【００５６】
【化３４】
2004506737.tif 000013
【００５７】
ただし、Ａは、アリールまたはヘテロアリール基であり、ｐ及びｑは、それぞれ独立して、Ｏ、Ｎ、またはＳ（すべての組み合わせ）であり、ならびにｎは、１、２、３、または４である。
【００５８】
ヘテロシクロアルキル基の別の具体的な例ととしては、下記が挙げられる。
【００５９】
【化３５】
2004506737.tif 000014
【００６０】
「アルコキシ」ということばは、Ｒが上記と同様の定義であるアルキルであるラジカル−Ｏ−Ｒを意味する。アルコキシ基の例としては、メトキシ、エトキシ、プロポキシなどが挙げられる。
【００６１】
「ハロゲン」ということばは、塩素、フッ素、臭素またはヨウ素を表わす。「ハロ」ということばは、クロロ、フルオロ、ブロモまたはヨードを表わす。「ハロアルキル」ということばは、一以上のクロロ、フルオロ、ブロモ若しくはヨード原子（またはこれらの組み合わせ）を含む上記と同様の定義であるアルキル基を意味する。「ハロアリール」ということばは、一以上のクロロ、フルオロ、ブロモ若しくはヨード原子（またはこれらの組み合わせ）を含む上記と同様の定義であるアリール基を意味する。「ハロシクロアルキル」ということばは、一以上のクロロ、フルオロ、ブロモ若しくはヨード原子（またはこれらの組み合わせ）を含む上記と同様の定義であるシクロアルキル基を意味する。「ハロヘテロシクロアルキル」ということばは、一以上のクロロ、フルオロ、ブロモ若しくはヨード原子（またはこれらの組み合わせ）を含む上記と同様の定義であるヘテロシクロアルキル基を意味する。
【００６２】
「アルコール」ということばは、Ｒが上記と同様の定義であるアルキル、アルケニル、アルキニル、Ａｒ、ヘテロアリール、ヘテロシクロアルキル、またはシクロアルキルである、ラジカル−Ｒ−ＯＨを意味する。アルコールの例としては、メタノール、エタノール、プロパノール、フェノールなどが挙げられる。
【００６３】
「アシル」ということばは、Ｒが上記と同様の定義であるアルキル、アルケニル、アルキニル、Ａｒ、ヘテロアリール、ヘテロシクロアルキル、またはシクロアルキルである、−Ｃ（Ｏ）Ｒ、−Ｃ（Ｏ）ＯＲ、−ＯＣ（Ｏ）Ｒまたは−ＯＣ（Ｏ）ＯＲを表わす。
【００６４】
「アミド」ということばは、Ｒ’及びＲ”がそれぞれ独立して水素、−ＯＨおよび上記と同様の定義であるアルキル、アルケニル、アルキニル、アルコキシ、シクロアルキル、ヘテロシクロアルキル、ヘテロアリール、アリール基から選択される；またはＲ’及びＲ”が窒素と共に環化して上記と同様の定義であるヘテロシクロアルキルまたはヘテロアリールを形成する、ラジカル−Ｃ（Ｏ）Ｎ（Ｒ’）（Ｒ”）を意味する。
【００６５】
本明細書で使用される「置換される」ということばは、問題となる基が一以上の置換基を有していてもよいことを意味する。置換基自体が本発明の合成方法と適合しない場合には、置換基をこれらの方法で使用される反応条件に適合する適当な保護基で保護してもよい。保護基は、方法の反応順序の適当なポイントで除去されて、所望の中間体またはターゲット化合物を提供してもよい。適当な保護基ならびにこのような適当な保護基を用いた異なる置換基の保護及び脱保護方法は、当業者に知られている；例えば、Ｔ． Ｇｒｅｅｎｅ ａｎｄ Ｐ． Ｗｕｔｓ， Ｐｒｏｔｅｃｔｉｎｇ Ｇｒｏｕｐｓ ｉｎ Ｃｈｅｍｉｃａｌ Ｓｙｎｔｈｅｓｉｓ （３ｒｄ ｅｄ．）， Ｊｏｈｎ Ｗｉｌｅｙ ＆ Ｓｏｎｓ， ＮＹ （１９９９）に見出され、これは参考によって完全に本明細書中に引用される。場合によっては、置換基は、本発明の方法に使用される反応条件下で反応性を有するように特異的に選択されてもよい。このような場合には、反応条件によって、選択された置換基は、本発明の方法における中間化合物に有用であるまたはターゲット化合物における所望の置換基である他の置換基に変換される。
【００６６】
本発明の好ましい化合物としては、下記化合物、さらには下記実施例で記載される他の化合物が挙げられる。
【００６７】
【化３６】
2004506737.tif 000015
【００６８】
2004506737.tif 000016
【００６９】
2004506737.tif 000017
【００７０】
2004506737.tif 000018
【００７１】
2004506737.tif 000019
【００７２】
2004506737.tif 000020
【００７３】
2004506737.tif 000021
【００７４】
2004506737.tif 000022
【００７５】
2004506737.tif 000023
【００７６】
2004506737.tif 000024
【００７７】
2004506737.tif 000025
【００７８】
ＥＲＡＢまたはＨＡＤＨ２阻害剤によっては、様々な立体異性または互変異性の形態で存在してもよい。本発明は、単一の純粋な鏡像異性体（即ち、他の立体異性体を実質的に含まない）、ラセミ体、鏡像異性体および／またはジアステレオマー、および／または互変異性体の混合物の形態を有する活性のある化合物などの、すべてのこのような物質を包含する。好ましくは、光学活性を有するＥＲＡＢまたはＨＡＤＨ２阻害剤は、光学的に純粋な形態で使用される。
【００７９】
当業者には通常理解されるように、１つのキラル中心（即ち、１つの不斉炭素原子）を有する光学的に純粋な化合物は、２つの可能性のある鏡像異性体の一方から実質的に構成される（即ち、鏡像異性的に純粋である）ものであり、また、１超のキラル中心を有する光学的に純粋な化合物は、ジアステレオマー的に純粋でありかつ鏡像異性的に純粋であるものである。
【００８０】
好ましくは、本発明の化合物は、少なくとも９０％の光学的に純粋である形態、即ち、少なくとも９０％（８０％鏡像体過剰率（ｅｎａｎｔｉｏｍｅｒｉｃ ｅｘｃｅｓｓ）（“ｅ．ｅ．”）またはジアステレオマー過剰率（ｄｉａｓｔｅｒｅｏｍｅｒｉｃ ｅｘｃｅｓｓ）（“ｄ．ｅ．”））、より好ましくは少なくとも９５％（９０％ｅ．ｅ．またはｄ．ｅ．）、さらにより好ましくは少なくとも９７．５％（９５％ｅ．ｅ．またはｄ．ｅ．）、および最も好ましくは少なくとも９９％（９８％ｅ．ｅ．またはｄ．ｅ．）の単一の異性体を含む形態である。
【００８１】
さらに、式は、同定された化合物の溶媒化（ｓｏｌｖａｔｅｄ）さらには非溶媒化（ｕｎｓｏｌｖａｔｅｄ）形態を包含するものである。例えば、式Ｉは、水化（ｈｙｄｒａｔｅｄ）及び非水化（ｕｎｈｙｄｒａｔｅｄ）形態双方の示された構造を有する化合物を包含する。溶媒和化合物のさらなる例としては、イソプロパノール、エタノール、メタノール、ＤＭＳＯ、酢酸エチル、酢酸、またはエタノールアミンと会合する（ａｓｓｏｃｉａｔｅｄ ｗｉｔｈ）式Ｉの化合物が挙げられる。
【００８２】
「製薬上許容できる」ということばは、ＥＲＡＢまたはＨＡＤＨ２阻害剤を投与される被検者にとって薬理学的に許容でき、実質的に無毒であることを意味する。
【００８３】
「製薬上許容できるプロドラッグ」は、生理学的な条件下でまたはインビボの加溶媒分解によって特定の化合物にまたはこのような化合物の製薬上許容できる塩に変換される化合物である。「製薬上活性のある代謝産物」は、特定の化合物またはその塩の体内での代謝を介して生産される製薬上活性のある産物を意味するものである。化合物のプロドラッグ及び活性のある代謝産物は、当該分野において既知の定常的な技術を用いて同定される。例えば、Ｂｅｒｔｏｌｉｎｉ ｅｔ ａｌ．， Ｊ． Ｍｅｄ． Ｃｈｅｍ．， ４０， ２０１１−２０１６ （１９９７）； Ｓｈａｎ ｅｔ ａｌ．， Ｊ． Ｐｈａｒｍ． Ｓｃｉ．， ８６ （７）， ７６５−７６７； Ｂａｇｓｈａｗｅ， Ｄｒｕｇ Ｄｅｖ． Ｒｅｓ．， ３４， ２２０−２３０ （１９９５）； Ｂｏｄｏｒ， Ａｄｖａｎｃｅｓ ｉｎ Ｄｒｕｇ Ｒｅｓ．， １３， ２２４−３３１ （１９８４）； Ｂｕｎｄｇａａｒｄ， Ｄｅｓｉｇｎ ｏｆ Ｐｒｏｄｒｕｇｓ （Ｅｌｓｅｖｉｅｒ Ｐｒｅｓｓ １９８５）； Ｌａｒｓｅｎ， Ｄｅｓｉｇｎ ａｎｄ Ａｐｐｌｉｃａｔｉｏｎ ｏｆ Ｐｒｏｄｒｕｇｓ， Ｄｒｕｇ Ｄｅｓｉｇｎ ａｎｄ Ｄｅｖｅｌｏｐｍｅｎｔ　（Ｋｒｏｇｓｇａａｒｄ−Ｌａｒｓｅｎ ｅｔ ａｌ．， ｅｄｓ．， Ｈａｒｗｏｏｄ Ａｃａｄｅｍｉｃ Ｐｕｂｌｉｓｈｅｒｓ， １９９１）； Ｄｅａｒ ｅｔ ａｌ．， Ｊ． Ｃｈｒｏｍａｔｏｇｒ． Ｂ， ７４８， ２８１−２９３ （２０００）； Ｓｐｒａｕｌ ｅｔ ａｌ．， Ｊ． Ｐｈａｒｍａｃｅｕｔｉｃａｌ ＆ Ｂｉｏｍｅｄｉｃａｌ Ａｎａｌｙｓｉｓ， Ｖｏｌ． １０， Ｎｏ． ８， ６０１−６０５ （１９９２）； 及び Ｐｒｏｘ ｅｔ ａｌ．， Ｘｅｎｏｂｉｏｌ， Ｖｏｌ． ３， Ｎｏ． ２， １０３−１１２ （１９７３）を参照。
【００８４】
「製薬上許容できる塩」は、特定の化合物の遊離酸及び塩基の生物学的な有効性を保持し、生物学的にまたは他の点で望ましくなくない塩を意味するものである。ＥＲＡＢまたはＨＡＤＨ２阻害剤は、十分酸性の、十分塩基性のまたは双方の機能を有する基を有していてもよく、従って、数多くの無機または有機塩基、ならびに無機及び有機酸のいずれかと反応して、製薬上許容できる塩を形成してもよい。製薬上許容できる塩の例としては、硫酸塩、ピロ硫酸塩（ｐｙｒｏｓｕｌｆａｔｅ）、重硫酸塩、亜硫酸塩、亜硫酸水素塩、リン酸塩、一水素リン酸塩（ｍｏｎｏｈｙｄｒｏｇｅｎｐｈｏｓｐｈａｔｅ）、二水素リン酸塩（ｄｉｈｙｄｒｏｇｅｎｐｈｏｓｐｈａｔｅ）、メタリン酸塩、ピロリン酸塩、塩化物、臭化物、ヨウ化物、酢酸塩、プロピオン酸塩、デカン酸塩、カプリル酸塩、アクリル酸塩、ギ酸塩、イソ酪酸塩、カプロン酸塩、ヘプタン酸塩、プロピオレート（ｐｒｏｐｉｏｌａｔｅ）、シュウ酸塩、マロン酸塩、コハク酸塩、スベリン酸塩、セバシン酸塩、フマル酸塩、マレイン酸塩、ブチン−１，４−ジオエート（ｂｕｔｙｎｅ−１，４−ｄｉｏａｔｅ）、ヘキシン−１，６−ジオエート（ｈｅｘｙｎｅ−１，６−ｄｉｏａｔｅ）、安息香酸塩、クロロ安息香酸塩（ｃｈｌｏｒｏｂｅｎｚｏａｔｅ）、メチル安息香酸塩（ｍｅｔｈｙｌｂｅｎｚｏａｔｅｓ）、ジニトロ安息香酸塩（ｄｉｎｉｔｒｏｂｅｎｚｏａｔｅ）、ヒドロキシ安息香酸塩（ｈｙｄｒｏｘｙｂｅｎｚｏａｔｅｓ）、メトキシ安息香酸塩（ｍｅｔｈｏｘｙｂｅｎｚｏａｔｅ）、フタル酸塩、スルホン酸塩、キシレンスルホン酸塩、フェニルアセテート、フェニルプロピオネート、フェニルブチレート、クエン酸塩、乳酸塩、γ−ヒドロキシブチレート、グリコール酸塩、酒石酸塩、メタン−スルホン酸塩、プロパンスルホン酸塩、ナフタレン−１−スルホン酸塩、ナフタレン−２−スルホン酸塩、及びマンデル酸塩等の塩などの、鉱若しくは有機酸または無機酸との本発明の化合物の反応によって調製されるこれらの塩が挙げられる。
【００８５】
ＥＲＡＢまたはＨＡＤＨ２阻害化合物が塩基である場合には、所望の製薬上許容できる塩は、当該分野において利用できる適当な方法、例えば、遊離塩基の、塩酸、臭化水素酸、硫酸、スルファミン酸、硝酸、リン酸等の、無機酸による、または酢酸、フェニル酢酸、プロピオン酸、ステアリン酸、乳酸、アスコルビン酸、マレイン酸、ヒドロキシマレイン酸、イセチオン酸、コハク酸、マンデル酸、フマル酸、マロン酸、ピルビン酸、シュウ酸、グリコール酸、サリチル酸、グルクロン酸若しくはガラクツロン酸等の、ピラノシジン酸（ｐｙｒａｎｏｓｉｄｙｌ ａｃｉｄ）、クエン酸若しくは酒石酸等の、α−ヒドロキシ酸、アスパラギン酸若しくはグルタミン酸等のアミノ酸、安息香酸、２−アセトキシ安息香酸若しくはケイ皮酸等の、芳香族酸、ｐ−トルエンスルホン酸、メタンスルホン酸若しくはエタンスルホン酸等の、スルホン酸などの有機酸による処理によって調製されてもよい。
【００８６】
ＥＲＡＢまたはＨＡＤＨ２阻害物質が酸である場合には、所望の製薬上許容できる塩は、適当な方法、例えば、遊離酸の、アミン（第１級、第２級若しくは第３級）、アルカリ金属水酸化物またはアルカリ土類金属水酸化物などの、無機または有機塩基による処理によって調製されてもよい。適当な塩の具体的な例としては、グリシン及びアルギニン等の、アミノ酸、アンモニア、炭酸塩、重炭酸塩、第１級、第２級及び第３級アミン、ならびにベンジルアミン、ピロリジン、ピペリジン、モルホリン及びピペラジン等の、環状アミン由来の有機塩、ならびにナトリウム、カルシウム、カリウム、マグネシウム、マンガン、鉄、銅、亜鉛、アルミニウム及びリチウム由来の無機塩が挙げられる。
【００８７】
固体である化合物の場合には、ＥＲＡＢまたはＨＡＤＨ２阻害剤及び塩は様々な結晶性または多形性の形態で存在してもよいと当業者に理解され、これらすべては本発明の概念及び特定の式に含まれると解される。
【００８８】
ＥＲＡＢまたはＨＡＤＨ２を調節または阻害する化合物が望ましく、本発明の好ましい一実施態様である。本発明はさらに、有効量の一以上のＥＲＡＢまたはＨＡＤＨ２阻害剤を投与することによる、例えば、哺乳動物における、ＥＲＡＢまたはＨＡＤＨ２の調節または阻害方法に関するものである。ＥＲＡＢまたはＨＡＤＨ２のインヒビター（ｉｎｈｉｂｉｔｏｒ）としてのＥＲＡＢまたはＨＡＤＨ２阻害剤（ｉｎｈｉｂｉｔｉｎｇ ａｇｅｎｔ）の活性は、インビボおよび／またはインビトロのアッセイなどの、当業者に使用される方法によって測定されてもよい。活性測定のための適当なアッセイの例としては、Ｂｉｎｓｔｏｃｋ ｅｔ ａｌ．， Ｍｅｔｈｏｄｓ Ｅｎｚｙｍｏｌ． ７１， ４０３−４１１ （１９８１）に記載されるものがある。
【００８９】
本発明のＥＲＡＢまたはＨＡＤＨ２阻害剤は、６００μＭ以下のＥＲＡＢ活性に対するＩＣ５０を有することが好ましい。より好ましくは、本発明のＥＲＡＢまたはＨＡＤＨ２阻害剤は、５０μＭ以下のＥＲＡＢ活性に対するＩＣ５０を有する。最も好ましくは、本発明のＥＲＡＢまたはＨＡＤＨ２阻害剤は、３．０μＭ以下のＥＲＡＢ活性に対するＩＣ５０を有する。
【００９０】
治療上「有効な量」は、このような処置が必要である哺乳動物に投与される際に、本明細書中で規定される、処置を行なうのに十分である化合物の量を意味するものである。ゆえに、例えば、式Ｉの化合物、これらの塩、活性のある代謝産物またはプロドラッグの治療上有効な量は、その活性が仲介する疾患症状が抑制されるまたは軽減されるようにＥＲＡＢの活性を調節または阻害するのに十分な量である。このような量に相当するであろう所定の化合物の量は、特定の化合物、疾患症状及びその重篤度、処置する必要のある哺乳動物の個人情報（例えば、体重）等の要素によって変化するであろうが、当業者によって定常的に決定できる。同様にして、処置の期間及び化合物の投与期間は、処置する必要のある哺乳動物の個人情報（例えば、体重）、特定の化合物及びその性質（例えば、薬剤特性）、疾患または症状及び病気の重篤度ならびに使用される特定の組成物及び方法に従って異なるであろうが、当業者によって決定できる。
【００９１】
「処置している（ｔｒｅａｔｉｎｇ）」、「処置する（ｔｒｅａｔ）」及び「処置（ｔｒｅａｔｍｅｎｔ）」ということばは、哺乳動物、特にヒトにおけるＥＲＡＢ、ＨＡＤＨ２、またはアミロイド−βが仲介する疾患または症状の処置を意味し、これらとしては、（ｉ）処置が病的な症状に対する予防的な処置を構成するように、その症状に罹患しやすい被検者、例えば、Ａβペプチドが蓄積した被検者でその疾患若しくは症状が発症しないように防止する；（ｉｉ）その疾患若しくは症状を調節または阻害する、即ち、その発達を阻止する；（ｉｉｉ）その疾患若しくは症状を軽減する、即ち、その疾患若しくは症状を退行させる；または（ｉｖ）疾患若しくは症状またはその疾患若しくは症状から生じる兆候を軽減（ｒｅｌｉｅｖｉｎｇ）および／または緩和する（ａｌｌｅｖｉａｔｉｎｇ）、例えば、現在の（ｕｎｄｅｒｌｉｎｉｎｇ）疾患若しくは症状を進行させる（ａｄｄｒｅｓｓｉｎｇ）ことなく炎症反応を軽減することが挙げられる。
【００９２】
ＥＲＡＢまたはＨＡＤＨ２阻害剤は、以下に記載されるようにな薬剤組成物中に配合されてもよい。加えて、ＥＲＡＢまたはＨＡＤＨ２阻害剤は、単独であるいはＥＲＡＢ若しくはＨＡＤＨ２を調節若しくは阻害するまたはＥＲＡＢ若しくはＨＡＤＨ２が仲介する疾患若しくは症状を処置するのに有効である他の化合物と組み合わせて投与されてもよい。例えば、ＥＲＡＢまたはＨＡＤＨ２阻害剤は、エストロゲン、ＮＳＡＩＤＳ、リスペリドン（ｒｉｓｐｅｒｉｄｏｎｅ）、チオベンゾジアゼピン（ｔｈｉｏｂｅｎｚｏｄｉａｚｅｐｉｎｅ）、アンパカイン（ａｍｐａｋｉｎｅ）、［Ｎ−（２，６−ジメチルフェニル）−２−（２−オキソ−１−ピロリジニル）アセトアミド［［Ｎ−（２，６−ｄｉｍｅｔｈｙｌｐｈｅｎｙｌ）−２−（２−ｏｘｏ−１−ｐｙｒｒｏｌｉｄｉｎｙｌ）ａｃｅｔａｍｉｄｅ］、ＤＭ９３８４、コリンエステラーゼ阻害剤、ドネペジル塩酸塩（ｄｏｎｅｐｅｚｉｌ ｈｙｄｒｏｃｈｌｏｒｉｄｅ）、リバスティグマイン酒石酸塩（ｒｉｖａｓｔｉｇｍｉｎｅ ｔａｒｔｒａｔｅ）、ガランタマイン（ｇａｌａｎｔａｍｉｎｅ）、ＮＧＦ、及びメトリホネート（ｍｅｔｒｉｆｏｎａｔｅ）等の、ＥＲＡＢ、ＨＡＤＨ２またはアミロイド−βが仲介する疾患または症状を処置するのに使用される他の薬剤と組み合わせて投与されてもよい。
【００９３】
本発明の薬剤組成物は、有効量の一以上のＥＲＡＢまたはＨＡＤＨ２阻害剤および、必要であれば、不活性な製薬上許容できる担体または希釈剤を含む。一実施態様においては、薬剤組成物は、ＥＲＡＢまたはＨＡＤＨ２の調節または阻害を含む治療利点が得られるように有効レベルのＥＲＡＢまたはＨＡＤＨ２阻害剤を含む。「有効レベル」とは、最小限、ＥＲＡＢまたはＨＡＤＨ２の効果が調節されるレベルを意味する。これらの組成物は、投与形態、例えば、非経口または経口投与に適する単位服用形態（ｕｎｉｔ−ｄｏｓａｇｅ ｆｏｒｍ）で調製される。ＥＲＡＢまたはＨＡＤＨ２阻害剤は、公知の方法に従って活性成分としての治療上有効な量の化合物（例えば、式Ｉの化合物）を適当な製薬上の担体または希釈剤と混合することによって調製される公知の投与形態で投与される。これらの方法は、所望の調製物に適切なように成分を混合、顆粒化及び圧縮または溶解することを含んでもよい。
【００９４】
使用される製薬上の担体は、固体または液体であってもよい。固体担体の例としては、ラクトース、スクロース、タルク、ゼラチン、寒天、ペクチン、アカシア、ステアリン酸マグネシウム、ステアリン酸などがある。液体担体の例としては、シロップ、ピーナッツ油、オリーブ油、水などがある。同様にして、本発明の組成物は、モノステアリン酸グリセリン若しくはジステアリン酸グリセリン単独またはワックス、エチルセルロース、ヒドロキシプロピルメチルセルロース、メタクリル酸メチル等と共になどの、当該分野において既知の時間遅延性（ｔｉｍｅ−ｄｅｌａｙ）または持効性（ｔｉｍｅ−ｒｅｌｅａｓｅ）材料を含んでもよい。さらに、所望の配合特性を達成するために添加剤または賦形剤を添加してもよい。例えば、ラブラゾル（Ｌａｂｒａｓｏｌ）、ゲルサイア（Ｇｅｌｕｃｉｒｅ）等の、生物学的利用能促進剤、またはＣＭＣ（カルボキシメチルセルロース）、ＰＧ（プロピレングリコール）、若しくはＰＥＧ（ポリエチレングリコール）等の、配合剤（ｆｏｒｍｕｌａｔｏｒ）を添加してもよい。光、湿気及び酸化から活性成分を保護する半固体の賦形剤である、ゲルサイア（登録商標）（ＧｅｌｕｃｉｒｅＲ）を、例えば、カプセル配合物を調製する際に、添加してもよい。
【００９５】
固体担体を使用する場合には、調製物を、錠剤化する、粉末若しくはペレット形態でまたはトローチ若しくはロゼンジ形態で硬質ゼラチンカプセル中に仕込んでもよい。固体担体の量は変化してもよいが、通常約２５ｍｇ〜約１ｇであろう。液状担体を使用する場合には、調製物は、アンプル若しくはバイアルまたは非水性の懸濁液（ｎｏｎ−ａｑｕｅｏｕｓ ｌｉｑｕｉｄ ｓｕｓｐｅｎｓｉｏｎ）におけるシロップ、エマルジョン、軟質ゼラチンカプセル、滅菌注射液または懸濁液の形態であってもよい。半固体担体を使用する場合には、調製物は、硬質及び軟質ゼラチンカプセル配合物の形態であってもよい。本発明の組成物は、投与形態、例えば、非経口または経口投与に適する単位服用形態（ｕｎｉｔ−ｄｏｓａｇｅ ｆｏｒｍ）で調製される。
【００９６】
安定した水溶性の投与形態を得るために、本発明の薬剤の製薬上許容できる塩を、コハク酸またはクエン酸の０．３Ｍ溶液等の、有機または無機酸の水溶液中に溶解してもよい。可溶性の塩の形態が使用できない場合には、薬剤を適当な補助溶剤または補助溶剤の混合物中に溶解してもよい。適当な補助溶剤の例としては、全容積の０〜６０％の範囲の濃度の、アルコール、プロピレングリコール、ポリエチレングリコール３００、ポリソルベート８０、グリセリンなどが挙げられる。具体的な実施態様においては、ＥＲＡＢまたはＨＡＤＨ２阻害剤をＤＭＳＯに溶かし、水で希釈する。組成物はまた、水または等張食塩水またはデキストロース溶液等の適当な水性ベヒクルにおける塩形態の活性成分の溶液の形態であってもよい。
【００９７】
適当な配合物は、選択される投与経路に依存する。注射では、本発明の薬剤は、水溶液中に、好ましくはハンクス溶液、リンゲル液、または生理食塩水等の生理学的に適合する緩衝液中に配合されてもよい。経粘膜（ｔｒａｎｓｍｕｃｏｓａｌ）投与では、浸透されるバリアに適当である浸透剤を配合物に使用する。このような浸透剤は通常当該分野において既知である。
【００９８】
経口投与では、化合物は、活性のある化合物を当該分野において既知である製薬上許容できる担体と混合することによって容易に配合できる。このような担体により、本発明の化合物を、処置される患者に経口摂取されるための錠剤、ピル、糖剤、カプセル、液体、ゲル、シロップ、スラリー、懸濁液などとして配合できる。経口用途の薬剤調製物は、活性成分（薬剤）との混合物中に固体賦形剤（ｅｘｃｉｐｉｅｎｔ）を使用し、必要であれば得られた混合物を粉砕し、さらに所望であれば、適当な助剤を添加した後に顆粒の混合物を加工して、錠剤または糖剤のコアを得ることにより得られる。適当な賦形剤としては下記が挙げられる：ラクトース、スクロース、マンニトール、またはソルビトール等の、糖などの充填剤；およびセルロース調製物、例えば、トウモロコシデンプン、小麦デンプン、米デンプン、ジャガイモデンプン、ゼラチン、ゴム、メチルセルロース、ヒドロキシプロピルメチル−セルロース、カルボキシルメチルセルロースナトリウム、またはポリビニルピロリドン（ＰＶＰ）。必要であれば、架橋ポリビニルピロリドン、寒天、またはアルギン酸若しくはアルギン酸ナトリウム等のこの塩などの、崩壊剤を添加してもよい。
【００９９】
糖剤のコアは、適当なコーティングで提供される。これを目的として、濃縮糖溶液が使用されてもよく、これは、必要であれば、アラビアゴム、ポリビニルピロリドン、カーボポールゲル（Ｃａｒｂｏｐｏｌ ｇｅｌ）、ポリエチレングリコール、および／または二酸化チタン、ラッカー溶液、および適当な有機溶剤または有機溶剤混合液を含んでもよい。染料（ｄｙｅｓｔｕｆｆ）または顔料（ｐｉｇｍｅｎｔ）を、確認のためにまたは活性剤の異なる組み合わせを特徴付けるために錠剤または糖剤コーティングに添加してもよい。
【０１００】
経口で使用できる薬剤調製物としては、ゼラチン製の押込嵌めカプセル（ｐｕｓｈ−ｆｉｔ ｃａｐｓｕｌｅ）、さらにはゼラチン及びグリセロールまたはソルビトール等の可塑剤からなる軟質密封カプセルが挙げられる。押込嵌めカプセルは、ラクトース等の充填剤、デンプン等の結合剤、および／またはタルク若しくはステアリン酸マグネシウム等の潤滑剤、ならびに必要であれば、安定化剤との混合物中に活性剤を含むものであってもよい。軟質カプセルでは、活性剤は、脂肪油、流動パラフィン、または液状ポリエチレングリコール等の、適当な液体中に溶解または懸濁されてもよい。加えて、安定化剤が添加されてもよい。経口投与用の配合物はすべて、このような投与に適した投与量でなければならない。口腔内投与では、組成物は、公知の方法で配合された錠剤またはロゼンジの形態をとってもよい。
【０１０１】
鼻腔内または吸入による投与では、本発明に従って使用される化合物は、適当な噴射剤、例えば、ジクロロジフルオロメタン、トリクロロフルオロメタン、ジクロロテトラフルオロエタン、二酸化炭素または他の適当なガスを使用して、加圧パックまたはネブライザーからのエアロゾルスプレーの提示（ａｅｒｏｓｏｌ ｓｐｒａｙ ｐｒｅｓｅｎｔａｔｉｏｎ）の形態で簡便にデリバリーされてもよい。加圧エアロゾルの場合には、服用単位（ｄｏｓａｇｅ ｕｎｉｔ）は、一定量をデリバリーするバルブを設けることによって決定されてもよい。吸入器または注入器などに使用されるゼラチンのカプセル及びカートリッジは、化合物及びラクトースまたはデンプン等の適当な粉末基剤の粉末混合物を含んで配合されてもよい。
【０１０２】
本化合物は、注射による、例えば、大量注射または連続注入による非経口投与用に配合されてもよい。注射用の配合物は、防腐剤を添加して、単位服用形態で、例えば、アンプル中にまたは複数投与容器（ｍｕｌｔｉ−ｄｏｓｅ ｃｏｎｔａｉｎｅｒ）中に提示されてもよい。本組成物は、油性のまたは水性ベヒクルにおける懸濁液、溶液またはエマルジョン等の形態をとってもよく、懸濁化、安定化および／または分散剤等の配合剤を含んでもよい。
【０１０３】
非経口投与用の薬剤配合物としては、水可溶化形態の活性を有する化合物の水溶液がある。加えて、活性剤の懸濁液が適当な油性の注射懸濁液として調製されてもよい。適当な親油性溶剤またはベヒクルとしては、ゴマ油等の脂肪油、オレイン酸エチル若しくはトリグリセリド等の、合成脂肪酸エステル、またはリポソームが挙げられる。水性注射懸濁液は、カルボキシルメチルセルロースナトリウム、ソルビトール、またはデキストラン等の、懸濁液の粘性を増加する物質を含んでもよい。必要であれば、懸濁液はまた、適当な安定化剤または高度に濃縮された溶液を調製できるように化合物の溶解性を増加する物質を含んでもよい。
【０１０４】
眼への投与では、ＥＲＡＢまたはＨＡＤＨ２阻害剤は、化合物が、例えば、前眼房、後眼房、ガラス体、眼房水、ガラス体液、角膜、虹彩／睫毛（ｉｒｉｓ／ｃｉｌａｒｙ）、レンズ、脈絡膜／網膜及び強膜（ｓｃｅｌｅｒａ）などの、眼の角膜及び内部領域に化合物を浸透させるのに十分な時間、眼球表面と接触し続けるように、製薬上許容できる眼用のベヒクル（ｏｐｈｔｈａｌｍｉｃ ｖｅｈｉｃｌｅ）中でデリバリーされてもよい。製薬上許容できる眼用のベヒクルは、軟膏、植物油、または封入材料であってもよい。本発明の化合物はまた、ガラス体液及び眼房水中に直接注射されてもよい。
【０１０５】
本発明の化合物及び組成物は、直接または間接的に、脳に導入されてもよい。直接的な技術は、一般的に、ホストの脳室系中にドラッグデリバリーカテーテルを置いて血液脳関門をバイパスすることを含む。体の特定の解剖学的な領域への生体因子（ｂｉｏｌｏｇｉｃａｌ ｆａｃｔｏｒ）の輸送に使用されるこのような移植デリバリーシステム（ｉｍｐｌａｎｔａｂｌｅ ｄｅｌｉｖｅｒｙ ｓｙｓｔｅｍ）は、米国特許第５，０１１，４７２号に記載され、これは参考によって本明細書中に引用される。通常好ましい、間接的な技術は、一般的に、親水性薬剤を脂溶性薬剤に変換することによる薬剤潜在化（ｄｒｕｇ ｌａｔｅｎｔｉａｔｉｏｎ）を提供するように組成物を配合することを含む。潜在化（ｌａｔｅｎｔｉａｔｉｏｎ）は、通常、薬剤をより脂溶性にし、さらに血液脳関門を介して輸送されやすくするために薬剤上に存在するヒドロキシ、カルボニル、スルフェート、及び第１級アミン基を遮断することにより達成される。または、親水性薬剤のデリバリーは、血液脳関門を一時的に開放できる高張溶液の動脈内注入によって促進されてもよい。
【０１０６】
または、活性成分は、使用する前には、適当なベヒクル、例えば、発熱物質を含まない（ｐｙｒｏｇｅｎ−ｆｒｅｅ）滅菌水で構成されるように粉末形態であってもよい。本化合物はまた、例えば、カカオバターまたは他のグリセリド等の公知の坐剤基剤を含む、坐剤または埋伏浣腸剤（ｒｅｔｅｎｔｉｏｎ ｅｎｅｍａ）等の直腸内用組成物中に配合されてもよい。
【０１０７】
上記した配合物に加えて、本化合物は、デポー製剤として配合されてもよい。このような長期間作用する配合物は、移植によって（例えば、皮下に若しくは筋肉内に）または筋肉内注射によって投与されてもよい。ゆえに、例えば、本化合物は、適当な高分子若しくは疎水性材料（例えば、許容できる油におけるエマルジョンとして）またはイオン交換樹脂を用いて、または難溶性の可溶性誘導体として、例えば、難溶性の可溶性塩として配合されてもよい。
【０１０８】
疎水性化合物用の薬剤担体は、ベンジルアルコール、無極性界面活性剤、水混和性有機ポリマー、及び水相を含む補助溶剤システム（ｃｏｓｏｌｖｅｎｔ ｓｙｓｔｅｍ）である。補助溶剤システムは、ＶＰＤ補助溶剤システム（ＶＰＤ ｃｏ−ｓｏｌｖｅｎｔ ｓｙｓｔｅｍ）であってもよい。ＶＰＤは、無水エタノールの容積に対して、３％（ｗ／ｖ）のベンジルアルコール、８％（ｗ／ｖ）の無極性界面活性剤である、ポリソルベート８０、及び６５％（ｗ／ｖ）のポリエチレングリコール３００の溶液である。このＶＰＤ補助溶剤システム（ＶＰＤ：５Ｗ）は、水溶液における５％デキストロースで１：１で希釈されるＶＰＤを含む。この補助溶剤システムは、疎水性化合物を良好に溶解し、それ自体全身投与時に低い毒性を発揮する。補助溶剤システムの割合は、その溶解性及び毒性を損なわない限り適当に変化してもよい。さらに、補助溶剤成分の同一性が変化してもよい：例えば、他の低毒性の無極性界面活性剤をポリソルベート８０の代わりに使用してもよい；ポリエチレングリコールの分割数（ｆｒａｃｔｉｏｎ ｓｉｚｅ）を変えてもよい；他の生体適合性ポリマー、例えば、ポリビニルピロリドンをポリエチレングリコールの代わりに使用してもよい；さらに、他の糖または多糖をデキストロースの代わりに使用してもよい。
【０１０９】
または、疎水性薬剤化合物用の他のデリバリーシステムを使用してもよい。リポソーム及びエマルジョンが疎水性薬剤用のデリバリー用ベヒクルまたは担体の既知の例である。一般的に毒性がより高いという代償を払うものの、ジメチルスルホキシド等の特定の有機溶剤を使用してもよい。加えて、本化合物は、治療剤を含む固体の疎水性ポリマーの半浸透マトリックス等の、持続放出システムを用いてデリバリーされてもよい。様々な持続放出性材料が確立されており、当業者に既知である。持続放出性カプセルは、その化学的性質によっては、数週間から１００日以上にわたって化合物を放出する。治療試薬の化学的性質及び生物学的安定性によっては、タンパク質安定化のための別のストラテジーを使用してもよい。
【０１１０】
本薬剤組成物はまた、適当な固体またはゲル相の担体または賦形剤を含んでもよい。このような担体または賦形剤の例としては、炭酸カルシウム、リン酸カルシウム、糖、デンプン、セルロース誘導体、ゼラチン、及びポリエチレングリコール等のポリマーが挙げられる。
【０１１１】
本発明の化合物によっては、薬剤学的に適合する（ｐｈａｒｍａｃｅｕｔｉｃａｌｌｙ ｃｏｍｐａｔｉｂｌｅ）対イオンによる塩として形成されてもよい。薬剤学的に適合する塩は、塩酸、硫酸、酢酸、乳酸、酒石酸、リンゴ酸、コハク酸等の、多くの酸で形成される。塩は、相当する遊離塩基形態に比べて水性または他のプロトン性溶剤中でより可溶性である傾向にある。
【０１１２】
本発明の組成物に使用される化合物の実際の投与量は使用される特定の複合体、配合される特定の組成、投与の形式ならびに処置される特定の部位、宿主及び疾患によって異なると、考えられるであろう。所定の症状のセットに対する最適な投与量は、化合物に関する実験データを考慮して公知の投与量決定試験を用いて当業者によって把握されうる。経口投与では、通常使用される具体的な一日当たりの投与量は、適当な間隔で処置を繰り返しながら、約０．００１〜約１０００ｍｇ／ｋｇ体重、より好ましくは約０．００１〜約５０ｍｇ／ｋｇ体重である。プロドラッグの投与は、具体的には、十分活性のある形態の重量レベルと化学的に同等である重量レベルで投与される。
【０１１３】
本発明の化合物は、薬剤組成物を調製するのに通常既知の方法で、例えば、混合、溶解、顆粒化、糖剤作製、湿式粉砕（ｌｅｖｉｇａｔｉｎｇ）、乳化、封入、エントラップメントまたは凍結乾燥等の公知の技術を用いて製造されてもよい。薬剤組成物は、一以上の製薬上許容できる担体を用いて公知の方法で配合されてもよく、この際、担体は活性のある化合物の薬学的に使用できる製剤への加工を容易にする賦形剤及び補助剤から選択されてもよい。
【０１１４】
本願を通して使用される略称は、特記しない限り、下記の意味を有する：Ｍｅ：メチル；Ｅｔ：エチル；Ｂｕ：ｎ−ブチル；Ｂｕ４ＮＨＳＯ４：テトラ−ｎ−ブチルアンモニウムサルフェート；Ａｃ：アセチル；Ｂｏｃ：ｔ−ブチルオキシカルボニル；ＥｔＯＡｃ：酢酸エチル；Ｂｎ：ベンジル；ＢｎＢｒ：臭化ベンジル；ｎ−ＢｕＬｉ：ｎ−ブチルリチウム；ＴＦＡ：トリフルオロ酢酸；ＤＣＣ：ジシクロヘキシルカルボジイミド；ｒｔ：室温；ＥＤＣ：［３−（ジメチルアミノ）プロピル］−３−エチルカルボジイミド；ＮＭＭ：４−メチルモルホリン；ＨＣｌ：塩酸；ＨＯＢＴ：１−ヒドロベンザトリアゾールヒドレート（１−ｈｙｄｒｏｂｅｎｚａｔｒｉａｚｏｌｅ ｈｙｄｒａｔｅ）；ＨＡＴＵ：［Ｏ−（７−アザベンゾトリアゾール−１−イル）−１，１，３，３−テトラ−トリエチル−ウロニウムヘキサフルオロホスフェート［［Ｏ−（７−ａｚａｂｅｎｚｏｔｒｉａｚｏｌ−１−ｙｌ）−１，１，３，３−ｔｅｔｒａ−ｔｒｉｅｔｈｙｌ−ｕｒｏｎｉｕｍ ｈｅｘａｆｌｕｏｒｏｐｈｓｐｈａｔｅ］；ＤＭＡＰ：Ｎ，Ｎ−ジメチル−４−アミノピリジン；ＤＭＦ：ジメチルホルムアミド；ＮａＯＨ：水酸化ナトリウム；ＫＯＨ：水酸化カリウム；ＫＦ：フッ化カリウム；Ｔｒｉｆｌａｔｅ（Ｔｆ）：トリフルオロメタンスルホニル；ｐ−ＴｓＯＨ：ｐ−トルエンスルホン酸；ＰＭＢＢｒ：ｐ−メトキシベンジルブロミド；ＤＥＡＤ（Ｄｅａｄ）：ジエチルアゾジカルボキシレート（ｄｉｅｔｈｙｌ ａｚｏｄｉｃａｒｂｏｘｙｌｔｅ）；ＰＭＰ（ＯＨ）：ｐ−メトキシフェノール；ＣＡＮ：硝酸アンモニウムセリウム（ｃｅｒｉｃ ａｍｍｏｎｉｕｍ ｎｉｔｒａｔｅ）；ＰＣＣ：ピリジニウムクロロクロメート（ｐｙｒｉｄｉｎｉｕｍ ｃｈｌｏｒｏｃｈｒｏｍａｔｅ）；ＴＭＳ：トリメチルシリル；ＴＭＳＯ：トリメチルシロキシ（ｔｒｉｍｅｔｈｙｌｓｉｌｏｘｙ）；ＰＰＴＳ：ピリジニウムｐ−トルエンスルホネート（ｐｙｒｉｄｉｎｉｕｍ ｐａｒａ−ｔｏｌｕｅｎｅｓｕｌｆｏｎａｔｅ）；ＰｙＢＯＰ：ベンゾトリアゾール−１−イルオキシトリス（ピロリジノ）ホスホニウムヘキサフルオロホスフェート（ｂｅｎｚｏｔｒｉａｚｏｌ−１−ｙｌｏｘｙｔｒｉｓ（ｐｙｒｒｏｌｉｄｉｎｏ）ｐｈｏｓｐｈｏｎｉｕｍ ｈｅｘａｆｌｕｏｒｏｐｈｏｓｐｈａｔｅ）；ＤＩＥＡ：ジイソプロピルエチルアミン。
【０１１５】
本発明の具体的な化合物の調製を、下記スキーム及び実施例において詳細に説明するが、記載される化学反応は数多くの本発明の他のＥＲＡＢまたはＨＡＤＨ２阻害剤を調製するのに容易に適用されることは、当業者は認識するであろう。例えば、本発明による具体的に示されていない化合物の合成は、当業者に明らかな修飾によって、例えば、干渉基（ｉｎｔｅｒｆｅｒｉｎｇ ｇｒｏｕｐ）を適当に保護することによって、当該分野において既知の他の適当な試薬に変更することによって、または反応条件に定常的な修飾を施すことによって、良好に行なわれる。または、本明細書中に開示されるまたは当該分野において既知の他の反応は、他のＥＲＡＢまたはＨＡＤＨ２阻害剤を調製するのに適用可能であると認識されるであろう。
【０１１６】
実施例
本発明を、制限することを意図するものではない下記実施例でさらに詳細に説明する。
【０１１７】
下記実施例では、特記しない限り、すべての温度は摂氏度で記載され、すべての部及びパーセントは重量によるものである。試薬は、Ａｌｄｒｉｃｈ Ｃｈｅｍｉｃａｌ ＣｏｍｐａｎｙまたはＬａｎｃａｓｔｅｒ Ｓｙｎｔｈｅｓｉｓ Ｌｔｄ．等の民間の供給社から購入し、特記しない限りさらに精製せずに使用した。ジクロロメタン（ＣＨ２Ｃｌ２）は、アルゴンまたは窒素下で水素化カルシウムで蒸留した。テトラヒドロフラン（ＴＨＦ）は、ナトリウム／ベンゾフェノンから新たに蒸留した。ジメチルホルムアミド（ＤＭＦ）は、モレキュラーシーブにより貯蔵した。すべての溶剤は、特記しない限り、当業者に容易に知られている標準的な方法を用いて精製した。
【０１１８】
以下に記載される反応は、通常、無水溶剤中で、（特記しない限り）周囲温度で、アルゴン若しくは窒素の陽圧下でまたは乾燥管で通常行なわれ、反応フラスコにはシリンジを介して基質及び試薬を導入するためのゴム製の隔膜を設けた。ガラス器具類は、オーブン加熱および／または加熱乾燥した。分析用の薄層クロマトグラフィー（ＴＬＣ）を、ガラスが裏付けされたシリカゲル６０Ｆ　２５４（ｇｌａｓｓ−ｂａｃｋｅｄ ｓｉｌｉｃａ ｇｅｌ ６０ Ｆ ２５４）プレート上で行ない、適当な溶剤比（ｖ／ｖ）で溶出し、適切な箇所で表わした。反応はＴＬＣでアッセイし、出発材料の消費によって判断して終了した。
【０１１９】
融点（ｍｐ）は、Ｍｅｌｔ−ＴｅｍｐＩＩキャピラリー装置（Ｍｅｌｔ−ＴｅｍｐＩＩ ｃａｐｉｌｌａｒｙ ａｐｐａｒａｔｕｓ）で測定し、修正しなかった。
【０１２０】
ＴＬＣプレートの可視化は、通常、紫外線による可視化によって行なわれた。ウォークアップ（ｗｏｒｋ−ｕｐ）は、特記しない限り、具体的には、反応溶剤または抽出溶剤で反応容積を倍にした後、抽出容積の２５容積％を用いて示された水溶液で洗浄することによって行なわれた。生成物溶液は、瀘過及びロータリーエバポレーターでの減圧下での溶剤の蒸発前に無水Ｎａ２ＳＯ４で乾燥し、溶剤が真空中で除去されたものは特記した。生成物は、円形クロマトグラフィーまたはフラッシュカラムクロマトグラフィー（Ｓｔｉｌｌ ｅｔ ａｌ．， Ｊ． Ｏｒｇ． Ｃｈｅｍ．， ４３， ２９２３ （１９７８））を用いることによって精製したが、後者はメルクグレードのフラッシュシリカゲル（Ｍｅｒｃｋ ｇｒａｄｅ ｆｌａｓｈ ｓｉｌｉｃａ ｇｅｌ）（４７〜６１μｍ）及びシリカゲル：特記しない限り、約２０：１〜１００：１の未精製材料比を用いた。
【０１２１】
１Ｈ−ＮＭＲスペクトルは、３００または５００ＭＨｚで操作した装置（Ｖａｒｉａｎ ＯＸＦＯＲＤ）で記録し、１３Ｃ−ＮＭＲスペクトルは、７５ＭＨｚで操作して記録した。ＮＭＲスペクトルは、参考標準としてクロロホルム（７．２５ｐｐｍ及び７７．００ｐｐｍ）若しくはＣＤ３ＯＤ（３．４及び４．８ｐｐｍならびに４９．３ｐｐｍ）、または適切な場合には内部でテトラメチルシラン（０．００ｐｐｍ）を用いて、ＣＤＣｌ３溶液（ｐｐｍで報告する）として得られた。他のＮＭＲ溶剤は、必要であれば使用した。ピークの多重度が報告される場合には、下記略称を使用する：ｓ（一重線）、ｄ（二重線）、ｔ（三重線）、ｍ（多重線）、ｑ（四重線）、ｂｒ（広い（ｂｒｏａｄｅｎｅｄ））、ｄｄ（二重線の二重線（ｄｏｕｂｌｅｔ ｏｆ ｄｏｕｂｌｅｔｓ））、ｄｔ（二重線の三重線（ｄｏｕｂｌｅｔ ｏｆ ｔｒｉｐｌｅｔｓ））。記載される際の、結合定数は、ヘルツ（Ｈｚ）で報告される。
【０１２２】
赤外線（ＩＲ）スペクトルは、ニート油（ｎｅａｔ ｏｉｌ）として、ＫＢｒペレットとして、またはＣＤＣｌ３溶液としてパーキン−エルマー　ＦＴ−ＩＲスペクトロメーター（Ｐｅｒｋｉｎ−Ｅｌｍｅｒ ＦＴ−ＩＲ Ｓｐｅｃｔｒｏｍｅｔｅｒ）で記録され、記載される場合には、波数（ｃｍ−１）で報告される。ＨＰＬＣスペクトルは、アギレント１１００シリーズシステム（Ａｇｉｌｅｎｔ １１００ ｓｅｒｉｅｓ ｓｙｓｔｅｍ）で行なわれた。元素分析は、アトランティック　ミクロラブス、アトランタ、ジョージア州（Ａｔｌａｎｔｉｃ Ｍｉｃｒｏｌａｂｓ， Ａｔｌａｎｔａ， ＧＡ）から得、理論値の±０．５％以内であった。シリカゲルカラムクロマトグラフィーは、メルクシリカ６０（Ｍｅｒｃｋ Ｓｉｌｉｃａ ６０）で行なわれた。質量スペクトル（ＭＳ）は、外部のサービスから得た。式Ｉの化合物は、以下の一般的な合成スキーム１〜１５によって調製されてもよい。
【０１２３】
本明細書で使用される、「Ｍｅｔｈｏｄ Ａ」は、実施例８で記載される一般方法を意味し、「Ｍｅｔｈｏｄ Ｂ」は、実施例１０で記載される一般方法を意味し、「Ｍｅｔｈｏｄ Ｃ」は、実施例１６で記載される一般方法を意味し、さらに「Ｍｅｔｈｏｄ Ｄ」は、実施例２３で記載される一般方法を意味する。
【０１２４】
ＥＲＡＢまたはＨＡＤＨ２阻害剤は、以下に記載されるような反応経路及び合成スキームを用いて、容易に利用できるまたは文献に引用される出発材料を用いて当業者に利用できる技術を用いて、調製されてもよい。
【０１２５】
【化３７】
2004506737.tif 000026
【０１２６】
Ｖａ（Ｒ１＝フェニル）からＸＶＩａへの変換によって例示される一般スキームＩの説明（実施例１〜８を参照）：
Ｂｏｃ−Ｌ−α−フェニルグリシン（Ｖａ）及びシクロヘキサノールを、ＤＣＣ及び触媒量のＤＭＡＰの存在下でジクロロメタン中で反応させて、ほとんど定量的な収率でＶＩａ（Ｒ＝Ｂｏｃ）を得た。ＶＩａのトリフルオロ酢酸による処理によって、９８％収率でＶＩＩａ（Ｒ＝Ｈ、スキーム１）を得た。次に、ＶＩＩａを、ＨＡＴＵをＥＲＡＢまたはＨＡＤＨ２阻害剤のカップリング剤として用いてα−シアノ酢酸（ＶＩＩＩ）に結合させて、（２−シアノ−アセチルアミノ）−フェニル−酢酸シクロヘキシルエステル［（２−Ｃｙａｎｏ−ａｃｅｔｙｌａｍｉｎｏ）−ｐｈｅｎｙｌ− ａｃｅｔｉｃ ａｃｉｄ ｃｙｃｌｏｈｅｘｙｌ ｅｓｔｅｒ］（ＩＸａ）を得た。１３０℃での無水酢酸及び触媒である無水ＺｎＣｌ２におけるＩＸａとオルトギ酸トリエチルとの反応によって中間体を得、これを１０５℃で１，４−ジオキサン中でヒドラジンと反応させて、５１％の収率でＸａを得る。さらに、この［（５−アミノ−１Ｈ−ピラゾール−４−カルボニル）−アミノ］−フェニル−酢酸シクロヘキシルエステル［［（５−Ａｍｉｎｏ−１Ｈ−ｐｙｒａｚｏｌｅ−４−ｃａｒｂｏｎｙｌ）−ａｍｉｎｏ］−ｐｈｅｎｙｌ− ａｃｅｔｉｃ ａｃｉｄ ｃｙｃｌｏｈｅｘｙｌ ｅｓｔｅｒ］（Ｘａ）を、１４５℃でホルムアミドで処理して、所望の環化産物（ＸＩａ）を得た。ＸＩａを、不活性ガス雰囲気下でラウエッソン試薬（Ｌａｗｅｓｓｏｎ’ｓ ｒｅａｇｅｎｔ）で処理して、ＸＩＩａを得た。ＸＩＩａを加水分解することによって、カルボン酸ＸＩＶａを得た後、これをカップリング試薬であるＨＡＴＵを用いてヘキサメチレンイミンに結合することによって、１−アゼパン−１−イル−２−フェニル−２−（４−チオキソ−１，４−ジヒドロ−１，４−ジヒドロピラゾロ［３，４−ｄ］ピリミジン−５−イル）−エタノン［１−Ａｚｅｐａｎ−１−ｙｌ−２−ｐｈｅｎｙｌ−２−（４−ｔｈｉｏｘｏ−１，４−ｄｉｈｙｄｒｏ−１，４−ｄｉｈｒｄｒｏｐｙｒａｚｏｌｏ［３， ４−ｄ］ｐｙｒｉｍｉｄｉｎ−５−ｙｌ）−ｅｔｈａｎｏｎｅ］（ＸＶＩａ）を得た。
【０１２７】
スキーム２で示されるような式ＸＶＩＩ及びＸＶＩＩＩの化合物の合成：
【０１２８】
【化３８】
2004506737.tif 000027
【０１２９】
一般スキーム２の説明：
化合物ＸＩＩＩまたはＸＩＶを、ジクロロメタンまたは別の溶剤中でＤＣＣ及び適当なアルコールＲ４ＯＨで処理することによって、それぞれ、相当するエステルＸＶＩＩ及びＸＶＩＩＩを得た。当業者にはよく知られている他のカップリング剤もまた、この変換を行なうのに使用できる。
【０１３０】
スキーム３〜１３に関する一般的な注意：
試薬及び保護基及びこれらの操作（”Ｐｒｏｔｅｃｔｉｖｅ Ｇｒｏｕｐｓ ｉｎ Ｏｒｇａｎｉｃ Ｃｈｅｍｉｓｔｒｙ”， Ｔ． Ｗ． Ｇｒｅｅｎｅ ａｎｄ Ｐ． Ｇ． Ｍ Ｗｕｔｓ， Ｗｉｌｅｙ−Ｉｎｔｅｒｓｃｉｅｎｃｅ １９９１を参照）の選択は、本明細書に記載されるものに制限されるものではなく、そのように解釈されるべきではない。各合成段階後は、反応の適当なウォークアップ（ｗｏｒｋ−ｕｐ）、さらには当業者によって決定されるような適当な精製段階を行なう。ＸＩＸ及びＸＸＸＶＩの構造物は単一の鏡像異性体として示されているが、ラセミ混合物を使用してもよい（しかしながら、この場合には、得られた化合物もまたラセミ体となるであろう）。
【０１３１】
【化３９】
2004506737.tif 000028
【０１３２】
一般スキーム３の説明：
４−オキソ−４，５−ジヒドロ−ピラゾロ［３，４−ｄ］ピリミジン−１−カルボン酸エチルエステル［４−Ｏｘｏ−４，５−ｄｉｈｙｄｒｏ−ｐｙｒａｚｏｌｏ［３，４−ｄ］ｐｙｒｉｍｉｄｉｎｅ−１−ｃａｒｂｏｘｙｌｉｃ ａｃｉｄ ｅｔｈｙｌ ｅｓｔｅｒ］（ＣＡＳ＃７３０９５−８３−７； Ｂｅｒｇｍａｎｎ ｅｔ ａｌ．， Ｊ． Ｃｈｅｍ． Ｓｏｃ．， １ （１１）， ２７９５−８０２ （１９７９））を、室温でＴＨＦ中で等モルの水素化ナトリウム（ＮａＨ）で処理し、得られたものを１０分間攪拌する（同様の変換に関するＢｅｒｎｉｓ ｅｔ ａｌ．， 米国特許第５６５６６２７号を参照）。得られた混合物をＴＨＦ中で適当なＸＩＸに添加し、反応が終了するまで攪拌しつづけて、ウォークアップ後にＸＸを得る。ＸＸを、ＣＨ２Ｃｌ２中でＴＦＡで処理して、ウォークアップ後にＸＸＩを得る。次に、ＸＸＩを、ラセミ化を最小限にするような条件下でメタノール（ＭｅＯＨ）中で炭酸ナトリウム（Ｎａ２ＣＯ３）で処理する。一般的なウォークアップ後に得られた中間体を、ＣＨ２Ｃｌ２または適当な溶剤中でＤＣＣまたは別のカップリング剤の存在下でＲ４ＯＨと反応させて、ウォークアップ後にＸＸＩＩを得る。加熱しながらキシレンまたは適当な溶剤中でラウエッソン試薬でＸＸＩＩを処理することによって、ＸＸＩＩＩを得る。ＸＸＩＶは、実施例８、１０、または１６に記載されるのと同様にして下記方法をまず行なった後、メタノール（ＭｅＯＨ）中で炭酸ナトリウム（Ｎａ２ＣＯ３）で単離された中間体を処理することによって、ＸＸＩから得られる（ピロールの脱保護に関しては、Ｓｅｃｒｉｓｔ ｅｔ ａｌ．， Ｊ． Ｍｅｄ． Ｃｈｅｍ．， １９９３， ３６（１３）， １８４７−１８５４によって記載される方法と同様）。
【０１３３】
【化４０】
2004506737.tif 000029
【０１３４】
一般スキーム４の説明：
前記スキーム３に記載されるのと同様にして得られるＸＸを、まず、ＸＸＩＩからＸＸＩＩＩへの変換と同様にしてラウエッソン試薬で処理して中間体を得、これをＣＨ２Ｃｌ２中でＴＦＡで処理して中間体酸を得、さらにこれを実施例８、１０または１６に記載される方法のいずれかを使用することによって相当するアミドに変換する。この中間体アミドをメタノール（ＭｅＯＨ）中で炭酸ナトリウム（Ｎａ２ＣＯ３）で処理することによって（ピロールの脱保護に関しては、Ｓｅｃｒｉｓｔ ｅｔ ａｌ．， Ｊ． Ｍｅｄ． Ｃｈｅｍ．， ３６（１３）， １８４７−１８５４ （１９９３）によって記載される方法と同様）、一般的なウォークアップ後にＸＸＶを得る。
【０１３５】
【化４１】
2004506737.tif 000030
【０１３６】
一般スキーム５の説明：
５−アミノ−３−オキソ−２，３−ジヒドロ−１Ｈ−ピラゾール−４−カルボジチオ酸（５−Ａｍｉｎｏ−３−ｏｘｏ−２，３−ｄｉｈｙｄｒｏ−１Ｈ−ｐｙｒａｚｏｌｅ−４−ｃａｒｂｏｄｉｔｈｉｏｉｃ ａｃｉｄ）（ＣＡＳ＃６１２６−３５−８； Ａｕｚｚｉ ｅｔ ａｌ．， Ｂｏｌｌ． Ｃｈｉｍ． Ｆａｒｍ．， １１２８， ５２１−８ （１９７３））を、適当なＶＩＩの存在下でＰｙ−ＢＯＰ、ＤＩＥＡ（Ｙａｏ ｅｔ ａｌ．， Ｂｉｏｏｒｇ． Ｍｅｄ． Ｃｈｅｍ． Ｌｅｔｔ．， ８（６）， ６９９−７０４（１９８８））または他の適当なカップリング剤で処理して、ウォークアップ後にＸＸＶＩを得る。ＸＸＶＩＩを、反応混合物を加熱しながらホルムアミドで処理する。これにより、一般的なウォークアップ後にＸＸＶＩＩが得られる。ＸＸＶＩＩを、ＭｅＯＨ中でＮａＯＨで処理して、ＸＸＶＩＩＩを得る。次に、ＸＸＶＩＩＩを、スキーム１〜４で概説した方法によってＸＸＩＸまたはＸＸＸに変換する。適当なキラルα−アミノ酸エステルＶＩＩを用いて出発する場合には、当該分野における熟練したものはスキーム４に記載された条件を操作して、それぞれ、ＸＸＩＸ及びＸＸＸの単一の鏡像異性体を形成できるであろうことに留意する。
【０１３７】
【化４２】
2004506737.tif 000031
【０１３８】
一般スキーム６の説明：
４−メトキシ−１Ｈ−ピリジ−２−オン（４−Ｍｅｔｈｏｘｙ−１Ｈ−ｐｙｒｉｄｉ−２−ｏｎｅ）（ＣＡＳ＃５２５４５−１３−８； Ｓｉｅｂｕｒｔｈ ｅｔ ａｌ， Ｊ． Ｏｒｇ． Ｃｈｅｍ．， ６４（３）， ９５０−９５３ （１９９９）； Ｗａｌｔｅｒｓ ｅｔ ａｌ．， Ｔｅｔｒａｈｅｄｒｏｎ Ｌｅｔｔ．， ３６（４２）， ７５７５−８ （１９９５）； Ｋｕｚｕｙａ ｅｔ ａｌ．， Ｎｉｐｐｏｎ Ｋａｇａｋｕ Ｋａｉｓｈｉ， １２， １７４６−５３ （１９８６））（Ｂｅｒｇｍａｎｎ， Ｒ． ｅｔ ａｌ．， Ｊ． Ｍｅｄ． Ｃｈｅｍ．， ３３， ４９２−５０４ （１９９０））を、Ｎ−アルキル化中間体を得るために臭化ベンジルで相間移動条件（Ｚｗｉｅｒｚａｋ， Ｓｙｎｔｈｅｓｉｓ， ５２７， ５２９ （１９７９））下でまたはＫＦ−アルミナ及び臭化ベンジルを用いたＹａｍａｗａｋｉ， Ｃｈｅｍ． Ｌｅｔｔ．， １１４３−１１４６ （１９８１）の条件によってアルキル化する。この中間体を、Ｐａｔｔｅｎｄｅｎ ｅｔ ａｌ， Ｊ． Ｃｈｅｍ． Ｓｏｃ．， Ｐｅｒｋｉｎ Ｔｒａｎｓ． １（１）， ６７−７７ （１９９２）の方法に従って、その３−カルボン酸誘導体に変換する。この中間体である３−カルボン酸を、ジアゾメタンによる処理でそのメチルエステルに変換する。この中間体であるメチルエステルを、ＴＦＡで処理して、ＸＸＸＩを得る。ＸＸＸＩを、適当なＸＩＸを用いて、さらにＣＡＳ＃７３０９５−８３−７からＸＸへの変換に関するスキーム３で概説される方法を適用してＸＸＸＩＩに変換する。ＸＸＸＩＩを、加熱しながらエタノール中でヒドラジンで処理して、融合した２環式の中間体を形成する。この中間体を、ＴＦＡでの処理によって相当するカルボン酸ＸＸＸＩＩＩに変換する。さらに、ＸＸＸＩＩＩを、スキーム１〜５で概説された方法によってＸＸＸＩＶまたはＸＸＸＶのいずれかに変換する。
【０１３９】
【化４３】
2004506737.tif 000032
【０１４０】
一般スキーム７の説明：
ＸＸＸＩ（スキーム６で前記）を、４−オキソ−４，５−ジヒドロ−ピラゾロ［３，４−ｄ］ピリミジン−１−カルボン酸エチルエステル（ＣＡＳ＃７３０９５−８３−７； Ｂｅｒｇｍａｎｎ ｅｔ ａｌ．， Ｊ． Ｃｈｅｍ． Ｓｏｃ．， １ （１１）， ２７９５−８０２ （１９７９））からＸＸへの変換に関するスキーム３に概説された方法によりＸＸＸＶＩＩに変換する。ＸＸＸＶＩＩのケトン官能性を、Ｈｗｕ， ｅｔ ａｌ．， Ｊ． Ｏｒｇ． Ｃｈｅｍ．， １９８７， ５２， １８８の条件により１，３−ジオキソランを介して保護する。この中間体を加熱しながらエタノール中でヒドラジンと反応させて、３−オキソ−ピロロゾ（３−ｏｘｏ−ｐｙｒｒｏｌｏｚｏ）中間体を得、さらにこれをｐ−トルエンスルホン酸ピリジニウムで処理（Ｈａｇｉｗａｒａ ｅｔ ａｌ．， Ｊ． Ｃｈｅｍ． Ｓｏｃ．， Ｃｈｅｍ． Ｃｏｍｍｕｎ．， １９８７， １３５１）して、ＸＸＸＶＩＩＩを形成する。
【０１４１】
【化４４】
2004506737.tif 000033
【０１４２】
一般スキーム８の説明：
ＸＸＸＩＩ（スキーム６で前記）を、前記したのと同様にしてラウエッソン試薬で処理した後、加熱しながらエタノール中でヒドラジンで処理して、融合した２環式の中間体を形成する。この中間体を、ＴＦＡでの処理により相当するカルボン酸ＸＸＸＩＸに変換する。次に、ＸＸＸＩＸを、スキーム１〜７に概説した方法によってＸＬまたはＸＬＩのいずれかに変換する。
【０１４３】
【化４５】
2004506737.tif 000034
【０１４４】
一般スキーム９の説明：
ＸＸＸＶＩＩ（スキーム７で前記）のケトン官能性を、Ｈｗｕ ｅｔ ａｌ．， Ｊ． Ｏｒｇ． Ｃｈｅｍ．， ５２， １８８ （１９８７）の条件により１，３−ジオキソランを介して保護する。この中間体を、同様の変換に関して前記した条件下でラウエッソン試薬で処理して、相当するチオアミド中間体を得る。この中間体を加熱しながらエタノール中でヒドラジンと反応させて、３−オキソ−ピロロゾ（３−ｏｘｏ−ｐｙｒｒｏｌｏｚｏ）中間体を得、さらにこれをｐ−トルエンスルホン酸ピリジニウムで処理（Ｈａｇｉｗａｒａ ｅｔ ａｌ．， Ｊ． Ｃｈｅｍ． Ｓｏｃ．， Ｃｈｅｍ． Ｃｏｍｍｕｎ．， １３５１ （１９８７））して、ＸＬＩＩを形成する。
【０１４５】
【化４６】
2004506737.tif 000035
【０１４６】
一般スキーム１０の説明：
４−メトキシ−１Ｈ−ピリジ−２−オン（４−Ｍｅｔｈｏｘｙ−１Ｈ−ｐｙｒｉｄｉ−２−ｏｎｅ）（ＣＡＳ＃５２５４５−１３−８； Ｓｉｅｂｕｒｔｈ ｅｔ ａｌ， Ｊ． Ｏｒｇ． Ｃｈｅｍ．， ６４（３）， ９５０−９５３ （１９９９）； Ｗａｌｔｅｒｓ ｅｔ ａｌ．， Ｔｅｔｒａｈｅｄｒｏｎ Ｌｅｔｔ．， ３６（４２）， ７５７５−８ （１９９５）； Ｋｕｚｕｙａ ｅｔ ａｌ．， Ｎｉｐｐｏｎ Ｋａｇａｋｕ Ｋａｉｓｈｉ， １２， １７４６−５３ （１９８６））（Ｂｅｒｇｍａｎｎ， Ｒ． ｅｔ ａｌ．， Ｊ． Ｍｅｄ． Ｃｈｅｍ．， ３３， ４９２−５０４ （１９９０））を、Ｎ−アルキル化中間体を得るために臭化ベンジルで相間移動条件（Ｚｗｉｅｒｚａｋ， Ｓｙｎｔｈｅｓｉｓ， ５２７， ５２９ （１９７９））下でまたはＫＦ−アルミナ及び臭化ベンジルを用いたＹａｍａｗａｋｉ， Ｃｈｅｍ． Ｌｅｔｔ．， １１４３−１１４６ （１９８１）の条件によってアルキル化する。この中間体を、Ｐａｄｅｎｔｔｅｎ ｅｔ ａｌ， Ｊ． Ｃｈｅｍ． Ｓｏｃ．， Ｐｅｒｋｉｎ Ｔｒａｎｓ． １（１）， ６７−７７ （１９９２）の方法を適用し、さらに分解条件下でｐ−ホルムアルデヒドでリチウム化中間体をトラップしてその３−メタノール誘導体に変換する。この中間体におけるアルコール官能性を、ＮａＨ及び臭化ベンジルを用いたアルコールのアルキル化によりベンジルエーテルに変換することによって保護する。この中間体であるベンジルエーテルをＴＦＡで処理して、ＸＬＩＩＩを得る。ＸＬＩＩＩを、ＮａＨを用いて適当なＸＩＸによりＮ−アルキル化した後、水素化分解及びＰＣＣ酸化して、ＸＬＩＶを得る。ＸＬＩＶを、加熱しながらエタノール中でヒドラジンで処理して、融合した２環式の中間体を得る。この中間体をＴＦＡでの処置により相当するカルボン酸ＸＬＶに変換する。さらに、ＸＬＶを、同様の変換に関する前記スキームに概説される方法によって、ＸＬＶＩまたはＸＬＶＩＩのいずれかに変換する。
【０１４７】
【化４７】
2004506737.tif 000036
【０１４８】
一般スキーム１１の説明：
４−メトキシ−１Ｈ−ピリジ−２−オン（ＣＡＳ＃５２５４５−１３−８； Ｓｉｅｂｕｒｔｈ ｅｔ ａｌ， Ｊ． Ｏｒｇ． Ｃｈｅｍ．， ６４（３）， ９５０−９５３ （１９９９）； Ｗａｌｔｅｒｓ ｅｔ ａｌ．， Ｔｅｔｒａｈｅｄｒｏｎ Ｌｅｔｔ．， ３６（４２）， ７５７５−８ （１９９５）； Ｋｕｚｕｙａ ｅｔ ａｌ．， Ｎｉｐｐｏｎ Ｋａｇａｋｕ Ｋａｉｓｈｉ， １２， １７４６−５３ （１９８６））（Ｂｅｒｇｍａｎｎ ｅｔ ａｌ．， Ｊ． Ｍｅｄ． Ｃｈｅｍ．， ３３， ４９２−５０４（１９９０））を、Ｎ−アルキル化中間体を得るために臭化ベンジルで相間移動条件（Ｚｗｉｅｒｚａｋ， Ａ．， Ｓｙｎｔｈｅｓｉｓ， ５２７， ５２９ （１９７９））下でまたはＫＦ−アルミナ及び臭化ベンジルを用いたＹａｍａｗａｋｉ， Ｃｈｅｍ． Ｌｅｔｔ．， １１４３−１１４６ （１９８１）の条件によってアルキル化する。この中間体を、Ｐａｄｅｎｔｔｅｎ ｅｔ ａｌ． Ｊ． Ｃｈｅｍ． Ｓｏｃ．， Ｐｅｒｋｉｎ Ｔｒａｎｓ． １（１）， ６７−７７ （１９９２）の方法を適用し、さらに分解条件下でｐ−ホルムアルデヒドでリチウム化中間体をトラップしてその３−メタノール誘導体に変換する。この中間体におけるアルコール官能性を、第１級アルコールの同様の保護に関するＦｕｋｕｙａｍａ ｅｔ ａｌ．， Ｔｅｔｒａｈｅｄｒｏｎ Ｌｅｔｔｅｒｓ， ２６， ６２９１ （１９８５） または Ｐｅｔｉｔｏｕ ｅｔ ａｌ．， Ｔｅｔｒａｈｅｄｒｏｎ Ｌｅｔｔｅｒｓ， ２９， １３８９ （１９８８）に記載されるのと同様のミツノブ反応（Ｍｉｔｓｕｎｏｂｕ ｒｅａｃｔｉｏｎ）によりｐ−メトキシフェニルエーテルとして保護する。この中間体である、ｐ−メトキシフェニルエーテルをＴＦＡで処理して、ＸＬＶＩＩＩを得る。ＸＬＶＩＩＩを、適当なＸＸＸＶＩを用いて、さらにＸＸＸＩからＸＸＸＶＩＩへの変換に関するスキーム７で概説された方法を適用して、ＸＬＩＸに変換する。ＸＬＩＸのケトン官能性を、Ｈｗｕ ｅｔ ａｌ．， Ｊ． Ｏｒｇ． Ｃｈｅｍ．， ５２， １８８ （１９８７）の条件により１，３−ジオキソランを介して保護する。この後、ＣＡＮ（Ｆｕｋｕｙａｍａ ｅｔ ａｌ．， Ｔｅｔｒａｈｅｄｒｏｎ Ｌｅｔｔｅｒｓ， ２６， ６２９１ （１９８５））で処理することにより、脱保護されたアルコール中間体を得、これをＰＣＣを用いて相当するアルデヒド中間体に酸化する。この中間体を、加熱しながらエタノール中でヒドラジンで処理して、３−オキソ−ピロロゾ（３−ｏｘｏ−ｐｙｒｏｌｏｚｏ）中間体を得、さらにこれをｐ−トルエンスルホン酸ピリジニウムで処理して、Ｌを形成する。
【０１４９】
【化４８】
2004506737.tif 000037
【０１５０】
一般スキーム１２の説明：
ＸＬＶＩＩＩ（スキーム１１で前記）を、適当なＸＩＸを用いて、さらにＸＸＸＩからＸＸＸＩＩへの変換に関するスキーム６で概説された方法を適用して、ＬＩに変換する。ＬＩを、先のスキームで前記したのと同様にしてラウエッソン試薬で処理した後、ＣＡＮ（Ｆｕｋｕｙａｍａ ｅｔ ａｌ．， Ｔｅｔｒａｈｅｄｒｏｎ Ｌｅｔｔｅｒｓ， ２６， ６２９１ （１９８５））で処理することにより、脱保護されたアルコール中間体を得、これをＰＣＣを用いて相当するアルデヒド中間体に酸化する。このアルデヒド中間体を、加熱しながらエタノール中でヒドラジンで処理して、融合した２環式の中間体を得る。この２環式の中間体を、ＴＦＡでの処理により相当するカルボン酸ＬＩＩに変換する。次に、ＬＩＩを、同様の変換に関するスキーム１〜１１に概説される方法によって、ＬＩＩＩまたはＬＩＶのいずれかに変換する。
【０１５１】
【化４９】
2004506737.tif 000038
【０１５２】
一般スキーム１３の説明：
ＸＬＩＸ（スキーム１１で前記）のケトン官能性を、Ｈｗｕ ｅｔ ａｌ， Ｊ． Ｏｒｇ． Ｃｈｅｍ．， ５２， １８８ （１９８７）の条件により１，３−ジオキソランで保護した後、ラウエッソン試薬で処理して、相当するチオアミド中間体を得る。このチオアミド中間体を、ＣＡＮ（Ｆｕｋｕｙａｍａ ｅｔ ａｌ．， Ｔｅｔｒａｈｅｄｒｏｎ Ｌｅｔｔｅｒｓ， ２６， ６２９１ （１９８５））で処理することにより、脱保護されたアルコール中間体を得、これをＰＣＣを用いて相当するアルデヒド中間体に酸化する。この中間体を、加熱しながらエタノール中でヒドラジンと反応させて、２環式の中間体を得、さらにこれをｐ−トルエンスルホン酸ピリジニウムで処理して、ＬＶを形成する。
【０１５３】
【化５０】
2004506737.tif 000039
【０１５４】
ＬＶＩａ（Ｒ１＝フェニルおよびＲ８＝メチル）からＬＶＩＩＩａへの変換によって例示される一般スキーム１４の説明（実施例３２及び３３を参照）：
ＬＶＩ及び（Ｒ）−α−メチルベンジルアミンの混合物を、ｐ−ＴｓＯＨに添加し、得られたものを４時間還流する。適当なウォークアップ後、未精製の中間体をキシレン中にとり、これに、エチル３−アミノ−４−ピラゾール（Ｅｔｈｙｌ ３−ａｍｉｎｏ−４−ｐｙｒａｚｏｌｅ）、ｐ−ＴｓＯＨを添加して、得られたものを２４時間還流する。適当なウォークアップ後、ＬＶＩＩが白色固体として得られる。次に、ＬＶＩＩを、還流しながらトルエン中でラウエッソン試薬で処理して、ＬＶＩＩＩを得る。ＬＶＩは一般スキーム１４ではキラルとして示されるものの、ラセミ混合物として使用してもよいが、得られる産物もまたラセミ体であろう。
【０１５５】
【化５１】
2004506737.tif 000040
【０１５６】
一般スキーム１５の説明（ＬＶＩＩ及びＬＶＩＩＩへの別の経路）：
４−オキソ−４，５−ジヒドロ−ピラゾロ［３，４−ｄ］ピリミジン−１−カルボン酸エチルエステル（ＣＡＳ＃７３０９５−８３−７； Ｂｅｒｇｍａｎｎ ｅｔ ａｌ．， Ｊ． Ｃｈｅｍ． Ｓｏｃ．， １ （１１）， ２７９５−８０２ （１９７９））を、前記スキームに記載されるのと同様にして、ＮａＨを用いて適当なＬＩＸでＮ−アルキル化して、ＬＸを得る。次に、ＬＸを、ＭｅＯＨ中でＮａ２ＣＯ３で処理して、ＬＶＩＩを得、これをラウエッソン試薬で処理して、ＬＶＩＩＩを得る。ＬＩＸはキラル化合物として示されるものの、ラセミ混合物として使用してもよいが、得られる産物もまたラセミ体であろう。
【０１５７】
様々なスキームおよび実施例で必要である中間体および出発材料の調製
α−アミノ酸は、市販されている、または当業者によく知られている方法に従って調製されうる。光学活性のあるα−アミノ酸の合成に関する最近のレビューに関しては、Ｏ’Ｄｏｎｎｅｌｌ， Ａｌｄｒｉｃｈｉｍｉｃａ Ａｃｔａ， ３４， １， ３−１５ （２００１）及び本明細書中に引用される参考文献を参照のこと。一般構造ＸＩＸ（ラセミ及び光学活性のある）によって表わされる中間体は、当業者によく知られている方法に従ってヒドロキシルからトリフレート（ｔｒｉｆｌａｔｅ）への変換を介して相当するα−ヒドロキシｔ−ブチルエステルから調製されうる。α−ヒドロキシエステルに関する選択されたレビューを以下に列挙する：Ｌａｄｄｕｗａｈｅｔｔｙ， Ｃｏｎｔｅｍｐ． Ｏｒｇ． Ｓｙｎｔｈ．， ４（４）， ３０９−３２５ （１９９７）； 及び Ｓｈａｒｐｌｅｓｓ， Ｃｈｅｍｔｒａｃｔｓ： Ｏｒｇ． Ｃｈｅｍ．， ２（４）， ２５５−７ （１９８９）。
【０１５８】
同様にして、一般構造ＸＸＸＶＩ（ラセミ及び光学活性のある）によって表わされる中間体は、当業者によく知られている方法に従ってヒドロキシルからトリフレート（ｔｒｉｆｌａｔｅ）への変換を介して相当するα−ヒドロキシケトンから調製されうる。α−ヒドロキシケトンに関する選択されたレビューを以下に列挙する：Ｓｃｈｕｌｔｚ ｅｔ ａｌ．， Ｓｔｅｒｅｏｓｅｌ． Ｒｅａｃｔ． Ｍｅｔ．−Ａｃｔ． Ｍｏｌ．， Ｐｒｏｃ． Ｓｙｍｐ．， ２ｎｄ （１９９５）， Ｍｅｅｔｉｎｇ Ｄａｔｅ １９９４， ４５−４８．　Ｐｕｂｌｉｓｈｅｒ： Ｖｉｅｗｅｇ， Ｗｉｅｓｂａｄｅｎ， Ｇｅｒｍａｎｙ； Ｒｏｕｓｈ， Ｃｈｅｍｔｒａｃｔｓ： Ｏｒｇ． Ｃｈｅｍ．， １（５）， ３８５−７ （１９８８）； 及び Ｇａｎｅｍ， Ｃｈｅｍｔｒａｃｔｓ： Ｏｒｇ． Ｃｈｅｍ．， １（５）， ４１３−１４ （１９８８）。
【０１５９】
ＬＶＩ等のキラルまたはラセミアミンは、市販で得られるまたは文献に開示される方法を介して若しくは文献に開示される手法（ｐｒｏｃｅｄｕｒｅｓ）を適用することによって当業者によって調製されうる。
【０１６０】
ＬＩＸ等のキラルまたはラセミトリフレート（ｃｈｉｒａｌ ｏｒ ｒａｃｅｍｉｃ ｔｒｉｆｌａｔｅ）は、文献に開示される方法によってまたは文献に開示される手法を適用することによってトリフレートへの変換を介して相当するアルコールから当業者によって調製される。
【０１６１】
中間体ＶＩＩｂ（Ｒ１＝３−アリルオキシ−フェニル）の合成
【０１６２】
【化５２】
2004506737.tif 000041
【０１６３】
（１）（３−アリルオキシ−フェニル）−酢酸［（３−Ａｌｌｙｌｏｘｙ−ｐｈｅｎｙｌ）−ａｃｅｔｉｃ ａｃｉｄ］（Ｂ）
【０１６４】
【化５３】
2004506737.tif 000042
【０１６５】
３００ｍｌの乾燥ＴＨＦにおける３−ヒドロキシフェニル酢酸（Ａ）（１０ｇ、６５．７２ｍｍｏｌ）の溶液を、ＮａＨ（６．０ｇ、１９７．２ｍｍｏｌ）と１００ｍｌの乾燥ＴＨＦとの混合物に添加した。得られた混合物を室温でＡｒ下で２時間攪拌した後、臭化アリル（２３ｍｌ、２６２．８８ｍｍｏｌ）を滴下した。得られた混合物を６７℃で一晩還流した。氷浴中で冷却後、反応混合物を、氷水（１００ｍｌ）を添加することによって急冷し、２時間室温で攪拌した後、真空蒸発させて、ほとんどのＴＨＦを除去した。残渣をエーテル（２００ｍｌ）で抽出して、中性物質を除去した。水相を、２Ｎ　ＨＣｌ溶液を添加することによってｐＨ４．０にまで酸性にし、ＣＨ２Ｃｌ２で抽出した（２ｘ２５０ｍｌ）。合わせた有機層をブライン（１００ｍｌ）で洗浄し、Ｎａ２ＳＯ４で乾燥し、真空蒸発することによって、（Ｂ）（５．１ｇ、２６．２９ｍｍｏｌ、４０％収率）をオフホワイトのグリースとして得た。
【０１６６】
ＴＬＣ；Ｒｆ＝０．３（Ｈ２Ｃｌ２：ＭｅＯＨ＝９：１）。
【０１６７】
１Ｈ−ＮＭＲ（ＣＤＣｌ３）：δ３．６５（ｓ，２Ｈ），４．５４−４．５７（ｄ，Ｊ＝８Ｈｚ，２Ｈ），５．２９−５．３４（ｄ，Ｊ＝１５Ｈｚ，１Ｈ），５．４１−５．４８（ｄ，Ｊ＝２０Ｈｚ，１Ｈ），６．０１−６．１４（ｍ，１Ｈ），６．７６−６．９２（ｍ，３Ｈ），７．１９−７．２７（ｍ，１Ｈ）。
【０１６８】
ＩＲ（ＣＤＣｌ３）２９２１，１６９７，１５９６，１４９４，１４４５，１４３８，１２７２，１２１７，１１７６，１９２４，９２３，７７４ｃｍ−１。
【０１６９】
ＭＳ　Ｃ１１Ｈ１２Ｏ３に関する算出された（Ｍ＋Ｈ）＝１９３，観測された（Ｍ＋Ｈ）＝１９３；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０１７０】
保持時間＝６．８０７分。
【０１７１】
（２）（３−アリルオキシ−フェニル）−酢酸シクロヘキシルエステル［（３−Ａｌｌｙｌｏｘｙ−ｐｈｅｎｙｌ）−ａｃｅｔｉｃ ａｃｉｄ ｃｙｃｌｏｈｅｘｙｌ ｅｓｔｅｒ］（Ｃ）
【０１７２】
【化５４】
2004506737.tif 000043
【０１７３】
０℃の２５ｍｌのＣＨ２Ｃｌ２における（Ｂ）（５．０５ｇ、２６．３ｍｍｏｌ）及びシクロヘキサノール（３．３ｍｌ、３１．５６ｍｍｏｌ）の溶液に、ＤＣＣ（ジシクロヘキシルカルボジイミド）（６．０ｇ、２８．９３ｍｍｏｌ）及びＤＭＡＰ（Ｎ，Ｎ−ジメチル−４−アミノピリジン）（０．３２ｇ、２．６３ｍｍｏｌ）を添加した。得られた混合物を０℃から室温で２日間攪拌した。反応混合物を瀘別し、ＣＨ２Ｃｌ２でよく洗浄して、ほとんどのＮ，Ｎ−ジシクロヘキシルウレア（Ｎ，Ｎ−ｄｉｃｙｃｌｏｈｅｘｙｌｕｒｅａ）を除去した。濾液を飽和ＮａＨＣＯ３、ブラインで抽出した（２ｘ１００ｍｌ）。有機層をＮａ２ＳＯ４で乾燥し、真空蒸発させた。残渣をフラッシュシリカゲルクロマトグラフィーで精製し、ヘキサン：ＥｔＯＡｃ（２：１）で溶出して、（Ｃ）（７．０５ｇ、２５．６ｍｍｏｌ、９８％収率）を透明な油として得た。
【０１７４】
ＴＬＣ：Ｒｆ＝０．８（ヘキサン：ＥｔＯＡｃ＝２：１）。
【０１７５】
１Ｈ−ＮＭＲ（ＣＤＣｌ３）：δ１．２６−１．９４（ｍ，１０Ｈ），４．５５−４．５９（ｄ，Ｊ＝１３Ｈｚ，２Ｈ），４．７７−４．８３（ｍ，１Ｈ），５．２８−５．３４（ｄ，Ｊ＝１４Ｈｚ，１Ｈ），５．４１−５．４８（ｄ，Ｊ＝１４Ｈｚ，１Ｈ），６．０２−６．１５（ｍ，１Ｈ），６．８３−６．９８（ｍ，３Ｈ），７．２２−７．２８（ｍ，１Ｈ）。
【０１７６】
ＩＲ（ＣＤＣｌ３）２９３５，２８５８，２３５９，２１１８，１７３１，１５９９，１４８９，１２５９，１１５１，１０３８，１０１６，９２７，７７０，６８９ｃｍ−１。
【０１７７】
ＭＳ　Ｃ１７Ｈ２２Ｏ３に関する算出された（Ｍ＋Ｈ）＝２７５、観測された（Ｍ＋Ｈ）＝２７５；
ＨＰＬＣ：５０％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０１７８】
保持時間＝７．６４分。
【０１７９】
（３）（３−アリルオキシ−フェニル）−２−アジド−酢酸シクロヘキシルエステル［（３−Ａｌｌｙｌｏｘｙ−ｐｈｅｎｙｌ）−２−ａｚｉｄｏ−ａｃｅｔｉｃ ａｃｉｄ ｃｙｃｌｏｈｅｘｙｌ ｅｓｔｅｒ］（Ｄ）
【０１８０】
【化５５】
2004506737.tif 000044
【０１８１】
Ａｒ下で−７８℃で攪拌された５０ｍｌの乾燥ＴＨＦにおけるトルエン（６１．４ｍｌ、３０．７２ｍｍｏｌ）におけるビス（トリメチルシリル）アミドカリウム［ｐｏｔａｓｓｉｕｍ ｂｉｓ（ｔｒｉｍｅｔｈｙｌｓｉｌｙｌ）ａｍｉｄｅ］（ＫＨＭＤＳ）０．５Ｍの溶液に、シリンジで、７５ｍｌの乾燥ＴＨＦにおける（Ｃ）（７．０２ｇ、２５．６ｍｍｏｌ）の予め冷却した（−７８℃）溶液を添加した。得られた黄色の溶液を−７８℃で３０分間攪拌した後、７５ｍｌの乾燥ＴＨＦにおける２，４，６−トリイソプロピルベンゼン−スルホニルアジド（２，４，６−ｔｒｉｉｏｓｏｐｒｏｐｙｌｂｅｎｚｅｎｅ−ｓｕｌｆｏｎｙｌａｚｉｄｅ）（９．５１ｇ、３０．７２ｍｍｏｌ）の別の予め冷却した（−７８℃）溶液をシリンジで添加した。反応混合物を−７８℃で３時間攪拌した後、ＨＯＡｃ（７．３ｍｌ、１２８ｍｍｏｌ）で急冷した。得られた混合物を、Ａｒ下で−７８℃から室温で一晩攪拌した。１Ｎ　ＮＨ４Ｃｌ水溶液（１００ｍｌ）を、この黄色の懸濁液に添加した後、ＥｔＯＡｃで抽出した（２ｘ３００ｍｌ）。有機層をブラインで洗浄し、Ｎａ２ＳＯ４で乾燥し、真空蒸発させた。残渣を、３００ｍｌのアセトン、ＮａＩ（１９．１ｇ、１２８ｍｍｏｌ）及びＮａＯＡｃ（６．３ｇ、７６．８ｍｍｏｌ）中に懸濁した後、室温で３時間攪拌した。無機塩を瀘過によって除去した。濾液を蒸発した後、ＥｔＯＡｃ（２ｘ３００ｍｌ）及び水（７５ｍｌ）間で分配した。合わせた有機層を、０．５Ｍ　ＮａＨＳＯ３、ブラインで洗浄し（２ｘ５０ｍｌ）、Ｎａ２ＳＯ４で乾燥して、真空蒸発させた。残渣をフラッシュクロマトグラフィーで精製し、ヘキサン：ＥｔＯＡｃ（６：１）で溶出することによって、（Ｄ）（７．７ｇ、２４．３２ｍｍｏｌ、９５％収率）を茶色の油として得た。ＴＬＣ：Ｒｆ＝０．８（ヘキサン：ＥｔＯＡｃ（６：１））。
【０１８２】
１Ｈ−ＮＭＲ（ＣＤＣｌ３）：δ１．２６−１．８７（ｍ，１０Ｈ），４．５７−４．６４（ｍ，２Ｈ），４．９０−４．９４（ｍ，２Ｈ），５．３１−５．３６（ｄ，Ｊ＝１４Ｈｚ，１Ｈ），５．４２−５．４９（ｄ，Ｊ＝２０Ｈｚ，１Ｈ），６．０２−６．１５（ｍ，１Ｈ），６．９４−７．１８（ｍ，３Ｈ），７．３１−７．５９（ｍ，１Ｈ）。
【０１８３】
ＩＲ（ＣＤＣｌ３）２９３６，２８５９，２３５９，２１０４，１７３６，１５９８，１４９８，１４４８ｃｍ−１。
【０１８４】
ＭＳ　Ｃ１７Ｈ２１Ｎ３Ｏ３に関する算出された（Ｍ＋Ｈ）＝３１６および（Ｍ＋Ｈ−Ｎ２）＝２８８、観測された（Ｍ＋Ｈ−Ｎ２）＝２８８；
ＨＰＬＣ：５０％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０１８５】
保持時間＝８．２５分。
【０１８６】
（４）（３−アリルオキシ−フェニル）−２−アミノ−酢酸シクロヘキシルエステル［（３−Ａｌｌｙｌｏｘｙ−ｐｈｅｎｙｌ）−２−ａｍｉｎｏ−ａｃｅｔｉｃ ａｃｉｄ ｃｙｃｌｏｈｅｘｙｌ ｅｓｔｅｒ］（ＶＩＩｂ）
【０１８７】
【化５６】
2004506737.tif 000045
【０１８８】
４０ｍｌのＴＨＦ及び８０ｍｌのＭｅＯＨにおける（Ｄ）（４．３４ｇ、１３．８ｍｍｏｌ）の溶液を、室温で一晩激しく攪拌しながら塩化アンモニウム（５．２ｇ、９６．６ｍｍｏｌ）及びＺｎ粉末（２．７１ｇ、４１．４ｍｍｏｌ）で処理した。不溶性の塩を瀘別し、ＭｅＯＨでよく洗浄した。濾液を真空蒸発した。残渣を、ＥｔＯＡｃ（２００ｍｌ）及び水、ブライン（２ｘ１００ｍｌ）間で分配した。有機層をＮａ２ＳＯ４で乾燥した後、真空蒸発した。黄色の油状の残渣をフラッシュシリカゲルクロマトグラフィーで精製し、ヘキサン：ＥｔＯＡｃ（１：１）で溶出することによって、前の画分を除去した後、ＣＨ２Ｃｌ２：ＥｔＯＡｃ（１：１）で溶出することによって、（ＶＩＩｂ）（２．１２ｇ、７．３１ｍｍｏｌ、５３％収率）を黄色の油として得た。
【０１８９】
ＴＬＣ：Ｒｆ＝０．３（ヘキサン：ＥｔＯＡｃ＝１：１）。
【０１９０】
１Ｈ−ＮＭＲ（ＣＤＣｌ３）：δ１．２４−１．８３（ｍ，１０Ｈ），２．３１（ｓ，ｂｒ，２Ｈ，ＮＨ），４．５５−４．４７（ｄ，Ｊ＝３Ｈｚ，２Ｈ），４．６６（ｓ，１Ｈ），４．７９−４．８５（ｍ，１Ｈ），５．２９−５．３０（ｄ，Ｊ＝１０Ｈｚ，１Ｈ），５．３９−５．４７（ｄ，Ｊ＝２０Ｈｚ，１Ｈ），６．０２−６．１４（ｍ，１Ｈ），６．８６−６．９８（ｍ，３Ｈ），７．２５−７．３０（ｍ，１Ｈ）。
【０１９１】
ＩＲ（ＣＤＣｌ３）２９３６，２８５８，２３５９，１７２８，１５９９，１４８７，１４４９，１２６０，１０７０，１０１２，９２７，７８２ｃｍ−１。
【０１９２】
ＭＳ　Ｃ１７Ｈ２３ＮＯ３に関する算出された（Ｍ＋Ｈ）＝２９０、観測された（Ｍ＋Ｈ）＝２９０；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０１９３】
保持時間＝６．８１分。
【０１９４】
１−ベンジル−４−ブチル−ピペリジン−４−オール（１−Ｂｅｎｚｙｌ−４−ｂｕｔｙｌ−ｐｉｐｅｒｉｄｉｎ−４−ｏｌ）（Ｆ）の合成
【０１９５】
【化５７】
2004506737.tif 000046
【０１９６】
Ａｒ下での−７８℃の２ｍｌのエチルエーテルにおける１−ベンジル−４−ピペリドン（１−ｂｅｎｚｙｌ−４−ｐｉｐｅｒｉｄｏｎｅ）（Ｅ）（０．５ｍｌ、２．７ｍｍｏｌ）の溶液を、ヘキサン（２．２ｍｌ、５．４ｍｍｏｌ）における２．５Ｍブチルリチウムに添加した。得られた混合物を−７８℃から室温で一晩攪拌した。反応混合物を、エーテル（２００ｍｌ）及び水（２０ｍｌ）間で分配した。水層を、再度エーテル（１００ｍｌ）及びＥｔＯＡｃ（１００ｍｌ）で抽出した。合わせた有機層を無水Ｎａ２ＳＯ４で乾燥した後、真空で濃縮した。残渣をフラッシュシリカゲルクロマトグラフィーで精製し、ヘキサン：ＥｔＯＡｃ（１：１）で溶出することによって、（Ｆ）（０．５６ｇ、２．２５ｍｍｏｌ、８３％収率）を茶色の油として得た。
【０１９７】
ＴＬＣ；Ｒｆ＝０．４（ＥｔＯＡｃ）。
【０１９８】
１Ｈ−ＮＭＲ；（ＣＤＣｌ３）δ０．９２−０．９６（ｔｒｉ，３Ｈ）），１．１４−１．７４（ｍ，１０Ｈ），２．３２−２．４１（ｍ，２Ｈ），２．６３−２．６８（ｍ，２Ｈ），３．５５（ｓ，２Ｈ），７．３０−７．３７（ｍ，５Ｈ）。
【０１９９】
ＩＲ（ＣＤＣｌ３）３３９５，２９３２，２８１２，２３５９，１４９４，１４６７，１３６５，１３４２，１２９９，１２５５，１１６２，１１０５，１０２９，９７１，９０５，８０８ｃｍ−１。
【０２００】
ＭＳ　Ｃ１６Ｈ２５ＮＯに関する算出された（Ｍ＋Ｈ）＝２４８、観測された（Ｍ＋Ｈ）＝２４８；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０２０１】
保持時間＝５．２９分。
【０２０２】
１−ベンジル−４−メチル−ピペリジン−４−オール（１−Ｂｅｎｚｙｌ−４−Ｍｅｔｈｙｌ−ｐｉｐｅｒｉｄｉｎ−４−ｏｌ）（Ｇ）の合成
【０２０３】
【化５８】
2004506737.tif 000047
【０２０４】
Ａｒ下での−７８℃の２ｍｌのエチルエーテルにおける１−ベンジル−４−ピペリドン（Ｅ）（０．５ｍｌ、２．７ｍｍｏｌ）の溶液を、ＴＨＦ（５．４ｍｌ、５．４ｍｍｏｌ）における１．０Ｍ　メチルリチウムに添加した。得られた混合物を−７８℃から室温で一晩攪拌した。反応混合物を、エーテル（２００ｍｌ）及び水（２０ｍｌ）間で分配した。水層を、再度エーテル（１００ｍｌ）及びＥｔＯＡｃ（１００ｍｌ）で抽出した。合わせた有機層を無水Ｎａ２ＳＯ４で乾燥した後、真空で濃縮した。残渣をフラッシュシリカゲルクロマトグラフィーで精製し、ヘキサン：ＥｔＯＡｃ（１：１）で溶出することによって、（Ｇ）（０．２２ｇ、１．０８ｍｍｏｌ、４０％収率）を黄色の油として得た。
【０２０５】
ＴＬＣ；Ｒｆ＝０．５（ＥｔＯＡｃ）。
【０２０６】
１Ｈ−ＮＭＲ；（ＣＤＣｌ３）δ１．２７（ｓ，３Ｈ）），１．５９−１．７６（ｍ，４Ｈ），２．３６−２．８２（ｍ，４Ｈ），５．５８（ｓ，ｂｒ，１Ｈ），７．３０−７．４５（ｍ，５Ｈ）。
【０２０７】
ＩＲ（ＣＤＣｌ３）３３４０，２９１７，２３５９，１７１２，１５９３，１４５３，７００ｃｍ−１。
【０２０８】
ＭＳ　Ｃ１３Ｈ１９ＮＯに関する算出された（Ｍ＋Ｈ）＝２０６。観測された（Ｍ＋Ｈ）＝２０６；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０２０９】
保持時間＝４．３５分。
【０２１０】
４−ブチル−ピペリジン−４−オール（１−Ｂｅｎｚｙｌ−４−Ｍｅｔｈｙｌ−ｐｉｐｅｒｉｄｉｎ−４−ｏｌ）（Ｈ）の合成
【０２１１】
【化５９】
2004506737.tif 000048
【０２１２】
１０ｍｌのＭｅＯＨにおける１−ベンジル−４−ブチル−ピペリジン−４−オール（Ｆ）（８３ｍｇ、０．３４ｍｍｏｌ）及び１０％Ｐｄ−Ｃ（１０ｍｇ）の反応混合物を、一晩Ｈ２（４０ｐｓｉ）下で激しく振盪した。混合物をセライトで瀘別して、ＭｅＯＨでよく洗浄した。濾液を真空蒸発することによって、（Ｈ）を未精製物（４６ｍｇ、０．２９ｍｍｏｌ、８６％収率）として透明な油として得た。
【０２１３】
１Ｈ−ＮＭＲ；（ＣＤＣｌ３）δ０．８９−０．９８（ｍ，３Ｈ）），１．２９−１．７５（ｍ，１０Ｈ），２．２９−２．３９（ｍ，２Ｈ），２．６０−２．７６（ｍ，２Ｈ）。
【０２１４】
ＭＳ　Ｃ９Ｈ１９ＮＯに関する算出された（Ｍ＋Ｈ）＝１５８、観測された（Ｍ＋Ｈ）＝１５８。
【０２１５】
４−メチル−ピペリジン−４−オール（４−Ｍｅｔｈｙｌ−ｐｉｐｅｒｉｄｉｎ−４−ｏｌ）（Ｊ）の合成
【０２１６】
【化６０】
2004506737.tif 000049
【０２１７】
２０ｍｌのＭｅＯＨにおける１−ベンジル−４−ブチル−ピペリジン−４−オール（Ｇ）（２１８ｍｇ、１．０６ｍｍｏｌ）及び１０％Ｐｄ−Ｃ（２０ｍｇ）の反応混合物を、一晩Ｈ２（４０ｐｓｉ）下で激しく振盪した。混合物をセライトで瀘別して、ＭｅＯＨでよく洗浄した。濾液を真空蒸発することによって、（Ｊ）を未精製物（７８ｍｇ、０．６８ｍｍｏｌ、６４％収率）として黄色がかった気泡体（ｆｏａｍ）として得た。
【０２１８】
１Ｈ−ＮＭＲ；（ＣＤＣｌ３）δ１．２６（ｍ，３Ｈ）），１．５７−１．６９（ｍ，４Ｈ），２．２７−３．０２（ｍ，４Ｈ）。
【０２１９】
ＭＳ　Ｃ６Ｈ１３ＮＯに関する算出された（Ｍ＋Ｈ）＝１１６、観測された（Ｍ＋Ｈ）＝１１６。
【０２２０】
４’−ヒドロキシ−３’，４’，５’，６’−テトラヒドロ−２’Ｈ−［２，４’］ビピリジニル−１’−カルボン酸ｔｅｒｔ−ブチルエステル（４’−Ｈｙｄｒｏｘｙ−３’，４’，５’，６’−ｔｅｔｒａｈｙｄｒｏ−２’Ｈ−［２，４’］ｂｉｐｙｒｉｄｉｎｙｌ−１’−ｃａｒｂｏｘｙｌｉｃ ａｃｉｄ ｔｅｒｔ−ｂｕｔｙｌ ｅｓｔｅｒ）（Ｋ）の合成
【０２２１】
【化６１】
2004506737.tif 000050
【０２２２】
５ｍｌのエチルエーテルにおける２−ブロモピリジン（０．２４ｍｌ、２．５　ｍｍｏｌ）の溶液を、Ａｒ（アルゴンガス）下で−５０℃で１０ｍｌのエチルエーテルにおけるヘキサン（１．１ｍｌ、２．７５ｍｍｏｌ）における２．５Ｍ　ｎ−ＢｕＬｉのよく攪拌された混合物に滴下し、この混合物を−５０℃で１０分間攪拌した。次に、５ｍｌのエチルエーテルにおけるｔｅｒｔ−ブチル−４−オキソ−１−ピペリジンカルボキシレート（ｔｅｒｔ−ｂｕｔｙｌ−４−ｏｘｏ−１−ｐｉｐｅｒｉｄｉｎｅ ｃａｒｂｏｘｙｌａｔｅ）（７９７ｍｇ、４．０ｍｍｏｌ）の別の溶液を、この混合物に滴下した。得られた混合物を−３０℃まで加温して、−３０℃で２時間攪拌した。０℃まで加温した後、この混合物を、２５ｍｌの水におけるＮＨ４Ｃｌ（０．７５ｇ）で急冷した。１時間攪拌した後、エーテル層を分離し、水（２０ｍｌ）、１Ｎ　ＨＣｌ（３ｘ１０ｍｌ）で洗浄し、無水Ｎａ２ＳＯ４で乾燥した後、真空で濃縮することによって、（Ｋ）（１８１ｍｇ、０．６５ｍｍｏｌ、２６％収率）を茶色の油として得た。
【０２２３】
ＴＬＣ；Ｒｆ＝０．６（ヘキサン：ＥｔＯＡｃ＝２：１）。
【０２２４】
１Ｈ−ＮＭＲ；（ＣＤＣｌ３）δ１．５３（ｓ，９Ｈ）），１．９１−２．０２（ｍ，２Ｈ），２．４５−２．４９（ｍ，２Ｈ），３．２７−３．３６（ｍ，２Ｈ），３．７３−３．７６（ｍ，１Ｈ），４．１４（ｓ，ｂｒ，２Ｈ），５．２９（ｓ，１Ｈ），７．３０−７．３２（ｄ，Ｊ＝１０Ｈｚ，２Ｈ），７．７３−７．７８（ｍ，１Ｈ），８．５７（ｓ，１Ｈ）。
【０２２５】
ＩＲ（ＣＤＣｌ３）３４２２，２９７９，１８８１，１５９０，１４７２，１４２８，１３６５，１２７８，１２４３，１１６９，１０３２，８６３ｃｍ−１。
【０２２６】
ＭＳ　Ｃ１５Ｈ２２Ｎ２Ｏ３に関する算出された（Ｍ＋Ｈ）＝２７９、観測された（Ｍ＋Ｈ）＝２７９；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０２２７】
保持時間＝４．７５５分。
【０２２８】
２’，３’，５’，６’−テトラヒドロ−１’Ｈ−［２，４’］ビピリジニル−４’−オール（２’，３’，５’，６’−ｔｅｔｒａｈｙｄｒｏ−１’Ｈ−［２，４’］ｂｉｐｙｒｉｄｉｎｙｌ−４’−ｏｌ）（Ｍ）の合成
【０２２９】
【化６２】
2004506737.tif 000051
【０２３０】
ＴＦＡ（０．３ｍｌ、３．８ｍｍｏｌ）を、０℃で５ｍｌのＣＨ２Ｃｌ２における（Ｋ）（１７５ｍｇ、０．６３ｍｍｏｌ）の溶液に滴下した。０℃で３時間攪拌した後、溶剤を真空で除去し、残渣を５％　Ｎａ２ＣＯ３溶液（１０ｍｌ）でスラリー化した。水を真空中で除去し、残渣をＣＨ２Ｃｌ２（１００ｍｌ）で処理し、無水Ｎａ２ＳＯ４で乾燥した後、真空で濃縮することによって、（Ｍ）（６７ｍｇ、０．３８ｍｍｏｌ、６０％収率）を黄色がかった固体として得た。
【０２３１】
ｍｐ：１２８〜１３２℃。
【０２３２】
ＴＬＣ；Ｒｆ＝０．１（ヘキサン：ＥｔＯＡｃ＝２：１）。
【０２３３】
１Ｈ−ＮＭＲ；（ＣＤＣｌ３）δ１．６４−１．６９（ｄ，Ｊ＝１６Ｈｚ，２Ｈ），２．０１−２．１１（ｍ，４Ｈ），３．０７−３．３２（ｍ，２Ｈ），７．２３−７．２７（ｍ，２Ｈ），７．４３−７．４６（ｄ，Ｊ＝１０Ｈｚ，１Ｈ），７．７４−７．９０（ｍ，１Ｈ），８．５５−８．５７（ｄ，Ｊ＝６Ｈｚ，１Ｈ）。ＩＲ（ＣＤＣｌ３）３３９２，２３５９，１６７４，１５９４，１５２１，１４７２，１４３３，１２８７，１０８４，９９２，７８０ｃｍ−１。
【０２３４】
ＭＳ　Ｃ１０Ｈ１４Ｎ２Ｏに関する算出された（Ｍ＋Ｈ）＝１７９、観測された（Ｍ＋Ｈ）＝１７９。
【０２３５】
式Ｉの他の化合物は、上記した一般的な方法または下記実施例で記載される詳細な方法に類似した方法で調製されてもよい。
【０２３６】
実施例１：ｔｅｒｔ−ブトキシカルボニルアミノ−フェニル−酢酸シクロヘキシルエステル（ｔｅｒｔ−Ｂｕｔｏｘｙｃａｒｂｏｎｙｌａｍｉｎｏ−ｐｈｅｎｙｌ−ａｃｅｔｉｃ ａｃｉｄ ｃｙｃｌｏｈｅｘｙｌ ｅｓｔｅｒ）（ＶＩａ）
【０２３７】
【化６３】
2004506737.tif 000052
【０２３８】
ＤＣＣ（ジシクロヘキシルカルボジイミド）（９．１６ｇ、４４．４ｍｍｏｌ）を、６０ｍｌのＣＨ２Ｃｌ２におけるＢｏｃ−Ｌ−（−フェニルグリシン（Ｖａ）（１４．１４ｇ、４０．３５ｍｍｏｌ）及びＤＭＡＰ（Ｎ，Ｎ−ジメチル−４−アミノピリジン）（０．５ｇ、４．０４ｍｍｏｌ）及びシクロヘキサノール（５．１２ｍｌ、４８．４２ｍｍｏｌ）の氷冷懸濁液にゆっくり添加した。得られた混合物を０℃から室温で攪拌し、ＴＬＣでモニターした。終了したら、反応液を瀘過し、沈殿物をＣＨ２Ｃｌ２で洗浄して、ほとんどのＮ、Ｎ’−ジシクロヘキシルウレアを除去した。次に、濾液を、ＣＨ２Ｃｌ２及び飽和ＮａＨＣＯ３間で分配し、層を分離した。水相をＣＨ２Ｃｌ２で抽出し（２ｘ２００ｍｌ）、合わせた有機層をＨ２Ｏ（１５０ｍｌ）、ブライン（１５０ｍｌ）で洗浄し、無水Ｎａ２ＳＯ４で乾燥し、瀘過し、減圧下で濃縮した。得られた黄色がかった油を、溶離剤としてヘキサン：ＥｔＯＡｃ（２：１）を用いてシリカゲルでのカラムクロマトグラフィーにかけることによって、ＶＩａ（１３．３７ｇ、３９．９５ｍｍｏｌ、９９％収率）を粘性のある黄色の油として得た。
【０２３９】
ＴＬＣ；Ｒｆ＝０．７（ＥｔＯＡｃ：ヘキサン＝２：１）。
【０２４０】
１Ｈ−ＮＭＲ；（ＣＤＣｌ３）δ１．２７−１．８３（ｍ，１０Ｈ），１．４７（ｓ，９Ｈ）４．７８−４．８３（ｍ，１Ｈ），５．３１−５．３３（ｄ，１Ｈ，Ｊ＝８Ｈｚ），５．６１−５．６３（ｂｒ，ｓ，１Ｈ，ＮＨ），７．３２−７．４１（ｍ，５Ｈ）。
【０２４１】
ＭＳ　Ｃ１９Ｈ２７ＮＯ４に関する算出された（Ｍ＋Ｈ）＝３３４、観測された（Ｍ＋Ｈ）＝３３４。
【０２４２】
ＨＰＬＣ：３０％ＣＨ３ＣＮ／Ｈ２Ｏ（０．１％ＴＦＡ）から９０％ＣＨ３ＣＮ／Ｈ２Ｏ（０．１％ＴＦＡ）／２０分：
保持時間＝１４．６１分。
【０２４３】
実施例２：アミノ−フェニル−酢酸シクロヘキシルエステル（Ａｍｉｎｏ−ｐｈｅｎｙｌ−ａｃｅｔｉｃ ａｃｉｄ ｃｙｃｌｏｈｅｘｙｌ ｅｓｔｅｒ）（ＶＩＩａ）
【０２４４】
【化６４】
2004506737.tif 000053
【０２４５】
ＴＦＡ（３０ｍｌ、３８５．１ｍｍｏｌ）を、０℃で５０ｍｌのＣＨ２Ｃｌ２におけるＶＩａ（１３．２７ｇ、３９．７９ｍｍｏｌ）の溶液に滴下した。得られた黄色がかった混合物を０℃から室温で一晩攪拌した。次に、反応液を減圧下で濃縮し、得られた黄色の油を、ＣＨ２Ｃｌ２（３００ｍｌ）及び飽和ＮａＨＣＯ３（１５０ｍｌ）間で分配し、層を分離した。水相をＣＨ２Ｃｌ２で抽出し（２ｘ１５０ｍｌ）、合わせた有機層をＨ２Ｏ（１５０ｍｌ）、ブライン（１５０ｍｌ）で洗浄し、無水Ｎａ２ＳＯ４で乾燥し、瀘過し、減圧下で濃縮することによって、ＶＩＩａ（９．０５ｇ、３８．９９ｍｍｏｌ、９８％収率）を黄色の油として得た。
【０２４６】
ＴＬＣ；Ｒｆ＝０．７（ＣＨ２Ｃｌ２：ＭｅＯＨ＝９：１）。
【０２４７】
１Ｈ−ＮＭＲ（ＣＤＣｌ３）δ１．２５−２．０３（ｍ，１０Ｈ），４．６２（ｓ，１Ｈ），４．８１−４．８５（ｍ，１Ｈ），７．３０−７．４３（ｍ，５Ｈ）。
【０２４８】
ＭＳ　Ｃ１４Ｈ１９ＮＯ２に関する算出された（Ｍ＋Ｈ）＝３３４、観測された（Ｍ＋Ｈ）＝３３４。
【０２４９】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０２５０】
保持時間＝７．５２分。
【０２５１】
実施例３：（２−シアノ−アセチルアミノ）−フェニル−酢酸シクロヘキシルエステル［（２−Ｃｙａｎｏ−ａｃｅｔｙｌａｍｉｎｏ）−ｐｈｅｎｙｌ−ａｃｅｔｉｃ ａｃｉｄ ｃｙｃｌｏｈｅｘｙｌ ｅｓｔｅｒ］（ＩＸａ）
【０２５２】
【化６５】
2004506737.tif 000054
【０２５３】
ＨＡＴＵ（２４ｇ、６３．１ｍｍｏｌ）を、０℃で６０ｍｌのＤＭＦにおけるＶＩＩａ（９．０１ｇ、３８．６３ｍｍｏｌ）、α−シアノ酢酸（ＶＩＩＩ）（３．５８ｇ、４２．０５ｍｍｏｌ）及びトリエチルアミン（１２ｍｌ、８４．１ｍｍｏｌ）の溶液に添加した。黄色の溶液を０℃から室温で一晩攪拌した。次に、反応混合物を、ＥｔＯＡｃ（３００ｍｌ）及びＨ２Ｏ（１５０ｍｌ）間で分配し、層を分離した。有機相を飽和ＮａＨＣＯ３（１５０ｍｌ）、Ｈ２Ｏ（１５０ｍｌ）、０．５Ｎ　ＨＣｌ（１５０ｍｌ）、ブライン　１５０ｍｌ）で洗浄し、無水Ｎａ２ＳＯ４で乾燥し、瀘過し、減圧下で濃縮した。得られた黄色の油を、ヘキサン：ＥｔＯＡｃ（１：１）を溶離剤として使用してシリカゲルによるカラムクロマトグラフィーにかけることによって、ＩＸａ（６．５７ｇ、２１．８８ｍｍｏｌ、５７％収率）を白色固体として得た。
【０２５４】
ｍｐ：１１４〜１１６℃。
【０２５５】
ＴＬＣ；Ｒｆ＝０．８（ＥｔＯＡｃ：ヘキサン＝１：１）。
【０２５６】
１Ｈ−ＮＭＲ；（ＣＤＣｌ３）δ１．２８−１．８５（ｍ，１０Ｈ），３．４５（ｓ，２Ｈ），４．８７−５．００（ｍ，１Ｈ），５．５４−５．５６（ｄ，１Ｈ，Ｊ＝７Ｈｚ），７．１０−７．２９（ｂｒ，ｓ，１Ｈ，ＮＨ），７．２９−７．３９（ｓ，５Ｈ）。
【０２５７】
ＭＳ　Ｃ１７Ｈ２０Ｎ２Ｏ３に関する算出された（Ｍ＋Ｎａ）＝３２３、観測された（Ｍ＋Ｎａ）＝３２３。
【０２５８】
ＨＰＬＣ：３０％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０２５９】
保持時間＝９．６７分。
【０２６０】
実施例４：（５−アミノ−１Ｈ−ピラゾール−４−カルボニル）−アミノ］−フェニル−酢酸シクロヘキシルエステル［（５−Ａｍｉｎｏ−１Ｈ−ｐｙｒａｚｏｌｅ−４−ｃａｒｂｏｎｙｌ）−ａｍｉｎｏ］−ｐｈｅｎｙｌ−ａｃｅｔｉｃ ａｃｉｄ ｃｙｃｌｏｈｅｘｙｌ ｅｓｔｅｒ］（Ｘａ）
【０２６１】
【化６６】
2004506737.tif 000055
【０２６２】
丸底フラスコに、ＩＸａ（２．３ｇ、７．６７ｍｍｏｌ）、オルトギ酸トリエチル（９．０ｍｌ、５３．７ｍｍｏｌ）、無水酢酸（４．５ｍｌ、４６．０２ｍｍｏｌ）及び無水ＺｎＣｌ２（１．０５ｇ、７．６７ｍｍｏｌ）を仕込んだ後、１３０℃で４時間、加熱、還流した。黄色の反応混合物を真空下で濃縮し、トルエンで共沸した（３ｘ１５ｍｌ）。得られたものにＣＨ２Ｃｌ２（１００ｍｌ）を滴定し、瀘過し、ＣＨ２Ｃｌ２（１５０ｍｌ）で洗浄した。さらに、濾液を真空下で濃縮して、未精製の残渣を黄色のグリースとして得た。この未精製残渣を、１０ｍｌの１，４−ジオキサンにおけるヒドラジン水化物（０．５６ｍｌ、１１．５１ｍｍｏｌ）で処理した後、１０５℃で一晩還流した。反応物を室温まで冷却し、真空下で濃縮した。残渣をＥｔＯＡｃ（２５０ｍｌ）及びＮａＨＣＯ３、ブライン（２ｘ１００ｍｌ）間で分配し、無水Ｎａ２ＳＯ４で乾燥し、瀘過し、真空下で濃縮することによって、未精製産物を黄色のグリースとして得た。この未精製産物をシリカゲルを用いたカラムクロマトグラフィーにかけ、ＣＨ２Ｃｌ２：ＭｅＯＨ：：９：１で溶出することによって、Ｘａ（１．３４３ｇ、３．９２ｍｍｏｌ、５１％収率）を白色固体として得た。
【０２６３】
ｍｐ：９２〜９４℃。
【０２６４】
ＴＬＣ；Ｒｆ＝０．４（ＣＨ２Ｃｌ２：ＭｅＯＨ＝９：１）。
【０２６５】
１Ｈ−ＮＭＲ；（ＣＤＣｌ３／ＣＤ３ＯＤ）δ１．１４−１．３７（ｍ，４Ｈ），１．３８−１．４１（ｍ，２Ｈ），１．５２−１．５４（ｍ，２Ｈ）；１．６７−１．７１（ｍ，２Ｈ），４．６８−４．７２（ｍ，１Ｈ），５．５３（ｓ，１Ｈ），７．２９−７．３０（ｍ，５Ｈ），７．７９（ｓ，１Ｈ）。
【０２６６】
ＭＳ　Ｃ１８Ｈ２２Ｎ４Ｏ３に関する算出された（Ｍ＋Ｈ）＝３４３、観測された（Ｍ＋Ｈ）＝３４３。
【０２６７】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０２６８】
保持時間＝９．２４分。
【０２６９】
実施例５：（４−オキソ−１，４−ジヒドロ−ピラゾロ［３，４−ｄ］ピリミジン−５−イル）−フェニル−酢酸シクロヘキシルエステル［（４−Ｏｘｏ−１，４−ｄｉｈｙｄｒｏ−ｐｙｒａｚｏｌｏ［３，４−ｄ］ ｐｙｒｉｍｉｄｉｎ−５−ｙｌ）−ｐｈｅｎｙｌ−ａｃｅｔｉｃ ａｃｉｄ ｃｙｃｌｏｈｅｘｙｌ ｅｓｔｅｒ］（ＸＩａ）
【０２７０】
【化６７】
2004506737.tif 000056
【０２７１】
２０ｍｌのホルムアミドにおけるＸａ（２．５１ｇ、７．３３ｍｍｏｌ）を、１４５℃に一晩加熱した。冷却された反応混合物を、ＥｔＯＡｃ（２５０ｍｌ）及び飽和ＮａＨＣＯ３（２ｘ１００ｍｌ）、ブライン（１００ｍｌ）間で分配し、無水Ｎａ２ＳＯ４で乾燥し、瀘過し、真空下で濃縮することによって、未精製産物を黄色のグリースとして得た。次に、この未精製産物をシリカゲルを用いたカラムクロマトグラフィーにかけて、ＣＨ２Ｃｌ２：ＥｔＯＡｃ＝１：１で溶出することによって、ＸＩａ（１．３６ｇ、３．８５ｍｍｏｌ、５３％）を黄色がかった固体として得た。
【０２７２】
ｍｐ：１７６〜１８０℃。
【０２７３】
ＴＬＣ；Ｒｆ＝０．５（ＣＨ２Ｃｌ２：ＥｔＯＡｃ＝１：１）。
【０２７４】
１Ｈ−ＮＭＲ；（ＣＤＣｌ３）δ１．２４−１．９１（ｍ，１０Ｈ），４．９８−５．０３（ｍ，１Ｈ），６．８４（ｓ，１Ｈ），７．２９−７．３０（ｍ，２Ｈ），７．３６−７．４９（ｍ，３Ｈ），７．９１（ｓ，１Ｈ），８．２３（ｓ，１Ｈ）。
【０２７５】
ＭＳ　Ｃ１９Ｈ２０Ｎ４Ｏ３に関する算出された（Ｍ＋Ｈ）＝３５３、観測された（Ｍ＋Ｈ）＝３５３。
【０２７６】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０２７７】
保持時間＝１２．９分。
【０２７８】
実施例６：２−フェニル−（４−チオキソ−１，４−ジヒドロ−ピラゾロ［３，４−ｄ］ピリミジン−５−イル）−酢酸シクロヘキシルエステル［２−Ｐｈｅｎｙｌ−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ａｃｅｔｉｃ ａｃｉｄ ｃｙｃｌｏｈｅｘｙｌ ｅｓｔｅｒ］（ＸＩＩａ）
【０２７９】
【化６８】
2004506737.tif 000057
【０２８０】
５ｍｌのキシレンにおけるＸＩａ（０．３２６ｇ、０．９３ｍｍｏｌ）の溶液を、２０分間アルゴンでパージした後、これにラウエッソン試薬（０．３７５ｇ、０．９３ｍｍｏｌ）を添加した。得られた混合物を、アルゴン下で１４５℃で２時間加熱した。黄色の反応混合物を真空下で濃縮した。未精製産物を、シリカゲルを用いたカラムクロマトグラフィーにかけ、ＣＨ２Ｃｌ２：ＥｔＯＡｃ＝１：１で溶出することによって、ＸＩＩａ（０．３１６ｇ、０．８６ｍｍｏｌ、９２％収率）をオフホワイトの固体として得た。
【０２８１】
ｍｐ：１７０〜１７３℃。
【０２８２】
ＴＬＣ：Ｒｆ＝０．８（ＣＨ２Ｃｌ２：ＥｔＯＡｃ＝１：１）。
【０２８３】
１Ｈ−ＮＭＲ（ＣＤＣｌ３）δ１．３０−１．９３（ｍ，１０Ｈ），５．０３（ｍ，１Ｈ），７．４１−７．４９（ｍ，５Ｈ），７．９８（ｓ，１Ｈ），８．０４（ｓ，１Ｈ），８．３８（ｓ，１Ｈ），１０．５５（ｂｒ，ｓ，１Ｈ，ＮＨ）。
【０２８４】
ＭＳ　Ｃ１９Ｈ２０Ｎ４Ｏ２Ｓに関する算出された（Ｍ＋Ｈ）＝３６８、観測された（Ｍ＋Ｈ）＝３６９。
【０２８５】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０２８６】
保持時間＝１４．６分。
【０２８７】
実施例７：２−フェニル−（４−チオキソ−１，４−ジヒドロ−ピラゾロ［３，４−ｄ］ピリミジン−５−イル）酢酸［２−Ｐｈｅｎｙｌ−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）ａｃｅｔｉｃ ａｃｉｄ］（ＸＩＶａ）
【０２８８】
【化６９】
2004506737.tif 000058
【０２８９】
２Ｎ　ＫＯＨ水溶液（１．３ｍｌ、２．５３ｍｍｏｌ）を、０℃で１０ｍｌのメタノールにおける２−フェニル−（４−チオキソ−１，４−ジヒドロ−ピラゾロ［３，４−ｄ］ピリミジン−５−イル）酢酸シクロヘキシルエステル（ＸＩＩａ）（０．４６７ｇ、１．２７ｍｍｏｌ）の溶液に添加した。得られた黄色の溶液を０℃から室温で一晩攪拌した。反応混合物を真空で濃縮して、ほとんどのメタノールを除去し、水を添加した。ｐＨを１０％クエン酸溶液で４．０に調節した。生成物をＥｔＯＡｃで抽出した（２ｘ７５ｍｌ）。合わせた有機層を、水、ブラインで洗浄し、無水Ｎａ２ＳＯ４で乾燥した後、真空で濃縮することによって、（ＸＩＶａ）（０．３５４ｇ、１．１９ｍｍｏｌ、９７％収率）をオフホワイトの固体として得た。
【０２９０】
ｍｐ：９５〜９８℃。
【０２９１】
ＴＬＣ；Ｒｆ＝０．１（ＣＨ２Ｃｌ２：ＭｅＯＨ＝９：１）。
【０２９２】
１Ｈ−ＮＭＲ；（ＣＤ３ＯＤ）δ３．２３（ｓ，１Ｈ），７．５０（ｓ，５Ｈ），８．０８（ｓ，１Ｈ），８．０９（ｓ，１Ｈ），８．３４（ｓ，１Ｈ，ＮＨ）。
【０２９３】
ＭＳ　Ｃ１３Ｈ１０Ｎ４Ｏ２Ｓに関する算出された（Ｍ＋Ｈ）＝２８７、観測された（Ｍ＋Ｈ）＝２８７。
【０２９４】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０２９５】
保持時間＝３．９分。
【０２９６】
実施例８（Ｍｅｔｈｏｄ　Ａ）：１−アゼパン−１−イル−２−フェニル−２−（４−チオキソ−１，４−ジヒドロ−１，４−ジヒドロピラゾロ［３，４−ｄ］ピリミジン−５−イル）−エタノン［１−Ａｚｅｐａｎ−１−ｙｌ−２−ｐｈｅｎｙｌ−２−（４−ｔｈｉｏｘｏ−１，４−ｄｉｈｙｄｒｏ−１，４−ｄｉｈｒｄｒｏｐｙｒａｚｏｌｏ［３，４−ｄ］ｐｙｒｉｍｉｄｉｎ−５−ｙｌ）−ｅｔｈａｎｏｎｅ］（ＸＶＩａ）
【０２９７】
【化７０】
2004506737.tif 000059
【０２９８】
ＨＡＴＵ［０−（７−アザベンゾトリアゾール−１−イル）−１，１，３，３−テトラ−トリエチル−ウロニウム　ヘキサフルオロホスフェート］［［０−（７−ａｚａｂｅｎｚｏｔｒｉａｚｏｌ−１−ｙｌ）−１，１，３，３−ｔｅｔｒａ−ｔｒｉｅｔｈｙｌ−ｕｒｏｎｉｕｍ ｈｅｘａｆｌｕｏｒｏｐｈｏｓｐｈａｔｅ］］（０．１２５ｇ、０．３３ｍｍｏｌ）を、０℃で３ｍｌのＤＭＦにおける４−メチルモルホリン（５０μｌ、０．４４ｍｍｏｌ）を含む２−フェニル−（４−チオキソ−１，４−ジヒドロ−ピラゾロ［３，４−ｄ］ピリミジン−５−イル）酢酸（ＸＩＶａ）（０．０６４ｇ、０．２２ｍｍｏｌ）及びヘキサメチレンイミン（０．０２３ｇ、０．２３ｍｍｏｌ）の溶液に添加した。黄色の溶液の得られた混合物を０℃から室温で一晩攪拌した。黄色の反応混合物を、ＥｔＯＡｃ（１００ｍｌ）及びブライン、飽和ＮａＨＣＯ３、ブライン（３ｘ５０ｍｌ）間で分配した。有機層を無水Ｎａ２ＳＯ４で乾燥し、瀘過し、真空下で濃縮した。未精製産物を、シリカゲルを用いたクロマトグラフィーにかけ、ＣＨ２Ｃｌ２：ＥｔＯＡｃ（１：１）で溶出することによって、ＸＶＩａ（０．０４３ｇ、０．１２ｍｍｏｌ、５３％収率）を黄色がかった固体として得た。
【０２９９】
ＴＬＣ；Ｒｆ＝０．７（ＣＨ２Ｃｌ２：ＥｔＯＡｃ＝１：１）。
【０３００】
１Ｈ−ＮＭＲ；（ＣＤＣｌ３）δ１．６０−２．０８（ｍ，８Ｈ），３．３７−３．８４（ｍ，４Ｈ），７．４４−７．４９（ｍ，５Ｈ），８．０９（ｓ，１Ｈ），８．３６（ｓ，１Ｈ），８．４１（ｓ，１Ｈ），１０．６５（ｓ，ｂｒ，１Ｈ，ＮＨ）。
【０３０１】
ＭＳ　Ｃ１９Ｈ２１Ｎ５ＯＳに関する算出された（Ｍ＋Ｈ）＝３６８、観測された（Ｍ＋Ｈ）＝３６８。
【０３０２】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０３０３】
保持時間＝１１．６６分。
【０３０４】
実施例９：１−アゾカン−１−イル−２−フェニル−２−（４−チオキソ−１，４−ジヒドロ−１，４−ジヒドロピラゾロ［３，４−ｄ］ピリミジン−５−イル）−エタノン［１−Ａｚｏｃａｎ−１−ｙｌ−２−ｐｈｅｎｙｌ−２−（４−ｔｈｉｏｘｏ−１，４−ｄｉｈｙｄｒｏ−１，４−ｄｉｈｙｄｒｏｐｙｒａｚｏｌｏ［３，４−ｄ］ｐｙｒｉｍｉｄｉｎ−５−ｙｌ）−ｅｔｈａｎｏｎｅ］（ＸＶＩｅ）
【０３０５】
【化７１】
2004506737.tif 000060
【０３０６】
化合物ＸＶＩｅを、実施例８に記載されるようにして調製して、（０．０１８ｇ、０．０５ｍｍｏｌ、２８％収率）を黄色がかった固体として得た。この未精製産物をクロマトグラフィーによって単離した。
【０３０７】
ｍｐ：９２〜９５℃。
【０３０８】
ＴＬＣ；Ｒｆ＝０．７（ＣＨ２Ｃｌ２：ＥｔＯＡｃ＝１：１）。
【０３０９】
１Ｈ−ＮＭＲ；（ＣＤＣｌ３）δ１．２９−１．３１（ｍ，１Ｈ），１．５０−１．７２（ｍ，７Ｈ），１．９４−２．０８（ｍ，２Ｈ），３．２５−３．３８（ｍ，２Ｈ），３．６１−３．６７（ｍ，１Ｈ），３．８７−３．９２（ｍ，１Ｈ），７．４０−７．４９（ｍ，５Ｈ），８．１０（ｓ，１Ｈ），８．３５（ｓ，１Ｈ），８．４２（ｓ，１Ｈ）。
【０３１０】
ＭＳ　Ｃ２０Ｈ２３Ｎ５ＯＳに関する算出された（Ｍ＋Ｈ）＝３８２。観測された（Ｍ＋Ｈ）＝３８２。
【０３１１】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０３１２】
保持時間＝１１．４３分。
【０３１３】
実施例１０（Ｍｅｔｈｏｄ　Ｂ）：Ｎ−メトキシ−Ｎ−メチル−２−フェニル−２−（４−チオキソ−１，４−ジヒドロ−１，４−ジヒドロ−ピラゾロ［３，４−ｄ］ピリミジン−５−イル）−エタノン［Ｎ−Ｍｅｔｈｏｘｙ−Ｎ−ｍｅｔｈｙｌ−２−ｐｈｅｎｙｌ−２−（４−ｔｈｉｏｘｏ−１，４−ｄｉｈｙｄｒｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｂ）
【０３１４】
【化７２】
2004506737.tif 000061
【０３１５】
１−［３−（ジメチルアミノ）プロピル］−３−エチルカルボジイミド　ＨＣｌ［１−［３−（ｄｉｍｅｔｈｙｌａｍｉｎｏ）ｐｒｏｐｙｌ］−３−ｅｔｈｙｌｃａｒｂｏｄｉｉｍｉｄｅ ＨＣｌ］（０．０４４ｇ、０．２３ｍｏｌ）を、０℃で２ｍｌのＤＭＦにおける４−メチルモルホリン（６０μｌ、０．５３ｍｏｌ）を含む２−フェニル−（４−チオキソ−１，４−ジヒドロ−ピラゾロ［３，４−ｄ］ピリミジン−５−イル）酢酸（ＸＩＶａ）（０．０６１ｇ、０．２１ｍｍｏｌ）及びＮ，Ｏ−ジメチルヒドロキシルアミン　ＨＣｌ（Ｎ，Ｏ−ｄｉｍｅｔｈｙｌｈｙｄｒｏｘｙｌａｍｉｎｅ ＨＣｌ）（０．０２３ｇ、０．２３ｍｍｏｌ）の溶液に添加した。黄色の懸濁液の得られた混合物を０℃から室温で一晩攪拌した。黄色の反応混合物を瀘別し、ＥｔＯＡｃでよく洗浄した。濾液をブライン、飽和ＮａＨＣＯ３、ブラインで抽出した（３ｘ５０ｍｌ）。有機層を無水Ｎａ２ＳＯ４で乾燥し、シリカゲルのパッドで瀘過し、ＥｔＯＡｃで溶出した。濾液を真空下で濃縮することによって、（ＸＶＩｂ）（０．０５８ｇ、０．１８ｍｍｏｌ、８４％収率）をオフホワイトの固体として得た。
【０３１６】
ｍｐ：８２〜８６℃。
【０３１７】
ＴＬＣ；Ｒｆ＝０．５（ＣＨ２Ｃｌ２：ＥｔＯＡｃ＝１：１）。
【０３１８】
１Ｈ−ＮＭＲ；（ＣＤＣｌ３）δ３．３７（ｓ，３Ｈ），３．７８（ｓ，３Ｈ），５．３３−５．６９（ｓ，ｂｒ，１Ｈ，ＮＨ），７．３８−７．４０（ｍ，２Ｈ），７．４７−７．４９（ｍ，３Ｈ），８．１２（ｓ，１Ｈ），８．４９（ｓ，１Ｈ）。
【０３１９】
ＭＳ　Ｃ１５Ｈ１５Ｎ５Ｏ２Ｓに関する算出された（Ｍ＋Ｈ）＝３３０、観測された（Ｍ＋Ｈ）＝３３０。
【０３２０】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０３２１】
保持時間＝１１．６３分。
【０３２２】
実施例１１：１−（３−ヒドロキシ−ピペリジン−１−イル）−２−フェニル−２−（４−チオキソ−１，４−ジヒドロ−１，４−ジヒドロ−ピラゾロ［３，４−ｄ］ピリミジン−５−イル）−エタノン［１−（３−Ｈｙｄｒｏｘｙ−ｐｉｐｅｒｉｄｉｎ−１−ｙｌ）−２−ｐｈｅｎｙｌ−２−（４−ｔｈｉｏｘｏ−１，４−ｄｉｈｙｄｒｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｃ）
【０３２３】
【化７３】
2004506737.tif 000062
【０３２４】
化合物ＸＶＩｃを、実施例１０に記載したようにして調製し、（０．０４３ｇ、０．１０３ｍｍｏｌ、６１％収率）を黄色がかった固体として得た。
【０３２５】
ｍｐ：１４２〜１４６℃。
【０３２６】
ＴＬＣ；Ｒｆ＝０．４（ＣＨ２Ｃｌ２：ＥｔＯＡｃ＝１：１）。
【０３２７】
１Ｈ−ＮＭＲ；（ＣＤＣｌ３）δ１．６３−２．０９（ｍ，６Ｈ），３．０１−３．８０（ｍ，３Ｈ），７．４２−７．４９（ｍ，５Ｈ），８．０９（ｓ，１Ｈ），８．４５（ｓ，１Ｈ）。
【０３２８】
ＭＳ　Ｃ１８Ｈ１９Ｎ５Ｏ２Ｓに関する算出された（Ｍ＋Ｈ）＝３７０、観測された（Ｍ＋Ｈ）＝３７０。
【０３２９】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０３３０】
保持時間＝９．９分。
【０３３１】
実施例１２：２−フェニル−１−（４−フェニル−ピペリジン−１−イル）−２−（４−チオキソ−１，４−ジヒドロ−１，４−ジヒドロ−ピラゾロ［３，４−ｄ］ピリミジン−５−イル）−エタノン［２−Ｐｈｅｎｙｌ−１−（４−ｐｈｅｎｙｌ−ｐｉｐｅｒｉｄｉｎ−１−ｙｌ）−２−（４−ｔｈｉｏｘｏ−１，４−ｄｉｈｙｄｒｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｄ）
【０３３２】
【化７４】
2004506737.tif 000063
【０３３３】
化合物ＸＶＩｄを、実施例１０に記載したようにして調製し、（０．０４６ｇ、０．１１ｍｍｏｌ、３７％収率）を黄色がかった固体として得た。
【０３３４】
ｍｐ：１０２〜１０５℃。
【０３３５】
ＴＬＣ；Ｒｆ＝０．８（ＣＨ２Ｃｌ２：ＥｔＯＡｃ＝１：１）。
【０３３６】
１Ｈ−ＮＭＲ；（ＣＤＣｌ３）δ１．２９（ｍ，２Ｈ），１．７１−１．９４（ｍ，２Ｈ），１．９９−２．１４（ｄ，Ｊ＝１４Ｈｚ，１Ｈ），２．８４−３．００（ｍ，２Ｈ），４．０２−４．０７（ｄ，Ｊ＝７Ｈｚ，１Ｈ），４．８７−４．８１（ｄ，Ｊ＝１３Ｈｚ，１Ｈ），７．１３−７．１５（ｄ，Ｊ＝７Ｈｚ，１Ｈ），７．２３−７．５２（ｍ，１０Ｈ），８．０７−８．１３（ｄ，Ｊ＝１９Ｈｚ，，１Ｈ），８．４８−８．５５（ｄ，Ｊ＝２２Ｈｚ，１Ｈ）。
【０３３７】
ＭＳ　Ｃ２４Ｈ２３Ｎ５ＯＳに関する算出された（Ｍ＋Ｈ）＝４３０、観測された（Ｍ＋Ｈ）＝４３０。
【０３３８】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０３３９】
保持時間＝１５．５２分。
【０３４０】
実施例１３：１−（４−ヒドロキシ−４−フェニル−ピペリジン−１−イル）−２−フェニル−２−（４−チオキソ−１，４−ジヒドロ−１，４−ジヒドロ−ピラゾロ［３，４−ｄ］ピリミジン−５−イル）−エタノン［１−（４−Ｈｙｄｒｏｘｙ−４−ｐｈｅｎｙｌ−ｐｉｐｅｒｉｄｉｎ−１−ｙｌ）−２ｐｈｅｎｙｌ−２−（４−ｔｈｉｏｘｏ−１，４−ｄｉｈｙｄｒｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｆ）
【０３４１】
【化７５】
2004506737.tif 000064
【０３４２】
化合物ＸＶＩｆを、実施例１０に記載したようにして調製し、（０．０４４ｇ、０．１ｍｍｏｌ，４９％収率）を白色固体として得た。
【０３４３】
ｍｐ：１４２〜１４６℃。
【０３４４】
ＴＬＣ；Ｒｆ＝０．４（ＣＨ２Ｃｌ２：ＥｔＯＡｃ＝１：１）。
【０３４５】
１Ｈ−ＮＭＲ；（ＣＤＣｌ３）δ１．２２−１．３２（ｍ，１Ｈ），１．４９−１．６３（ｍ，１Ｈ），１．６４−１．６８（ｍ，１Ｈ），１．８４−１．９４（ｍ，１Ｈ），２．０２−２．２１（ｍ，１Ｈ），２．４７−２．５８（ｍ，１Ｈ），３．３３−３．５５（ｍ，２Ｈ），３．８１−３．８６（ｍ，１Ｈ），４．６５−４．７２（ｍ，１Ｈ），７．３０−７．５３（ｍ，１０Ｈ），８．０４−８．１４（ｄ，Ｊ＝３０Ｈｚ，，１Ｈ），８．３９（ｓ，１Ｈ），８．４８−８．５０（ｄ，Ｊ＝６Ｈｚ，１Ｈ）。
【０３４６】
ＭＳ　Ｃ２４Ｈ２３Ｎ５Ｏ２Ｓに関する算出された（Ｍ＋Ｈ））＝４４６、観測されたＭＳ＝４４６。
【０３４７】
ＨＰＬＣ：３０％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０３４８】
保持時間＝４．９５分。
【０３４９】
実施例１４：１−［４−（４−ブロモ−フェニル）−４−ヒドロキシ−ピペリジン−１−イル］−２−（４−チオキソ−１，４−ジヒドロ−１，４−ジヒドロ−ピラゾロ［３，４−ｄ］ピリミジン−５−イル）−エタノン［１−［４−（４−Ｂｒｏｍｏ−ｐｈｅｎｙｌ）−４−ｈｙｄｒｏｘｙ−ｐｉｐｅｒｉｄｉｎ−１−ｙｌ］−２−（４−ｔｈｉｏｘｏ−１，４−ｄｉｈｙｄｒｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｇ）
【０３５０】
【化７６】
2004506737.tif 000065
【０３５１】
化合物ＸＶＩｇを、実施例１０に記載したようにして調製し、（０．０３４ｇ、０．０７ｍｍｏｌ、３３％収率）をオフホワイトの固体として得た。
【０３５２】
ｍｐ：１５５〜１６０℃。
【０３５３】
ＴＬＣ；Ｒｆ＝０．５（ＣＨ２Ｃｌ２：ＥｔＯＡｃ＝１：１）。
【０３５４】
１Ｈ−ＮＭＲ；（ＣＤＣｌ３）δ０．８９−１．０１（ｍ，１Ｈ），１．２２−１．４６（ｍ，１Ｈ），１．５６−１．６４（ｍ，１Ｈ），１．７９−１．８９（ｍ，１Ｈ），１．９６−２．１４（ｍ，１Ｈ），２．４６−２．５５（ｍ，１Ｈ），３．０３−３．５４（ｍ，１Ｈ），３．８２−３．８６（ｍ，１Ｈ），４．６４−４．７２（ｍ，１Ｈ），７．２３−７．６４（ｍ，９Ｈ），８．０３−８．１３（ｄ，Ｊ＝２８Ｈｚ，，１Ｈ），８．３９−８．４８（ｄ，Ｊ＝２６Ｈｚ，１Ｈ）。
【０３５５】
ＭＳ　Ｃ２４Ｈ２２ＢｒＮ５Ｏ２Ｓに関する算出された（Ｍ＋８１Ｂｒ）＝５２６及び（Ｍ＋７９Ｂｒ）＝５２４、観測されたＭＳ＝５２６及び５２４。
【０３５６】
ＨＰＬＣ：３０％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０３５７】
保持時間＝６．２４分。
【０３５８】
実施例１５：１−（４−アセチル−４−フェニル−ピペリジン−１−イル）−２−フェニル−２−（４−チオキソ−１，４−ジヒドロ−ピラゾロ［３，４−ｄ］ピリミジン−５−イル）−エタノン［１−（４−Ａｃｅｔｙｌ−４−ｐｈｅｎｙｌ−ｐｉｐｅｒｉｄｉｎ−１−ｙｌ）−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｈ）
【０３５９】
【化７７】
2004506737.tif 000066
【０３６０】
化合物（ＸＶＩｈ）を、実施例１０に記載したようにして調製し、（０．０８４ｇ、０．１８ｍｍｏｌ、７１％収率）を黄色がかった固体として得た。
【０３６１】
ｍｐ：１２５〜１２８℃。
【０３６２】
ＴＬＣ；Ｒｆ＝０．４（ＣＨ２Ｃｌ２：ＥｔＯＡｃ＝１：１）。
【０３６３】
１Ｈ−ＮＭＲ；（ＣＤＣｌ３）δ１．２２−１．３２（ｍ，１Ｈ），１．４９−１．６３（ｍ，１Ｈ），１．６４−１．６８（ｍ，１Ｈ），１．８４−１．９４（ｍ，１Ｈ），２．０２−２．２１（ｍ，１Ｈ），２．４７−２．５８（ｍ，１Ｈ），３．３３−３．５５（ｍ，２Ｈ），３．８１−３．８６（ｍ，１Ｈ），４．６４−４．７２（ｍ，１Ｈ），７．３０−７．５３（ｍ，１０Ｈ），８．０４−８．１４（ｄ，Ｊ＝３０Ｈｚ，，１Ｈ），８．３９（ｓ，１Ｈ）８．４８−８．５０（ｄ，Ｊ＝６Ｈｚ，１Ｈ）。
【０３６４】
ＩＲ（ＣＤＣｌ３）３２０２，２９２４，１６４１，１５９５，１４９９，１４４９，１３８２，１２１２，１１４９，１０１９，９１１，８６８，７３１，６９９ｃｍ−１。
【０３６５】
ＭＳ　Ｃ２４Ｈ２３Ｎ５Ｏ２Ｓに関する算出された（Ｍ＋Ｈ）＝４４６、観測されたＭＳ＝４４６；
ＥＡ　Ｃ２４Ｈ２３Ｎ５Ｏ２Ｓ＊０．２ＣＨ２Ｃｌ２＊０．１５ヘキサンに関する算出値：Ｃ６４．９０，Ｈ５．５３，Ｎ１３．９７、実測値：Ｃ６５．０６，Ｈ５．７３，Ｎ１３．８０。
【０３６６】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０３６７】
保持時間＝８．４４９分。
【０３６８】
実施例１６（Ｍｅｔｈｏｄ　Ｃ）：２−フェニル−１−（４−ピリジン−２−イル−ピペラジン−１−イル）−２−（４−チオキソ−１，４−ジヒドロ−ピラゾロ［３，４−ｄ］ピリミジン−５−イル）−エタノン［２−Ｐｈｅｎｙｌ−１−（４−ｐｙｒｉｄｉｎ−２−ｙｌ−ｐｉｐｅｒａｚｉｎ−１−ｙｌ）−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｉ）
【０３６９】
【化７８】
2004506737.tif 000067
【０３７０】
１−［３−（ジメチルアミノ）プロピル］−３−エチルカルボジイミド　ＨＣｌ［１−［３−（ｄｉｍｅｔｈｙｌａｍｉｎｏ）ｐｒｏｐｙｌ］−３−ｅｔｈｙｃａｂｏｄｉｉｍｉｄｅ ＨＣｌ］（１．５ｅｑ．ｍｍｏｌ）および次に１−ヒドロベンザトリアゾール水化物（１−ｈｙｄｒｏｂｅｎｚａｔｒｉａｚｏｌｅ ｈｙｄｒａｔｅ）（ＨＯＢＴ）（０．５ｅｑ．ｍｍｏｌ）を、０℃でＤＭＦにおける４−メチルモルホリン（３．０ｅｑ．ｍｍｏｌ）を含む２−フェニル−（４−チオキソ−１，４−ジヒドロ−ピラゾロ［３，４−ｄ］ピリミジン−５−イル）酢酸（ＸＩＶａ）（１．０ｅｑ．ｍｍｏｌ）及び１−（２−ピリジル）ピペラジン［１−（２−ｐｙｒｉｄｙｌ）ｐｉｐｅｒａｚｉｎｅ］（１．５ｅｑ．ｍｍｏｌ）等の相当するアミンの溶液に添加した。得られた混合物を０℃から室温で一晩攪拌した。黄色の反応混合物を瀘別し、ＥｔＯＡｃでよく洗浄した。濾液をブライン、飽和ＮａＨＣＯ３、ブラインで抽出した。有機層を無水Ｎａ２ＳＯ４で乾燥した後、真空下で濃縮した。未精製産物をシリカゲルを用いたクロマトグラフィーにかけ、ＣＨ２Ｃｌ２：ＥｔＯＡｃ／１：１で溶出することによって、（ＸＶＩｉ）（０．０２９ｇ、０．０７ｍｍｏｌ、２２％収率）を白色固体として得た。
【０３７１】
ｍｐ：２４２〜２４６℃；ＴＬＣ；Ｒｆ＝０．５（ＣＨ２Ｃｌ２：ＥｔＯＡｃ＝１：１）。
【０３７２】
１Ｈ−ＮＭＲ；（ＣＤＣｌ３）δ３．４１−３．４９（ｍ，２Ｈ），３．５２−３．７３（ｍ，２Ｈ），３．８１−３．９９（ｍ，４Ｈ），６．６７−６．７３（ｍ，１Ｈ），７．４３−７．５６（ｍ，５Ｈ），８．０６（ｓ，１Ｈ），８．２０−８．２３（ｄ，Ｊ＝６Ｈｚ，１Ｈ），８．３６（ｓ，１Ｈ），８．４８（ｓ，１Ｈ）。
【０３７３】
ＩＲ（ＣＤＣｌ３）３３００，２９９５，１６５７，１５９４，１４７９，１４３４，１３８３，１２３２，１１５０，１０３１，９８２，９１２，８６７ｃｍ−１。
【０３７４】
ＨＲＭＳ　Ｃ２２Ｈ２２Ｎ７ＯＳに関する算出された値＝４３１．１６０７、観測された（Ｍ＋Ｈ）＝４３２．１６１３；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０３７５】
保持時間＝５．０３分。
【０３７６】
実施例１７：２−フェニル−１−（４−フェニル−２−イル−ピペラジン−１−イル）−２−（４−チオキソ−１，４−ジヒドロ−ピラゾロ［３，４−ｄ］ピリミジン−５−イル）−エタノン［２−Ｐｈｅｎｙｌ−１−（４−ｐｈｅｎｙｌ−２−ｙｌ−ｐｉｐｅｒａｚｉｎ−１−ｙｌ）−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｊ）
【０３７７】
【化７９】
2004506737.tif 000068
【０３７８】
化合物（ＸＶＩｊ）を、実施例１６に記載したようにして調製し、（０．０６８ｇ、０．１６ｍｍｏｌ、５３％収率）を白色固体として得た。
【０３７９】
ｍｐ：２４１〜２４５℃。
【０３８０】
ＴＬＣ；Ｒｆ＝０．８（ＣＨ２Ｃｌ２：ＥｔＯＡｃ＝１：１）。
【０３８１】
１Ｈ−ＮＭＲ；（ＣＤＣｌ３）δ３．００−３．０６（ｍ，１Ｈ），３．２５−３．３５（ｍ，２Ｈ），３．５３−３．５８（ｍ，１Ｈ），３．８３−４．０８（ｍ，２Ｈ），６．９１−６．９６（ｍ，２Ｈ），７．２８−７．５９（ｍ，１０Ｈ），８．０６（ｓ，１Ｈ），８．３６（ｓ，１Ｈ），８．５０（ｓ，１Ｈ），１０．８５（ｓ，ｂｒ，１Ｈ，ＮＨ）。
【０３８２】
ＩＲ（ＣＤＣｌ３）３１７８，２３６０，１６５７，１５９５，１４９５，１４４９，１３８３，１２２９，１１５０，１０２９，９１３，８６７ｃｍ−１。
【０３８３】
ＨＲＭＳ　Ｃ２３Ｈ２２Ｎ６ＯＳに関する算出された（Ｍ＋Ｈ）＝４３１．１６５４、観測された（Ｍ＋Ｈ）＝４３２．１６７２；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０３８４】
保持時間＝７．９４分。
【０３８５】
実施例１８：１−［４−（４−メトキシ−フェニル）−ピペラジン−１−イル］−２−フェニル−２−（４−チオキソ−１，４−ジヒドロ−ピラゾロ［３，４−ｄ］ピリミジン−５−イル）−エタノン［１−［４−（４−Ｍｅｔｈｏｘｙ−ｐｈｅｎｙｌ）−ｐｉｐｅｒａｚｉｎ−１−ｙｌ］−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｋ）
【０３８６】
【化８０】
2004506737.tif 000069
【０３８７】
化合物（ＸＶＩｋ）を、実施例１６に記載したようにして調製し、（０．０７１ｇ、０．１５ｍｍｏｌ、５５％収率）を黄色がかった固体として得た。
【０３８８】
ｍｐ：１１４〜１１８℃；ＴＬＣ；Ｒｆ＝０．８（ＣＨ２Ｃｌ２：ＥｔＯＡｃ＝１：１）。
【０３８９】
１Ｈ−ＮＭＲ；（ＣＤＣｌ３）δ２．８８−２．９４（ｍ，１Ｈ），３．１２−３．２２（ｍ，２Ｈ），３．４８−３．５９（ｍ，１Ｈ），３．８３（ｓ，３Ｈ），３．８２−３．９９（ｍ，１Ｈ），４．００−４．１６（ｍ，１Ｈ），６．８５−６．９４（ｍ，２Ｈ），７．３２−７．６４（ｍ，９Ｈ），８．０６（ｓ，１Ｈ），８．３６（ｓ，１Ｈ），８．５０（ｓ，１Ｈ），１０．０７（ｓ，ｂｒ，１Ｈ，ＮＨ）。
【０３９０】
ＩＲ（ＣＤＣｌ３）３１９２，１６５０，１５９４，１５１２，１４４４，１３８３，１２８０，１２２８，１１４９，１０３１，９１３ｃｍ−１。
【０３９１】
ＨＲＭＳ　Ｃ２４Ｈ２４Ｎ６Ｏ２Ｓに関する算出された（Ｍ＋Ｈ）＝４６１．１７６０、観測された（Ｍ＋Ｈ）＝４６１．１７６５；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０３９２】
保持時間＝６．３６５分。
【０３９３】
実施例１９：１−（４−ヒドロキシ−３’，４’，５’，６’−テトラヒドロ−２Ｈ−［２，４’］ビピリジニル−１’−イル］−２−フェニル−２−（４−チオキソ−１，４−ジヒドロ−ピラゾロ［３，４−ｄ］ピリミジン−５−イル）−エタノン［１−（４−Ｈｙｄｒｏｘｙ−３’，４’，５’，６’−ｔｅｔｒａｈｙｄｒｏ−２Ｈ−［２，４’］ｂｉｐｙｒｉｄｉｎｙｌ−１’−ｙｌ］−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｍ）
【０３９４】
【化８１】
2004506737.tif 000070
【０３９５】
化合物（ＸＶＩｍ）を、実施例１６に記載したようにして調製し、（０．０６６ｇ、０．１５ｍｍｏｌ、４３％収率）をオフホワイトの固体として得た。
【０３９６】
ｍｐ：１３８〜１４２℃；ＴＬＣ；Ｒｆ＝０．５（ＣＨ２Ｃｌ２：ＥｔＯＡｃ＝１：１）。
【０３９７】
１Ｈ−ＮＭＲ；（ＣＤＣｌ３）δ１．６２−１．７９（ｍ，１Ｈ），１．９９−２．０８（ｍ，１Ｈ），２．４７−２．５５（ｍ，１Ｈ），２．９１−２．９９（ｄ，Ｊ＝２２Ｈｚ，１Ｈ），３．３７−３．３７（ｍ，１Ｈ），３．４２−３．６２（ｍ，１Ｈ）３．８７−３．９１（ｄ，Ｊ＝９Ｈｚ，１Ｈ），４．７４−４．７９（ｄ，Ｊ＝１２Ｈｚ，１Ｈ），５．６４（ｓ，ｂｒ，１Ｈ，ＯＨ），６．９３−７．６４（ｍ，８Ｈ），７．７２−７．８４（ｍ，１Ｈ），８．０５−８．１４（ｄ，Ｊ＝２７Ｈｚ，１Ｈ），８．５４（ｓ，１Ｈ），８．５６（ｓ，１Ｈ），１０．７７（ｓ，ｂｒ，１Ｈ，ＮＨ）。
【０３９８】
ＩＲ（ＣＤＣｌ３）３１９１，２９２２，２３５９，１６５０，１５９４，１５６７，１４９８，１３８３，１２９２，１２１５，１１４９，１０２７，９７４，９０２，８６８ｃｍ−１。
【０３９９】
ＨＲＭＳ　Ｃ２３Ｈ２２Ｎ６Ｏ２Ｓに関する算出された（Ｍ＋Ｈ）＝４４７．１６０３、観測された（Ｍ＋Ｈ）＝４４７．１６１６；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４００】
保持時間＝４．８７２分。
【０４０１】
実施例２０：１−（４−ブチル−４−ヒドロキシ−ピペリジン−１−イル）−２−フェニル−２−（４−チオキソ−１，４−ジヒドロ−ピラゾロ［３，４−ｄ］ピリミジン−５−イル）−エタノン［１−（４−Ｂｕｔｙｌ−４−ｈｙｄｒｏｘｙ−ｐｉｐｅｒｉｄｉｎ−１−ｙｌ）−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｎ）
【０４０２】
【化８２】
2004506737.tif 000071
【０４０３】
化合物（ＸＶＩｎ）を、実施例１６に記載したようにして調製し、（０．０１７ｇ、０．０４ｍｍｏｌ、２２％収率）を白色固体として得た。
【０４０４】
ｍｐ：９８〜１０２℃。
【０４０５】
ＴＬＣ；Ｒｆ＝０．４５（ＣＨ２Ｃｌ２：ＥｔＯＡｃ＝１：１）。
【０４０６】
１Ｈ−ＮＭＲ；（ＣＤＣｌ３）δ０．９１−０．９７（ｍ，２Ｈ），１．０１−１．６３（ｍ，７Ｈ），１．９６−２．０８（ｍ，１Ｈ），３．０５−３．３９（ｍ，２Ｈ），３．６０−３．７４（ｍ，２Ｈ），４．１１−４．５３（ｍ，１Ｈ），５．７７（ｓ，ｂｒ，１Ｈ），７．３８−７．４９（ｍ，５Ｈ），８．０３−８．０７（ｄ，Ｊ＝１３Ｈｚ，１Ｈ），８．３４（ｓ，１Ｈ），８．４８−８．５１（ｄ，Ｊ＝３４Ｈｚ，１Ｈ），１０．９７（ｓ，ｂｒ，１Ｈ，ＮＨ）。
【０４０７】
ＩＲ（ＣＤＣｌ３）３１９４，２９３０，２３５９，１６４３，１５９５，１５６６，１４９９，１４５１，１３８２，１２９１，１２１６，１１５０，１０５１，９７２，９１１，８６８，７３３ｃｍ−１。
【０４０８】
ＨＲＭＳ　Ｃ２２Ｈ２７Ｎ５Ｏ２Ｓに関する算出された（Ｍ＋Ｈ）＝４２６．１９６４、観測された（Ｍ＋Ｈ）＝４２６．１９７５；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４０９】
保持時間＝７．２５５分。
【０４１０】
実施例２１：Ｎ−メチル−２−Ｎ−ジフェニル−２−（４−チオキソ−１，４−ジヒドロ−ピラゾロ［３，４−ｄ］ピリミジン−５−イル）−アセトアミド［Ｎ−Ｍｅｔｈｙｌ−２−Ｎ−ｄｉｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ａｃｅｔａｍｉｄｅ］（ＸＶＩｏ）
【０４１１】
【化８３】
2004506737.tif 000072
【０４１２】
化合物（ＸＶＩｏ）を、実施例１６に記載したようにして調製し、（０．０１１ｇ、０．０３ｍｍｏｌ、１５％収率）をオフホワイトの固体として得た。
【０４１３】
ｍｐ：２１８〜２２２℃。
【０４１４】
ＴＬＣ；Ｒｆ＝０．３（ＣＨ２Ｃｌ２：ＥｔＯＡｃ＝１：１）。
【０４１５】
１Ｈ−ＮＭＲ；（ＣＤＣｌ３）δ３．４０（ｓ，３Ｈ），７．１３−７．４３（ｍ，１０Ｈ），７．７８（ｓ，１Ｈ），８．１６（ｓ，１Ｈ），８．３３（ｓ，１Ｈ）。
【０４１６】
ＩＲ（ＣＤＣｌ３）３１９５，２９２６，２３５９，１６６５，１５９４，１５６２，１４９６，１３８４，１２９１，１２１２，１１４７，１０４６ｃｍ−１。
【０４１７】
ＨＲＭＳ　Ｃ２０Ｈ１７Ｎ５ＯＳに関する算出された（Ｍ＋Ｈ）＝３７６．１２３２、観測された（Ｍ＋Ｈ）＝３７６．１２４０；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４１８】
保持時間＝７．８１３分。
【０４１９】
実施例２２：１−（４−メチル−４−ヒドロキシ−ピペリジン−１−イル）−２−フェニル−２−（４−チオキソ−１，４−ジヒドロ−ピラゾロ［３，４−ｄ］ピリミジン−５−イル）−エタノン［１−（４−Ｍｅｔｈｙｌ−４−ｈｙｄｒｏｘｙ−ｐｉｐｅｒｉｄｉｎ−１−ｙｌ）−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｐ）
【０４２０】
【化８４】
2004506737.tif 000073
【０４２１】
化合物（ＸＶＩｐ）を、実施例１６に記載したようにして調製し、（０．０４４ｇ、０．１１ｍｍｏｌ、２８％収率）を白色固体として得た。
【０４２２】
ｍｐ：１４０〜１４４℃。
【０４２３】
ＴＬＣ；Ｒｆ＝０．３（ＣＨ２Ｃｌ２：ＥｔＯＡｃ＝１：１）。
【０４２４】
１Ｈ−ＮＭＲ：（ＣＤＣｌ３）δ１．３９（ｓ，３Ｈ），３．２３−３．７２（ｍ，６Ｈ），４．２７−４．４６（ｍ，２Ｈ），７．３２−７．５０（ｍ，５Ｈ），８．０４−８．０７（ｄ，Ｊ＝１０Ｈｚ，１Ｈ），８．３４（ｓ，１Ｈ），８．４８−８．５２（ｄ，Ｊ＝１１Ｈｚ，１Ｈ）。
【０４２５】
ＩＲ（ＣＤＣｌ３）３２９０，２９６３，２３６０，１６４３，１５９５，１５６５，１４９８，１４５０，１３８１，１２３７，１２１６，１１５０，９７０，９１０，８６７ｃｍ−１。
【０４２６】
ＨＲＭＳ　Ｃ１９Ｈ２１Ｎ５Ｏ２Ｓに関する算出された（Ｍ＋Ｈ）＝３８４．１４９４、観測された（Ｍ＋Ｈ）＝３８４．１５００；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４２７】
保持時間＝５．８２分。
【０４２８】
実施例２３（Ｍｅｔｈｏｄ　Ｄ）：Ｎ−エチル−Ｎ−イソプロピル−２−フェニル−２−（４−チオキソ−１，４−ジヒドロ−ピラゾロ［３，４−ｄ］ピリミジン−５−イル）−アセトアミド［Ｎ−Ｅｔｈｙｌ−Ｎ−ｉｓｏｐｒｏｐｙｌ−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ａｃｅｔａｍｉｄｅ］（ＸＶＩｑ）
【０４２９】
【化８５】
2004506737.tif 000074
【０４３０】
イソブチルクロロホルメート（Ｉｓｏｂｕｔｙｌ ｃｈｌｏｒｏｆｏｒｍａｔｅ）（１．１ｅｑ．ｍｍｏｌ）を、０℃でＤＭＦにおける４−メチルモルホリン（１．０ｅｑ．ｍｍｏｌ）を含む２−フェニル−（４−チオキソ−１，４−ジヒドロ−ピラゾロ［３，４−ｄ］ピリミジン−５−イル）酢酸（ＸＩＶａ）（１．０ｅｑ．ｍｍｏｌ）の溶液に滴下した。この混合物を０℃で３０分間攪拌した後、０℃でＤＭＦにおけるＤＭＡＰ（０．１ｅｑ．ｍｍｏｌ）を含むＮ−エチルイソピロピルアミン（１．１ｅｑ．ｍｍｏｌ）等の相当するアミンの溶液に添加した。得られた混合物を０℃から室温で一晩攪拌した。反応混合物を、ＥｔＯＡｃ及びブライン、飽和ＮａＨＣＯ３、ブライン、ｐＨ６の緩衝液、ブラインの間で分配した。有機層を無水Ｎａ２ＳＯ４で乾燥した後、真空下で濃縮した。未精製産物をシリカゲルを用いたクロマトグラフィーにかけて、ＣＨ２Ｃｌ２：ＥｔＯＡｃ（１：１）で溶出することによって、（ＸＶＩｑ）（０．０３４ｇ、０．１ｍｍｏｌ、３２％収率）を透明なグリースとして得た。
【０４３１】
ＴＬＣ；Ｒｆ＝０．９（ＣＨ２Ｃｌ２：ＥｔＯＡｃ＝１：１）。
【０４３２】
１Ｈ−ＮＭＲ；（ＣＤＣｌ３）δ０．９６−０．９８（ｄ，Ｊ＝８Ｈｚ，６Ｈ），１．２９（ｓ，１Ｈ），２．００−２．０９（ｍ，２Ｈ），４．０５−４．２０（ｍ，３Ｈ），７．３０−７．６４（ｍ，５Ｈ），８．０６（ｓ，１Ｈ），８．３８（ｓ，１Ｈ），１０．８１（ｓ，ｂｒ，１Ｈ，ＮＨ）。
【０４３３】
ＩＲ（ＣＤＣｌ３）３０９５，２９６３，２３５９，１７４２，１５９６，１５５８，１４９８，１４５５，１３８０，１２８７，１２０８，１１７７，１１５０，１００５，９１２，８６５，７４５ｃｍ−１。
【０４３４】
ＭＳ　Ｃ１８Ｈ２１Ｎ５ＯＳに関する算出された（Ｍ＋Ｈ）＝３５６、観測された（Ｍ＋Ｈ）＝３５６；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４３５】
保持時間＝８．８７分。
【０４３６】
実施例２４：Ｎ，Ｎ−ジメチル−２−フェニル−２−（４−チオキソ−１，４−ジヒドロ−ピラゾロ［３，４−ｄ］ピリミジン−５−イル）−アセトアミド［Ｎ，Ｎ−Ｄｉｅｔｈｙｌ−２−ｐｈｅｎｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ａｃｅｔａｍｉｄｅ］（ＸＶＩｒ）
【０４３７】
【化８６】
2004506737.tif 000075
【０４３８】
化合物（ＸＶＩｒ）を、実施例２３に記載したようにして調製し、（０．０１６ｇ、０．０５ｍｍｏｌ、１６％収率）を黄色がかった固体として得た。
【０４３９】
ｍｐ：１４３〜１４６℃。
【０４４０】
ＴＬＣ；Ｒｆ＝０．７（ＣＨ２Ｃｌ２：ＥｔＯＡｃ＝１：１）。
【０４４１】
１Ｈ−ＮＭＲ；（ＣＤＣｌ３）δ１．２３−１．２９（ｍ，６Ｈ），３．３７−３．４４（ｍ，３Ｈ），３．６４−３．７１（ｍ，１Ｈ），７．３９−７．４９（ｍ，５Ｈ），８．１２（ｓ，１Ｈ），８．３４（ｓ，１Ｈ），８．４４（ｓ，１Ｈ），１０．８５（ｓ，ｂｒ，１Ｈ，ＮＨ）。
【０４４２】
ＩＲ（ＣＤＣｌ３）３１８７，２９７７，２３５９，１７４３，１６５０，１５９４，１５６２，１４９９，１４８２，１３８２，１２１３，１１４９，１０４８，８６７，７４８ｃｍ−１。
【０４４３】
ＨＲＭＳ　Ｃ１７Ｈ１９Ｎ５ＯＳに関する算出された（Ｍ＋Ｈ）＝３４２．１３８９、観測された（Ｍ＋Ｈ）＝３４２．１４０１；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４４４】
保持時間＝７．６６分。
【０４４５】
実施例２５：２−（３−アリルオキシ−フェニル）−１−（４−ヒドロキシ−４−フェニル−ピペリジン−１−イル）−２−（４−チオキソ−１，４−ジヒドロ−ピラゾロ［３，４−ｄ］ピリミジン−５−イル）−エタノン［２−（３−Ａｌｌｙｏｘｙ−ｐｈｅｎｙｌ）−１−（４−ｈｙｄｒｏｘｙ−４−ｐｈｅｎｙｌ−ｐｉｐｅｒｉｄｉｎ−１−ｙｌ）−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｓ）
【０４４６】
【化８７】
2004506737.tif 000076
【０４４７】
化合物（ＸＶＩｓ）を、実施例１６に記載したようにして調製し、（０．０５２ｇ、０．１ｍｍｏｌ、３２％収率）を白色固体として得た。
【０４４８】
ｍｐ：１１６〜１２０℃。
【０４４９】
ＴＬＣ；Ｒｆ＝０．７（ＣＨ２Ｃｌ２：ＥｔＯＡｃ＝１：１）。
【０４５０】
１Ｈ−ＮＭＲ（ＣＤＣｌ３）：δ１．２２−１．２９（ｍ，７Ｈ），１．８３−１．９２（ｍ，１Ｈ），２．０８−２．１４（ｍ，１Ｈ），２．５０−２．５４（ｍ，１Ｈ），３．２９−３．３６（ｍ，１Ｈ），３．４７−３．５７（ｍ，１Ｈ），３．８１−３．８４（ｍ，１Ｈ），４．５６（ｓ，１Ｈ），４．５８−４．６８（ｍ，１Ｈ），５．３０−５．４８（ｍ，２Ｈ），６．００−６．１１（ｍ，１Ｈ），６．９４−７．１０（ｍ，２Ｈ），７．３０−７．６３（ｍ，９Ｈ），８．０３−８．１８（ｄ，Ｊ＝９Ｈｚ，１Ｈ），８．３７（ｓ，１Ｈ），８．４８（ｓ，１Ｈ），１０．７８（ｓ，ｂｒ，１Ｈ，ＮＨ）。
【０４５１】
ＩＲ（ＣＤＣｌ３）３１９７，２３５９，１６４６，１５９４，１５５８，１５０６，１４５６，１３７４，１２６７，１２１２，１１４４，１０１８，９０８ｃｍ−１。
【０４５２】
ＨＲＭＳ　Ｃ２７Ｈ２７Ｎ５Ｏ３Ｓに関する算出された（Ｍ＋Ｈ）＝５１２．１９１３、観測された（Ｍ＋Ｈ）＝５０２．１９０９；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４５３】
保持時間＝５．９８２分。
【０４５４】
実施例２６：２−（３−アリルオキシ−フェニル）−１−アゼパン−１−イル−２−（４−チオキソ−１，４−ジヒドロ−ピラゾロ［３，４−ｄ］ピリミジン−５−イル）−エタノン［２−（３−Ａｌｌｙｏｘｙ−ｐｈｅｎｙｌ）−１−ａｚｅｐａｎ−１−ｙｌ−２−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）−ｅｔｈａｎｏｎｅ］（ＸＶＩｔ）
【０４５５】
【化８８】
2004506737.tif 000077
【０４５６】
化合物（ＸＶＩｔ）を、実施例１６に記載したようにして調製し、（０．０７８ｇ、０．１８ｍｍｏｌ、４７％収率）を黄色がかった固体として得た。
【０４５７】
ｍｐ：７５〜８０℃。
【０４５８】
ＴＬＣ；Ｒｆ＝０．７５（ＣＨ２Ｃｌ２：ＥｔＯＡｃ＝１：１）。
【０４５９】
１Ｈ−ＮＭＲ（ＣＤＣｌ３）：δ１．５０−１．８２（ｍ，２Ｈ），２．０２−２．０８（ｍ，２Ｈ），３．３３−３．５０（ｍ，２Ｈ），３．５１−３．９１（ｍ，２Ｈ），４．５５−４．５６（ｍ，２Ｈ），５．３１−５．４７（ｄ，ｄ，Ｊ＝６，７Ｈｚ，２Ｈ），５．９９−６．１２（ｍ，１Ｈ），６．９６−７．０２（ｍ，３Ｈ），７．３２−７．４２（ｍ，５Ｈ），８．１２（ｓ，１Ｈ），８．３５（ｓ，１Ｈ），１０．８７（ｓ，ｂｒ，１Ｈ，ＮＨ）。
【０４６０】
ＩＲ（ＣＤＣｌ３）３６４８，３５６６，３１８４，２９２８，２３５９，１６５２，１５９４，１５５８，１４８９，１４５６，１４３６，１３７４，１２８９，１２０９，１１４６，１０２２ｃｍ−１。
【０４６１】
ＨＲＭＳ　Ｃ２２Ｈ２５Ｎ５Ｏ２Ｓに関する算出された（Ｍ＋Ｈ）＝４２４．１８０７、観測された（Ｍ＋Ｈ）＝４２４．１８０６；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４６２】
保持時間＝７．３７６分。
【０４６３】
ＸＩＶｂの合成
【０４６４】
【化８９】
2004506737.tif 000078
【０４６５】
実施例２７：（３−アリルオキシ−フェニル）−（２−シアノ−エタノイルアミノ）−酢酸シクロヘキシルエステル［（３−Ａｌｌｙｌｏｘｙ−ｐｈｅｎｙｌ）−（２−ｃｙａｎｏ−ｅｔｈａｎｏｌｙａｍｉｎｏ）−ａｃｅｔｉｃ ａｃｉｄ ｃｙｃｌｏｈｅｘｙｌ ｅｓｔｅｒ］（ＩＸｂ）（Ｒ１は、３−アリルオキシ−フェニルである）
【０４６６】
【化９０】
2004506737.tif 000079
【０４６７】
ＨＡＴＵ（５．３４ｇ、１４．０５ｍｍｏｌ）を、０℃で４０ｍｌのＤＭＦにおけるＥｔ３Ｎ（３．３ｍｌ、２３．４２ｍｍｏｌ）を含む（ＶＩＩｂ）（３．３９ｇ、１１．７１ｍｍｏｌ）及びシアノ酢酸（ＶＩＩＩ）（１．０ｇ、１１．７１ｍｍｏｌ）の溶液に添加した。得られた混合物を０℃から室温で一晩攪拌した。この反応混合物を、ＥｔＯＡｃ（３００ｍｌ）及び飽和ＮａＨＣＯ３、ブライン、０．５Ｎ　ＨＣｌ、ブライン（４ｘ１００ｍｌ）間で分配した。有機層をＮａ２ＳＯ４で乾燥した後、真空で蒸発した。黄色の油状の残渣をフラッシュシリカゲルクロマトグラフィーによって精製し、ヘキサン：ＥｔＯＡｃ（１：１）で溶出することによって、（ＩＸｂ）（２．４８ｇ、６．９６ｍｍｏｌ、５９％収率）を白色固体として得た。
【０４６８】
ｍｐ：９５〜９８℃。
【０４６９】
ＴＬＣ：Ｒｆ＝０．７（ヘキサン：ＥｔＯＡｃ＝１：１）。
【０４７０】
１Ｈ−ＮＭＲ（ＣＤＣｌ３）：δ１．２６−１．８５（ｍ，１０Ｈ），３．４５（ｓ，２Ｈ），４．５５−４．５７（ｍ，２Ｈ），４．８６−４．８７（ｍ，２Ｈ），５．３１−５．５２（ｍ，２Ｈ），６．０２−６．１３（ｍ，１Ｈ），６．９０−６．９８（ｍ，３Ｈ），７．０７−７．２８（ｍ，１Ｈ）。
【０４７１】
ＩＲ（ＣＤＣｌ３）３３０１，２９３４，２８５７，１７３７，１６５９，１５９９，１５４７，１４９２，１４４５，１３９１，１３６０，１２７５，１２０５，１０１１，９２１ｃｍ−１。
【０４７２】
ＭＳ　Ｃ２０Ｈ２４Ｎ２Ｏ４に関する算出された（Ｍ＋Ｈ）＝３５６、観測された（Ｍ＋Ｈ）＝３５６。
【０４７３】
ＨＰＬＣ：３０％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４７４】
保持時間＝７．２６９分。
【０４７５】
実施例２８：（３−アリルオキシ−フェニル）−｛［１−（５−アミノ−１Ｈ−ピラゾール−４−イル）−メタノイル］−アミノ｝−酢酸シクロヘキシルエステル［（３−Ａｌｌｙｌｏｘｙ−ｐｈｅｎｙｌ）−［［１−（５−ａｍｉｎｏ−１Ｈ−ｐｙｒａｚｏｌ−４−ｙｌ）−ｍｅｔｈａｎｏｙｌ］−ａｍｉｎｏ］−ａｃｅｔｉｃ ａｃｉｄ ｃｙｃｌｏｈｅｘｙｌ ｅｓｔｅｒ］（Ｘｂ）（Ｒ１は、３−アリルオキシ−フェニルである）
【０４７６】
【化９１】
2004506737.tif 000080
【０４７７】
（ＩＸｂ）（２．４７ｇ、６．９４ｍｍｏｌ）、オルトギ酸トリエチル（８．１ｍｌ、４８．５８ｍｍｏｌ）、無水酢酸（４．０ｍｌ、４１．６４ｍｍｏｌ）及び無水ＺｎＣｌ２（１．０ｇ、６．９４ｍｍｏｌ）の反応混合物を、Ａｒ下で一晩１３０℃で加熱、還流した。この混合物を、真空で蒸発した後、トルエンで共沸した（３ｘ５０ｍｌ）。残渣をＣＨ２Ｃｌ２で処理した。ＺｎＣｌ２塩の固体を瀘別して、ＣＨ２Ｃｌ２でよく洗浄した。濾液を真空で蒸発させて、未精製産物を得た。上記からの未精製産物と３０ｍｌの１，４−ジオキサンにおけるヒドラジン一水和物（０．５ｍｌ、１０．４１ｍｍｏｌ）との反応混合物を、１０５℃で２４時間加熱、還流した。この反応混合物を真空で蒸発して、ほとんどの溶剤を除去した。残渣をフラッシュシリカゲルクロマトグラフィーによって精製し、ＣＨ２Ｃｌ２：ＭｅＯＨ（９：１）で溶出することによって、（Ｘｂ）（１．９１ｇ、４．７９ｍｍｏｌ、６９％収率）を茶色のグリースとして得た。
【０４７８】
ＴＬＣ：Ｒｆ＝０．４（ＣＨ２Ｃｌ２：ＭｅＯＨ＝９：１）。
【０４７９】
１Ｈ−ＮＭＲ（ＣＤＣｌ３）：δ１．２９−１．８６（ｍ，１０Ｈ），３．２８（ｓ，ｂｒ，２Ｈ，ＮＨ），４．５３−４．５６（ｄ，Ｊ＝３Ｈｚ，１Ｈ），４．８３−４．８９（ｍ，１Ｈ），５．２８−５．４６（ｄ，ｄ，Ｊ＝１７，１３Ｈｚ，２Ｈ），６．０２−６．１３（ｍ，１Ｈ），６．８６−６．９１（ｍ，１Ｈ），７．００−７．０４（ｍ，２Ｈ），７．２５−７．３１（ｍ，１Ｈ），７．６４（ｓ，１Ｈ）。
【０４８０】
ＩＲ（ＣＤＣｌ３）３３３０，２９３６，２８５９，１７２６，１６３５，１５６１，１５２２，１４８９，１４４９，１３６４，１２６４，１１７４，１１２１，１０１１，９３０，７７８，６９５ｃｍ−１。
【０４８１】
ＭＳ　Ｃ２１Ｈ２６Ｎ４Ｏ４に関する算出された（Ｍ＋Ｈ）＝３９９、観測された（Ｍ＋Ｈ）＝３９９。
【０４８２】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４８３】
保持時間＝７．６０５分。
【０４８４】
実施例２９：（３−アリルオキシ−フェニル）−（４−オキソ−１，４−ジヒドロ−ピラゾロ［３，４−ｄ］ピリミジン−５−イル）酢酸シクロヘキシルエステル［（３−Ａｌｌｙｌｏｘｙ−ｐｈｅｎｙｌ）−（４−ｏｘｏ−１，４−ｄｉｈｙｄｒｏ−ｐｙｒａｚｏｌｏ［３，４−ｄ］ｐｙｒｉｍｉｄｉｎ−５−ｙｌ）−ａｃｅｔｉｃ ａｃｉｄ ｃｙｃｌｏｈｅｘｙｌ ｅｓｔｅｒ］（ＸＩｂ）（Ｒ１は、３−アリルオキシ−フェニルである）
【０４８５】
【化９２】
2004506737.tif 000081
【０４８６】
３０ｍｌのホルムアミドにおける（Ｘｂ）（１．８３ｇ、４．５９ｍｍｏｌ）の反応混合物を１４５℃までで一晩加熱した。室温に冷却した後、この混合物をＥｔＯＡｃ（２００ｍｌ）及び飽和ＮａＨＣＯ３（３ｘ７５ｍｌ）、ブライン（７５ｍｌ）間で分配した。有機層をＮａ２ＳＯ４で乾燥した後、真空で蒸発した。黄色の油状の残渣をフラッシュシリカゲルクロマトグラフィーによって精製し、ＣＨ２Ｃｌ２：ＥｔＯＡｃ（１：１）で溶出することによって、（ＸＩｂ）（０．７ｇ、１．３１ｍｍｏｌ、２８％収率）をオフホワイトの気泡体として得た。
【０４８７】
ＴＬＣ：Ｒｆ＝０．５（ＣＨ２Ｃｌ２：ＥｔＯＡｃ＝１：１）。
【０４８８】
１Ｈ−ＮＭＲ（ＣＤＣｌ３）：δ１．２９−１．９１（ｍ，１０Ｈ），４．５５−４．５７（ｄ，Ｊ＝７Ｈｚ，２Ｈ），４．９６−５．０２（ｍ，１Ｈ），５．３１−５．４７（ｄ，ｄ，Ｊ＝１１，１９Ｈｚ，２Ｈ），６．０２−６．１３（ｍ，１Ｈ），６．７８（ｓ，１Ｈ），６．８９−７．０２（ｍ，３Ｈ），７．３０−７．４１（ｍ，１Ｈ），７．９１（ｓ，１Ｈ），８．２２（ｓ，１Ｈ），１１．０１（ｓ，ｂｒ，１Ｈ，ＮＨ）。
【０４８９】
ＩＲ（ＣＤＣｌ３）３２２５，２９３４，１７３４，１７００，１６５３，１５５８，１４８９，１３６３，１１９６，１１２０，１０１２，８２７，７０３ｃｍ−１。
【０４９０】
ＭＳ　Ｃ２２Ｈ２４Ｎ５Ｏ４に関する算出された（Ｍ＋Ｈ）＝４０９、観測された（Ｍ＋Ｈ）＝４０９。
【０４９１】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０４９２】
保持時間＝８．８３１分。
【０４９３】
実施例３０：（３−アリルオキシ−フェニル）−（４−チオキソ−１，４−ジヒドロ−ピラゾロ［３，４−ｄ］ピリミジン−５−イル）酢酸シクロヘキシルエステル［（３−Ａｌｌｙｌｏｘｙ−ｐｈｅｎｙｌ）−（４−ｔｈｉｏｘｏ−１，４−ｄｉｈｙｄｒｏ−ｐｙｒａｚｏｌｏ［３，４−ｄ］ ｐｙｒｉｍｉｄｉｎ−５−ｙｌ）−ａｃｅｔｉｃ ａｃｉｄ ｃｙｃｌｏｈｅｘｙｌ ｅｓｔｅｒ］（ＸＩＩｂ）（Ｒ１は、３−アリルオキシ−フェニルである）
【０４９４】
【化９３】
2004506737.tif 000082
【０４９５】
２０ｍｌのキシレンにおける（ＸＩｂ）（０．６８ｇ、１．６５ｍｍｏｌ）の溶液に２０分間アルゴンをパージして、これにラウエッソン試薬（０．６７ｇ、１．６５ｍｍｏｌ）を添加した。得られた混合物をアルゴン下で２時間１４５℃で加熱した。この反応混合物を真空下で濃縮して、いくらかのキシレンを除去した。残渣をシリカゲルを用いたカラムクロマトグラフィーにかけ、ヘキサンで溶出することによって、前の画分（残りのキシレン）を除去した後、ヘキサン：ＥｔＯＡｃ／２：１で溶出して、所望の画分を集めることによって、（ＸＩＩｂ）（０．５ｇ、１．１７ｍｍｏｌ、７１％収率）をオフホワイトの気泡体として得た。
【０４９６】
ＴＬＣ：Ｒｆ＝０．２（ヘキサン：ＥｔＯＡｃ＝２：１）。
【０４９７】
１Ｈ−ＮＭＲ（ＣＤＣｌ３）δ１．２７−１．９１（ｍ，１０Ｈ），４．５６−４．５７（ｄ，Ｊ＝３Ｈｚ，２Ｈ），５．００−５．０５（ｍ，１Ｈ），５．３１−５．４７（ｄ，ｄ，Ｊ＝１８，２０Ｈｚ，２Ｈ），５．９９−６．１０（ｍ，１Ｈ），６．９４−７．０３（ｍ，３Ｈ），７．３６−７．４２（ｍ，１Ｈ），７．７０−８．０６（ｄ，Ｊ＝７Ｈｚ，１Ｈ，），８．３８（ｓ，１Ｈ）。
【０４９８】
ＩＲ（ＣＤＣｌ３）３４２５，２９３４，１７３４，１５９６，１５５８，１４９８，１４５６，１３６２，１２６１，１２０５，１００９，９０７ｃｍ−１。
【０４９９】
ＭＳ　Ｃ２２Ｈ２４Ｎ４Ｏ３Ｓに関する算出された（Ｍ＋Ｈ）＝４２５、観測された（Ｍ＋Ｈ）＝４２５；
ＨＰＬＣ：３０％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０５００】
保持時間＝９．１４分。
【０５０１】
実施例３１：（３−アリルオキシ−フェニル−（４−チオキソ−１，４−ジヒドロ−ピラゾロ［３，４−ｄ］ピリミジン−５−イル）酢酸［（３−Ａｌｌｙｌｏｘｙ−ｐｈｅｎｙｌ−（４−ｔｈｉｏｘｏ−１，４−ｄｉｈｙｄｒｏ−ｐｙｒａｚｏｌｏ［３，４−ｄ］ｐｙｒｉｍｉｄｉｎ−５−ｙｌ）ａｃｅｔｉｃ ａｃｉｄ］（ＸＩＶｂ）（Ｒ１は、３−アリルオキシ−フェニルである）
【０５０２】
【化９４】
2004506737.tif 000083
【０５０３】
２Ｎ　ＫＯＨ水溶液（０．９ｍｌ、１．７７ｍｍｏｌ）を、０℃で１０ｍｌのメタノールにおける（３−アリルオキシ−フェニル）−（４−チオキソ−１，４−ジヒドロ−ピラゾロ［３，４−ｄ］ピリミジン−５−イル）酢酸シクロヘキシルエステル（ＸＩＩｂ）（０．３８ｇ、０．８８ｍｍｏｌ）の溶液に添加した。黄色の溶液の得られた混合物を、０℃から室温で一晩攪拌した。この反応混合物を真空で蒸発してほとんどのメタノールを除去し、水（２０ｍｌ）を加えた。ｐＨを１０％クエン酸水溶液で４．０に調節した。生成物をＥｔＯＡｃで抽出した（２ｘ１５０ｍｌ）。合わせた有機層を水、ブラインで洗浄し（２ｘ３０ｍｌ）、無水Ｎａ２ＳＯ４で乾燥した後、真空で濃縮することによって、（ＸＩＶｂ）（０．２９ｇ、０．８４ｍｍｏｌ、９５％収率）を黄色がかった固体として得た。
【０５０４】
ｍｐ：８５〜９０℃。
【０５０５】
ＴＬＣ；Ｒｆ＝０．１（ＣＨ２Ｃｌ２：ＭｅＯＨ＝９：１）。
【０５０６】
１Ｈ−ＮＭＲ；（ＣＤ３ＯＤ）δ４．５４−４．５６（ｄ，Ｊ＝５Ｈｚ，２Ｈ），５．３０−５．４６（ｄ，ｄ，Ｊ＝１１，１２Ｈｚ，２Ｈ），５．９９−６．０８（ｍ，１Ｈ），６．９４−７．０４（ｍ，２Ｈ），７．３０−７．６２（ｍ，３Ｈ），８．０２−８．１０（ｄ，Ｊ＝１５Ｈｚ，１Ｈ），８．３６（ｓ，１Ｈ）。
【０５０７】
ＩＲ（ＣＤＣｌ３）３４２５，２９８０，１７１７，１５９８，１５５８，１４９０，１３６２，１２０７ｃｍ−１。
【０５０８】
ＭＳ　Ｃ１６Ｈ１４Ｎ４Ｏ３Ｓに関する算出された（Ｍ＋Ｈ）＝３４３、観測された（Ｍ＋Ｈ）＝３４３；
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／１０分。
【０５０９】
保持時間＝６．７２８分。
【０５１０】
実施例３２：（５−（１−フェニル−エチル）−１，５−ジヒドロ−ピラゾロ［３，４−ｄ］ピリミジン−４−オン）［（５−（１−Ｐｈｅｎｙｌ−ｅｔｈｙｌ）−１，５−ｄｉｈｙｄｒｏ−ｐｙｒａｚｏｌｏ［３，４−ｄ］ｐｙｒｉｍｉｄｉｎｅ−４−ｏｎｅ）］（ＬＶＩＩａ）（Ｒ１＝フェニル；Ｒ８＝Ｍｅ）
【０５１１】
【化９５】
2004506737.tif 000084
【０５１２】
ｐ−ＴｓＯＨを、オルトギ酸トリエチル（５．３ｍｌ、３２　ｍｍｏｌ）における（Ｒ）−α−メチルベンジルアミン（０．５２ｍｌ、４．０ｍｍｏｌ）の混合物に添加し、得られた混合物を１５５℃で４時間還流した。過剰のオルトギ酸トリエチルを８０℃で減圧下で蒸留した。残った黄色の油をトルエンで共沸し（３ｘ１５ｍｌ）、真空下で濃縮して、薄い黄色の油を得た。この未精製油に、１０ｍｌのキシレン、エチル３−アミノ−４−ピラゾールカルボキシレート（ｅｔｈｙｌ ３−ａｍｉｎｏ−４−ｐｙｒａｚｏｌｅ ｃａｒｂｏｘｙｌａｔｅ）（０．３１ｇ、２ｍｍｏｌ）及びｐ−ＴｓＯＨ（７６ｍｇ、０．４ｍｏｌ）を添加して、得られたものを２４時間還流した。反応物を室温まで冷却し、２ｘ３０ｍｌの２Ｎ　ＮａＯＨで抽出した。合わせた水層を濃ＨＣｌでｐＨ＝５にまで酸性にした。沈殿した固体を瀘別し、水でよく洗浄して、高い真空下で乾燥することによって、１８１ｍｇのＬＶＩＩａを白色固体として３８％の収率で得た。
【０５１３】
ｍｐ：２１０〜２１４℃。
【０５１４】
ＴＬＣ；Ｒｆ＝０．２（ヘキサン：ＥｔＯＡｃ＝１：１）。
【０５１５】
１Ｈ−ＮＭＲ；（ＣＤＣｌ３）δ１．８５−１．８７（ｄ，Ｊ＝７Ｈｚ，３Ｈ），６．４２−６．４５（ｑ，１Ｈ），７．３７−７．４４（ｍ，５Ｈ），７．９４（ｓ，１Ｈ），８．２４（ｓ，１Ｈ）。
【０５１６】
ＭＳ　Ｃ１３Ｈ１２Ｎ４Ｏに関する算出された（Ｍ＋Ｈ）＝２４１、観測された（Ｍ＋Ｈ）＝２４１；
ＥＡ　Ｃ１３Ｈ１２Ｎ４Ｏ・０．５Ｈ２Ｏに関する算出値＝Ｃ：６４．２６；Ｈ：５．１；Ｎ：２３．０６、観測値＝Ｃ：６４．２２；Ｈ：５．０２；Ｎ：２３．０４。
【０５１７】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０５１８】
保持時間＝７．５分。
【０５１９】
実施例３３：（５−（１−フェニル−エチル）−１，５−ジヒドロ−ピラゾロ［３，４−ｄ］ピリミジン−４−チオン）［（５−（１−Ｐｈｅｎｙｌ−ｅｔｈｙｌ）−１，５−ｄｉｈｙｄｒｏ−ｐｙｒａｚｏｌｏ［３，４−ｄ］ｐｙｒｉｍｉｄｉｎｅ−４−ｔｈｉｏｎｅ）］（ＬＶＩＩＩａ）（Ｒ１＝フェニル；Ｒ８＝Ｍｅ）
【０５２０】
【化９６】
2004506737.tif 000085
【０５２１】
５ｍｌのトルエンにおけるＬＶＩＩａ（０．１ｇ、０．４２ｍｍｏｌ）及びラウエッソン試薬（０．１０１ｇ、０．２５ｍｍｏｌ）の反応混合物を、５時間還流した。黄色の反応混合物を室温まで冷却し、溶剤を減圧下で除去した。得られた黄色の油を、ＣＨ２Ｃｌ２：ＥｔＯＡｃ：：１：１（１２０ｍｌ）さらにはＣＨＣｌ３：ＥｔＯＡｃ：：１：１を用いてシリカゲルによるカラムクロマトグラフィーにかけることによって、ＬＶＩＩＩａ（０．１０１ｇ、．３９ｍｍｏｌ）を白色固体として９５％の収率で得た。
【０５２２】
ｍｐ：１７０〜１７４℃。
【０５２３】
ＴＬＣ；Ｒｆ＝０．６５（ＣＨ２Ｃｌ２：ＥｔＯＡｃ＝１：１）。
【０５２４】
１Ｈ−ＮＭＲ；（ＣＤＣｌ３）δ１．８７−１．９（ｄ，Ｊ＝７Ｈｚ，３Ｈ），７．３９−７．４４（ｍ，５Ｈ），７．５５−７．５７（ｑ，１Ｈ），８．０１（ｓ，１Ｈ），８．４１（ｓ，１Ｈ）。
【０５２５】
ＭＳ　Ｃ１３Ｈ１２Ｎ４Ｓに関する算出された（Ｍ＋Ｈ）＝２５７、観測された（Ｍ＋Ｈ）＝２５７；
ＥＡ　Ｃ１３Ｈ１２Ｎ４Ｓ・０．０７ヘキサン＝Ｃ：６１．４７；Ｈ：５．０１；Ｎ：２１．３２；Ｓ：１２．２、観測値＝Ｃ：６１．５５；Ｈ：４．９９；Ｎ：２１．０５；Ｓ：１２．２３。
【０５２６】
ＨＰＬＣ：５％ＣＨ３ＣＮ／Ｈ２Ｏ（０．１％ＴＦＡ）から９０％ＣＨ３ＣＮ／Ｈ２Ｏ（０．１％ＴＦＡ）／２０分。
【０５２７】
保持時間＝１１．５分。
【０５２８】
上記した具体的な化合物は、下記に記載されるようにその活性について試験されてもよい。
【０５２９】
生物学的試験：ＥＲＡＢ酵素アッセイ
逆方向のＥＲＡＢ（Ｌ−３−ヒドロキシアシル−ＣｏＡデヒドロゲナーゼ）の活性を、前記した方法（Ｂｉｎｓｔｏｃｋ ｅｔ ａｌ．， Ｍｅｔｈｏｄｓ Ｅｎｚｙｍｏｌ．， ７１， ４０３−４１１ （１９８１））の修飾したものによって測定した。この方法は、６．２２ｍＭ−１　ｃｍ−１のミリモルの吸光係数の変化による３４０ｎｍでのＮＡＤＨ吸光度の酵素が触媒する損失に基づくものである。式Ｉの化合物に関するＩＣ５０値は、基質としてアセトアセチル−ＣｏＡを用いたＮＡＤＨからＮＡＤ＋への還元をモニターすることによって分光光度により測定され、表１に報告される。アッセイ条件は、２５ｍＭ　ＭＯＰＳ、２５０ｍＭ　ＮａＣｌ、２％　ＤＭＳＯ、２．５ｍＭ　ＴＣＥＰ、ｐＨ　７．５、３０℃であった。ＮＡＤＨ及びＥＲＡＢは、それぞれ、４０μＭ及び２．５ｎＭで仕込まれた。アッセイ緩衝液中で調製された、ＥＲＡＢのストック溶液は、１μＭであり、酵素の安定性のために１００μＭのＮＡＤＨを含んでいた。アッセイは、以下のようにして行なった：酵素（２．５ｎＭ）を、３６μＭ　ＮＡＤＨ、２５ｍＭ　ＭＯＰＳ、ｐＨ　７．５、２５０ｍＭ　ＮａＣｌ、２％（ｖ／ｖ）　ＤＭＳＯ、及び２．５ｍＭ　ＴＣＥＰの存在下で、３０℃で４００秒間阻害剤（アセトアセチル−ＣｏＡを存在させずに）と共に予めインキュベートした。反応を、基質（アセトアセチル−ＣｏＡ）（３８μＭ）を添加することによって開始した。ＮＡＤＨの還元を、３４０λでモニターした。初速度を、１０％未満の基質が阻害が起こらない反応で消費された時間わくで算出した。Ｋｉ、ａｐｐ測定（ａｐｐ ｄｅｔｅｒｍｉｎａｔｉｏｎ）では、阻害剤を、最終及び定常２％ＤＭＳＯ濃度のＤＭＳＯストック溶液からの予備インキュベート段階で添加した。初速度を算出して、酵素阻害に関するミカエリス式（Ｍｉｃｈａｅｌｉｓ ｅｑｕａｔｉｏｎ）に、非線形適合技術（ｎｏｎ−ｌｉｎｅａｒ ｆｉｔｔｉｎｇ ｔｅｃｈｎｉｑｕｅ）を用いて、合わせた。ＩＣ５０値は、カレイダグラフ（ＫａｌｅｉｄａＧｒａｐｈ）（Ｓｙｎｅｒｇｙ Ｓｏｆｔｗａｒｅ， Ｒｅａｄｉｎｇ， ＰＡから得られる）を用いた非線形回帰分析（ｎｏｎ−ｌｉｎｅａｒ ｒｅｇｒｅｓｓｉｏｎ ａｎａｌｙｓｉｓ）によって測定した。
【０５３０】
【表１】
2004506737.tif 000086
【０５３１】
2004506737.tif 000087
【０５３２】
2004506737.tif 000088
【０５３３】
2004506737.tif 000089
【０５３４】
2004506737.tif 000090
【国際公開パンフレット】
2004506737.tif 000126
2004506737.tif 000127
2004506737.tif 000128
2004506737.tif 000129
2004506737.tif 000130
2004506737.tif 000131
2004506737.tif 000132
2004506737.tif 000133
2004506737.tif 000134
2004506737.tif 000135
2004506737.tif 000136
2004506737.tif 000137
2004506737.tif 000138
2004506737.tif 000139
2004506737.tif 000140
2004506737.tif 000141
2004506737.tif 000142
2004506737.tif 000143
2004506737.tif 000144
2004506737.tif 000145
2004506737.tif 000146
2004506737.tif 000147
2004506737.tif 000148
2004506737.tif 000149
2004506737.tif 000150
2004506737.tif 000151
2004506737.tif 000152
2004506737.tif 000153
2004506737.tif 000154
2004506737.tif 000155
2004506737.tif 000156
2004506737.tif 000157
2004506737.tif 000158
2004506737.tif 000159
2004506737.tif 000160
2004506737.tif 000161
2004506737.tif 000162
2004506737.tif 000163
2004506737.tif 000164
2004506737.tif 000165
2004506737.tif 000166
2004506737.tif 000167
2004506737.tif 000168
2004506737.tif 000169
2004506737.tif 000170
2004506737.tif 000171
2004506737.tif 000172
2004506737.tif 000173
2004506737.tif 000174
2004506737.tif 000175
2004506737.tif 000176
2004506737.tif 000177
2004506737.tif 000178
2004506737.tif 000179
2004506737.tif 000180
2004506737.tif 000181
2004506737.tif 000182
2004506737.tif 000183
2004506737.tif 000184
2004506737.tif 000185
2004506737.tif 000186
2004506737.tif 000187
2004506737.tif 000188
2004506737.tif 000189
2004506737.tif 000190
2004506737.tif 000191
2004506737.tif 000192
2004506737.tif 000193
2004506737.tif 000194
2004506737.tif 000195
2004506737.tif 000196
2004506737.tif 000197
2004506737.tif 000198
2004506737.tif 000199
2004506737.tif 000200
2004506737.tif 000201
2004506737.tif 000202
2004506737.tif 000203
2004506737.tif 000204
2004506737.tif 000205
2004506737.tif 000206
2004506737.tif 000207
2004506737.tif 000208
2004506737.tif 000209
2004506737.tif 000210
2004506737.tif 000211
2004506737.tif 000212
2004506737.tif 000213
2004506737.tif 000214
2004506737.tif 000215
2004506737.tif 000216
2004506737.tif 000217
2004506737.tif 000218
2004506737.tif 000219
2004506737.tif 000220
2004506737.tif 000221
2004506737.tif 000222
2004506737.tif 000223
2004506737.tif 000224
2004506737.tif 000225
2004506737.tif 000226
2004506737.tif 000227
2004506737.tif 000228
2004506737.tif 000229
2004506737.tif 000230
2004506737.tif 000231
2004506737.tif 000232
2004506737.tif 000233
2004506737.tif 000234
2004506737.tif 000235
2004506737.tif 000236
2004506737.tif 000237
2004506737.tif 000238
2004506737.tif 000239
2004506737.tif 000240
2004506737.tif 000241
2004506737.tif 000242
2004506737.tif 000243
2004506737.tif 000244
2004506737.tif 000245
2004506737.tif 000246
2004506737.tif 000247
2004506737.tif 000248
2004506737.tif 000249
2004506737.tif 000250
2004506737.tif 000251
2004506737.tif 000252
2004506737.tif 000253
2004506737.tif 000254
2004506737.tif 000255
2004506737.tif 000256
2004506737.tif 000257
2004506737.tif 000258
2004506737.tif 000259
2004506737.tif 000260
2004506737.tif 000261
2004506737.tif 000262
2004506737.tif 000263
2004506737.tif 000264
2004506737.tif 000265
2004506737.tif 000266
2004506737.tif 000267
2004506737.tif 000268
2004506737.tif 000269
2004506737.tif 000270
2004506737.tif 000271
2004506737.tif 000272
2004506737.tif 000273
2004506737.tif 000274
2004506737.tif 000275
2004506737.tif 000276
2004506737.tif 000277
2004506737.tif 000278
2004506737.tif 000279
2004506737.tif 000280
2004506737.tif 000281
2004506737.tif 000282
2004506737.tif 000283
2004506737.tif 000284
2004506737.tif 000285
2004506737.tif 000286
2004506737.tif 000287
2004506737.tif 000288
2004506737.tif 000289
2004506737.tif 000290
2004506737.tif 000291
2004506737.tif 000292
2004506737.tif 000293
2004506737.tif 000294
2004506737.tif 000295
2004506737.tif 000296
2004506737.tif 000297
2004506737.tif 000298
【国際調査報告】
2004506737.tif 000299
2004506737.tif 000300
2004506737.tif 000301